(57)【特許請求の範囲】
【請求項１】
写真シール作成ゲームとして、利用者に、前記利用者を被写体とする撮影作業、および前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置、前記写真シール作成装置において作成された編集済みの前記利用者の画像を、前記利用者が所有する第１の携帯型電話機に提供する画像提供装置、および前記第１の携帯型電話機を含む写真シール提供システムにおいて、
前記画像提供装置は、
１枚の画像として表示されるように、複数の画像が連結された連結画像であって、前記写真シール作成装置において作成された編集済みの前記利用者の画像である連結画像を記録する記録手段と、
前記連結画像を構成する第１の画像を特定する第１の情報と、前記連結画像を構成する第２の画像の前記第１の携帯型電話機とは異なる第２の携帯型電話機への送信の指示を示す第２の情報とが含まれる第１のデータを生成する生成手段と、
前記第１のデータを前記第１の携帯型電話機に送信する第１の送信手段と、
前記第１の携帯型電話機から送信されてきた前記第１の情報または前記第２の情報を受信する第１の受信手段と
を備え、
前記生成手段は、前記第１の携帯型電話機から前記第２の情報を受信した場合、前記第２の画像を特定する第３の情報が含まれる第２のデータを生成し、
前記第１の送信手段は、前記第１の情報が受信された場合、前記第１の画像を前記第１の携帯型電話機に送信し、前記第２の情報が受信された場合、生成された前記第２のデータを前記第２の携帯型電話機に送信し、
前記第１の携帯型電話機は、
前記第１のデータを受信する第２の受信手段と、
前記利用者の操作に応じて、前記第１のデータに含まれる前記第１の情報または前記第２の情報を選択する選択手段と、
選択された前記第１の情報または前記第２の情報を前記画像提供装置に送信する第２の送信手段と、
を備え、
前記第２の受信手段は、さらに、前記画像提供装置から送信されてきた前記第１の画像を受信する
写真シール提供システム。
【請求項２】
利用者を被写体とする画像が印刷されたシールシートを写真シールとして前記利用者に提供する写真シール作成装置において作成された、前記利用者の画像を提供する画像提供装置から送信されてくる画像を受信する、前記利用者が所有する携帯型電話機において、
１枚の画像として表示されるように、複数の画像が連結された連結画像であって、前記写真シール作成装置において作成された編集済みの前記利用者の画像である連結画像を構成する第１の画像を特定する第１の情報と、前記連結画像を構成する第２の画像の前記携帯型電話機とは異なる他の携帯型電話機への送信の指示を示す第２の情報とが含まれるデータを受信する受信手段と、
前記利用者の操作に応じて、前記データに含まれる前記第１の情報または前記第２の情報を選択する選択手段と、
選択された前記第１の情報または前記第２の情報を前記画像提供装置に送信する送信手段と
を備え、
前記受信手段は、前記第１の情報を受信した前記画像提供装置から送信されてきた前記第１の画像をさらに受信する
携帯型電話機。
【請求項３】
前記選択手段は、前記利用者の操作に応じて、複数の前記第２の画像のうちの１つの第２の画像の前記他の携帯型電話機への送信の指示を示す第２の情報を選択する
請求項２に記載の携帯型電話機。
【請求項４】
前記データには、前記第２の画像のサムネイル画像を特定する第３の情報がさらに含まれ、
前記選択手段は、前記データに含まれている前記第３の情報を選択する
請求項２に記載の携帯型電話機。
【請求項５】
前記送信手段は、さらに前記第２の画像の送信先としての前記他の携帯型電話機の電子メールアドレスを前記画像提供装置に送信する
請求項２に記載の携帯型電話機。
【請求項６】
前記第１の画像を表示する表示手段をさらに備える
請求項２に記載の携帯型電話機。
【請求項７】
前記データに基づいて、前記第１の画像を前記携帯型電話機に送信させる旨のメッセージ、および前記第２の画像を前記他の携帯型電話機に送信させる旨のメッセージが表示された画面を表示する表示手段をさらに備える
請求項２に記載の携帯型電話機。
【請求項８】
利用者を被写体とする画像が印刷されたシールシートを写真シールとして前記利用者に提供する写真シール作成装置において作成された、前記利用者の画像を提供する画像提供装置から送信されてくる画像を受信する、前記利用者が所有する携帯型電話機の画像受信方法において、
１枚の画像として表示されるように、複数の画像が連結された連結画像であって、前記写真シール作成装置において作成された編集済みの前記利用者の画像である連結画像を構成する第１の画像を特定する第１の情報と、前記連結画像を構成する第２の画像の前記携帯型電話機とは異なる他の携帯型電話機への送信の指示を示す第２の情報とが含まれるデータを受信し、
前記利用者の操作に応じて、前記データに含まれる前記第１の情報または前記第２の情報を選択し、
選択された前記第１の情報または前記第２の情報を前記画像提供装置に送信し、
前記第１の情報を受信した前記画像提供装置から送信されてきた前記第１の画像を受信する
ステップを含む画像受信方法。
【請求項９】
利用者を被写体とする画像が印刷されたシールシートを写真シールとして前記利用者に提供する写真シール作成装置において作成された、前記利用者の画像を提供する画像提供装置から送信されてくる画像を受信する受信処理を、前記利用者が所有する携帯型電話機に実行させるプログラムであって、
１枚の画像として表示されるように、複数の画像が連結された連結画像であって、前記写真シール作成装置において作成された編集済みの前記利用者の画像である連結画像を構成する第１の画像を特定する第１の情報と、前記連結画像を構成する第２の画像の前記携帯型電話機とは異なる他の携帯型電話機への送信の指示を示す第２の情報とが含まれるデータを受信し、
前記利用者の操作に応じて、前記データに含まれる前記第１の情報または前記第２の情報を選択し、
選択された前記第１の情報または前記第２の情報を前記画像提供装置に送信し、
前記第１の情報を受信した前記画像提供装置から送信されてきた前記第１の画像を受信する
ステップを含むプログラム。
【発明の詳細な説明】
【技術分野】
【０００１】
本発明は写真シール提供システム、携帯型電話機、画像受信方法、およびプログラムに関し、特に、利用者の満足度を向上させることができるようにした写真シール提供システム、携帯型電話機、画像受信方法、およびプログラムに関する。
【背景技術】
【０００２】
従来、利用者（被写体）を撮影して得られた被写体の画像を予め用意されたフレーム画像、スタンプ画像、または手書きの線画像の落書き入力画像と合成する編集処理を行い、シール紙に印刷し、利用者に提供する写真シール機が知られている。このような写真シール機は、例えば、繁華街などに設置されている。
【０００３】
近年においては、１回の撮影で１つの撮影画像を完成させるのではなく、２回以上の撮影で１つの撮影画像を完成させる写真シール機もある。このような写真シール機においては、例えば、撮影された画像に合成される背景として、文字“ＬＯ”が表示された背景を用いて撮影を行い、続いて文字“ＶＥ”が表示された背景を用いて撮影を行う。そして、撮影されたこれらの２つの画像を縦方向または横方向に並べて、背景に文字“ＬＯＶＥ”が表示された撮影画像を完成させる。以下の説明においては、複数の画像が並べられて表示される撮影画像をつなぎプリとも称する。なお、複数の画像から構成される撮影画像もつなぎプリと称する。
【０００４】
また、写真シール機には、編集済みの画像を、シール紙として利用者に提供するだけでなく、画像データとして利用者の携帯型電話機に送信して提供するものもある（例えば、特許文献１参照）。
【０００５】
【特許文献１】特開２００１−３０９１０８号公報
【発明の開示】
【発明が解決しようとする課題】
【０００６】
ところで、１回の撮影で完成された撮影画像を画像データとして利用者の携帯型電話機に送信して提供する場合には、送信される撮影画像の大きさは、携帯型電話機の画面の大きさと同じであるため、撮影画像を携帯型電話機において表示させるときに何ら問題は生じないが、２回以上の撮影で完成された撮影画像を携帯型電話機に送信して提供する場合には、撮影画像（つなぎプリ）は複数の画像から構成されているため、撮影画像全体を携帯型電話機に表示させることは困難であった。
【０００７】
また、逆に、つなぎプリ全体を携帯型電話機に表示させることができないことを利用して、つなぎプリを構成する、対となる画像のそれぞれを、２つの携帯型電話機にそれぞれ表示させて、それらの携帯型電話機を並べて遊ぶ利用者もいる。例えば、利用者は、つなぎプリを構成する糸電話で話している画像Ａが表示された携帯型電話機と、つなぎプリを構成する糸電話で聞いている画像Ｂが表示された携帯型電話機とを横に並べて表示させることによって、“糸電話”をテーマにした撮影画像を完成させて遊ぶ。
【０００８】
しかしながら、つなぎプリを構成する画像が表示された携帯型電話機を並べて遊ぶ利用者は、つなぎプリについて相当な知識を有する利用者であり、多くの利用者はこのようにして遊ぶ方法を知らない。
【０００９】
また、つなぎプリを構成する画像のうち、利用者が所有する画像と対となる他方の画像を、利用者と携帯型電話機を並べて遊ぶ友人が所有しているとは限らない。さらに、つなぎプリに関する知識が無い利用者には、受信した画像がつなぎプリを構成する画像であることを認識することができなかった。
【００１０】
このような状況においては、つなぎプリという新しい遊びの要素を有効に活用することができず、結果として利用者に新たな楽しみを提供する機会を逸することになってしまう。すなわち、つなぎプリを構成する画像を利用者の携帯型電話機に送信しても、利用者は、写真シールに印刷された画像と同じように、十分に楽しむことができない恐れがあった。
【００１１】
さらに、写真シール機において撮影された撮影画像が、利用者の携帯型電話機に送信される場合、撮影画像は、一旦、写真シール機からサーバに送信されて記録され、サーバから利用者が所有する携帯型電話機に送信される。
【００１２】
撮影した撮影画像を利用者の携帯型電話機に送信させるには、利用者は、写真シール機を操作し、撮影した撮影画像の送信先として利用者の携帯型電話機の電子メールアドレスを入力する必要があるが、入力ミスなどにより、正しく電子メールアドレスが入力されなかった場合には、利用者の携帯型電話機は撮影画像を受信することができなくなってしまう。そのような場合、利用者は、撮影画像を携帯型電話機に表示させて閲覧することができず、折角撮影した撮影画像を楽しむことができなくなってしまう恐れがあった。
【００１３】
本発明は、このような状況に鑑みてなされたものであり、利用者の満足度を向上させることができるようにするものである。
【課題を解決するための手段】
【００１４】
本発明の第１の側面は、写真シール作成ゲームとして、利用者に、前記利用者を被写体とする撮影作業、および前記撮影作業により得られた前記利用者の画像に対して編集情報を入力する編集入力作業を行わせ、さらに、得られた編集済みの前記利用者の画像を所定のシールシートに印刷し、印刷された前記シールシートを排出し、写真シールとして前記利用者に提供する写真シール作成装置、前記写真シール作成装置において作成された編集済みの前記利用者の画像を、前記利用者が所有する第１の携帯型電話機に提供する画像提供装置、および前記第１の携帯型電話機を含む写真シール提供システムであって、前記画像提供装置は、１枚の画像として表示されるように、複数の画像が連結された連結画像であって、前記写真シール作成装置において作成された編集済みの前記利用者の画像である連結画像を記録する記録手段と、前記連結画像を構成する第１の画像を特定する第１の情報と、前記連結画像を構成する第２の画像の前記第１の携帯型電話機とは異なる第２の携帯型電話機への送信の指示を示す第２の情報とが含まれる第１のデータを生成する生成手段と、前記第１のデータを前記第１の携帯型電話機に送信する第１の送信手段と、前記第１の携帯型電話機から送信されてきた前記第１の情報または前記第２の情報を受信する第１の受信手段とを備え、前記生成手段は、前記第１の携帯型電話機から前記第２の情報を受信した場合、前記第２の画像を特定する第３の情報が含まれる第２のデータを生成し、前記第１の送信手段は、前記第１の情報が受信された場合、前記第１の画像を前記第１の携帯型電話機に送信し、前記第２の情報が受信された場合、生成された前記第２のデータを前記第２の携帯型電話機に送信し、前記第１の携帯型電話機は、前記第１のデータを受信する第２の受信手段と、前記利用者の操作に応じて、前記第１のデータに含まれる前記第１の情報または前記第２の情報を選択する選択手段と、選択された前記第１の情報または前記第２の情報を前記画像提供装置に送信する第２の送信手段と、を備え、前記第２の受信手段は、さらに、前記画像提供装置から送信されてきた前記第１の画像を受信する写真シール提供システムである。
【００１５】
本発明の第１の側面においては、前記画像提供装置では、１枚の画像として表示されるように、複数の画像が連結された連結画像であって、前記写真シール作成装置において作成された編集済みの前記利用者の画像である連結画像が記録され、前記連結画像を構成する第１の画像を特定する第１の情報と、前記連結画像を構成する第２の画像の前記第１の携帯型電話機とは異なる第２の携帯型電話機への送信の指示を示す第２の情報とが含まれる第１のデータが生成され、前記第１のデータが前記第１の携帯型電話機に送信され、前記第１の携帯型電話機から送信されてきた前記第１の情報または前記第２の情報が受信される。そして、前記第１の情報が受信された場合、前記第１の画像が前記第１の携帯型電話機に送信され、前記第１の携帯型電話機から前記第２の情報が受信された場合、前記第２の画像を特定する第３の情報が含まれる第２のデータが生成され、生成された前記第２のデータが前記第２の携帯型電話機に送信される。また、前記第１の携帯型電話機では、前記第１のデータが受信され、前記利用者の操作に応じて、前記第１のデータに含まれる前記第１の情報または前記第２の情報が選択され、選択された前記第１の情報または前記第２の情報が前記画像提供装置に送信され、さらに、前記画像提供装置から送信されてきた前記第１の画像が受信される。
【００１６】
したがって、写真シール提供システムは、連結画像を構成する画像を、利用者が所有する携帯型電話機とは異なる他の携帯型電話機に送信させることができる。これにより利用者はより多くの友人と連結画像を表示させて楽しむことができ、利用者の満足度を向上させることができる。
【００１７】
この画像提供装置の記録手段は、例えば、画像保管部により構成され、生成手段は、例えば、生成部により構成され、第１の送信手段は、例えば、送信部により構成され、第１の受信手段は、例えば、受信部により構成される。また、第１の携帯型電話機の第２の受信手段は、例えば、受信部により構成され、選択手段は、例えば、画像処理部により構成され、第２の送信手段は、例えば、送信手段により構成される。
【００１８】
本発明の第２の側面は、利用者を被写体とする画像が印刷されたシールシートを写真シールとして前記利用者に提供する写真シール作成装置において作成された、前記利用者の画像を提供する画像提供装置から送信されてくる画像を受信する、前記利用者が所有する携帯型電話機であって、１枚の画像として表示されるように、複数の画像が連結された連結画像であって、前記写真シール作成装置において作成された編集済みの前記利用者の画像である連結画像を構成する第１の画像を特定する第１の情報と、前記連結画像を構成する第２の画像の前記携帯型電話機とは異なる他の携帯型電話機への送信の指示を示す第２の情報とが含まれるデータを受信する受信手段と、前記利用者の操作に応じて、前記データに含まれる前記第１の情報または前記第２の情報を選択する選択手段と、選択された前記第１の情報または前記第２の情報を前記画像提供装置に送信する送信手段とを備え、前記受信手段は、前記第１の情報を受信した前記画像提供装置から送信されてきた前記第１の画像をさらに受信する携帯型電話機である。
【００１９】
本発明の第２の側面の携帯型電話機においては、前記写真シール作成装置において作成された編集済みの前記利用者の画像である連結画像を構成する第１の画像を特定する第１の情報と、前記連結画像を構成する第２の画像の前記携帯型電話機とは異なる他の携帯型電話機への送信の指示を示す第２の情報とが含まれるデータが受信され、前記利用者の操作に応じて、前記データに含まれる前記第１の情報または前記第２の情報が選択され、選択された前記第１の情報または前記第２の情報が前記画像提供装置に送信され、前記第１の情報を受信した前記画像提供装置から送信されてきた前記第１の画像がさらに受信される。
【００２０】
したがって、携帯型電話機は、連結画像を構成する画像を、利用者が所有する携帯型電話機とは異なる他の携帯型電話機に送信させることができる。これにより利用者はより多くの友人と連結画像を表示させて楽しむことができ、利用者の満足度を向上させることができる。
【００２１】
この携帯型電話機の受信手段は、例えば、受信部により構成され、選択手段は、例えば、画像処理部により構成され、送信手段は、例えば、送信手段により構成される。
【００２２】
前記選択手段は、前記利用者の操作に応じて、複数の前記第２の画像のうちの１つの第２の画像の前記他の携帯型電話機への送信の指示を示す第２の情報を選択するようにすることができる。
【００２３】
これにより、利用者は、複数の画像のうちの所望する画像を、利用者の友人が所有する他の携帯型電話機に送信する画像として選択することができる。
【００２４】
前記データには、前記第２の画像のサムネイル画像を特定する第３の情報がさらに含まれるようにし、前記選択手段は、前記データに含まれている前記第３の情報を選択するようにすることができる。
【００２５】
これにより、利用者は、第３の情報により特定されるサムネイル画像を表示させて、利用者の友人が所有する他の携帯型電話機に送信する画像を予め確認することができる。
【００２６】
前記送信手段は、さらに前記第２の画像の送信先としての前記他の携帯型電話機の電子メールアドレスを前記画像提供装置に送信するようにすることができる。
【００２７】
これにより、画像提供装置に、送信した他の携帯型電話機の電子メールアドレス宛に、画像を特定する情報が含まれた電子メールを送信させることができる。したがって、他の携帯型電話機では、その情報を選択することにより、画像を受信して表示させることができ、利用者はより多くの友人と連結画像を表示させて楽しむことができる。
【００２８】
携帯型電話機には、前記第１の画像を表示する表示手段をさらに設けることができる。
【００２９】
この表示手段は、例えば、LCD（Liquid Crystal Display）などからなる表示部から構成される。このように表示手段を設けることにより、携帯型電話機は、前記画像提供装置から受信した前記第１の画像を表示させることができる。
【００３０】
携帯型電話機には、前記データに基づいて、前記第１の画像を前記携帯型電話機に送信させる旨のメッセージ、および前記第２の画像を前記他の携帯型電話機に送信させる旨のメッセージが表示された画面を表示する表示手段をさらに設けることができる。
【００３１】
この表示手段は、例えば、LCDなどからなる表示部から構成される。このように表示手段を設けることにより、携帯型電話機を操作する利用者は、表示手段に表示されたメッセージを見ながら、前記第１の画像を前記携帯型電話機に送信させるか、または前記第２の画像を前記他の携帯型電話機に送信させる処理を選択することができる。
【００３２】
本発明の第２の側面は、利用者を被写体とする画像が印刷されたシールシートを写真シールとして前記利用者に提供する写真シール作成装置において作成された、前記利用者の画像を提供する画像提供装置から送信されてくる画像を受信する、前記利用者が所有する携帯型電話機の画像受信方法であって、１枚の画像として表示されるように、複数の画像が連結された連結画像であって、前記写真シール作成装置において作成された編集済みの前記利用者の画像である連結画像を構成する第１の画像を特定する第１の情報と、前記連結画像を構成する第２の画像の前記携帯型電話機とは異なる他の携帯型電話機への送信の指示を示す第２の情報とが含まれるデータを受信し、前記利用者の操作に応じて、前記データに含まれる前記第１の情報または前記第２の情報を選択し、選択された前記第１の情報または前記第２の情報を前記画像提供装置に送信し、前記第１の情報を受信した前記画像提供装置から送信されてきた前記第１の画像を受信するステップを含む画像受信方法である。
【００３３】
本発明の第２の側面の画像受信方法においては、１枚の画像として表示されるように、複数の画像が連結された連結画像であって、前記写真シール作成装置において作成された編集済みの前記利用者の画像である連結画像を構成する第１の画像を特定する第１の情報と、前記連結画像を構成する第２の画像の前記携帯型電話機とは異なる他の携帯型電話機への送信の指示を示す第２の情報とが含まれるデータが受信され、前記利用者の操作に応じて、前記データに含まれる前記第１の情報または前記第２の情報が選択され、選択された前記第１の情報または前記第２の情報が前記画像提供装置に送信され、前記第１の情報を受信した前記画像提供装置から送信されてきた前記第１の画像が受信される。
【００３４】
本発明の第２の側面は、利用者を被写体とする画像が印刷されたシールシートを写真シールとして前記利用者に提供する写真シール作成装置において作成された、前記利用者の画像を提供する画像提供装置から送信されてくる画像を受信する受信処理を、前記利用者が所有する携帯型電話機に実行させるプログラムであって、１枚の画像として表示されるように、複数の画像が連結された連結画像であって、前記写真シール作成装置において作成された編集済みの前記利用者の画像である連結画像を構成する第１の画像を特定する第１の情報と、前記連結画像を構成する第２の画像の前記携帯型電話機とは異なる他の携帯型電話機への送信の指示を示す第２の情報とが含まれるデータを受信し、前記利用者の操作に応じて、前記データに含まれる前記第１の情報または前記第２の情報を選択し、選択された前記第１の情報または前記第２の情報を前記画像提供装置に送信し、前記第１の情報を受信した前記画像提供装置から送信されてきた前記第１の画像を受信するステップを含むプログラムである。
【００３５】
このプログラムは、所定の記録媒体に記録されて、例えば、ドライブにより読み出され、携帯型電話機にインストールされる。記録媒体は、フロッピ（登録商標）ディスクなどよりなる磁気ディスク、CD-ROM(Compact Disk Read Only Memory)、DVD-ROM(Digital Versatile Disk)などよりなる光ディスク、MD(Mini Disk)（登録商標）などよりなる光磁気ディスク、または半導体メモリなどのリムーバブルメディアにより構成される。
【発明の効果】
【００３６】
本発明の第１の側面によれば、画像を受信することができる。また、本発明の第１の側面によれば、利用者の満足度を向上させることができる。
【００３７】
本発明の第２の側面によれば、画像を受信することができる。また、本発明の第２の側面によれば、利用者の満足度を向上させることができる。
【発明を実施するための最良の形態】
【００３８】
以下、本発明を適用した具体的な実施の形態について、図面を参照しながら詳細に説明する。
【００３９】
図１は、本発明を適用した写真シール提供システムの一実施の形態の例を示す図である。
【００４０】
図１に示される写真シール提供システム１は、撮影や編集等の作業の娯楽性を高め、それらの作業を利用者にゲーム（遊戯サービス）として行わせ、その撮影・編集した画像を、写真シールやデータとして利用者に提供する代わりに、利用者より代金を受け取る遊戯用システムであり、画像提供装置として動作し、利用者が作成した画像を利用者にデータとして提供するサービスを行うサーバ２、利用者が撮影や編集等を行う写真シール作成装置３、写真シール作成装置３とサーバ２とが接続されるネットワーク４、ネットワーク４に接続され、サーバ２から送信されてくる利用者の画像を受信する携帯型電話機５−１乃至携帯型電話機５−３を有している。
【００４１】
サーバ２は、写真シール作成装置３において作成（撮影および編集）され、その写真シール作成装置３よりネットワーク４を介して供給される画像データを取得し保存する。その画像データの作成作業（撮影や編集）を行った利用者が、自分自身の携帯型電話機５−１、携帯型電話機５−２、または携帯型電話機５−３を用いて、ネットワーク４を介してサーバ２にアクセスすると、サーバ２は、要求された画像データを読み出し、要求元の携帯型電話機５−１、携帯型電話機５−２、または携帯型電話機５−３の表示部（表示領域）のサイズに応じて画像を編集し、その編集後の画像を、要求元の携帯型電話機５−１、携帯型電話機５−２、または携帯型電話機５−３に、ネットワーク４を介して提供する。
【００４２】
写真シール作成装置３は、利用者に写真シールを作成する写真シール作成ゲームをプレイさせ、成果物として写真シールを提供する。つまり、この、写真シール作成装置３は、ゲーム装置（遊戯サービス提供装置）であり、通常、ゲームセンタや観光地等の店舗等に設置される。利用者（主に複数人のグループである場合が多い）は、その写真シール作成ゲームにおいて、硬貨投入後に筐体内に設置されたCCD（Charge Coupled Device）カメラで利用者自身を撮影し、記録された利用者の画像を液晶パネル上で付属のペン等を用いて所定または任意の文字や図形等を書き込んで編集を行い、個性的な画像を作成してシール紙に分割印刷させる。このように作成され利用者に提供されたシール紙は、例えば、利用者によって、利用者の友人や知人と交換したり、手帳に貼り付けてアルバムのようにしたり、ポストカードに貼り付けたりされる。
【００４３】
さらに、写真シール作成装置３は、作成された画像および関連情報を画像データとして、ネットワーク４を介してサーバ２に送信（アップロード）する。
【００４４】
ネットワーク４は、例えば、インターネット、LAN（Local Area Network）、WAN（Wide Area Network）、または公衆回線網等に代表される、有線または無線からなる、１つまたは複数のネットワークにより構成される。
【００４５】
携帯型電話機５−１乃至携帯型電話機５−３は、例えば、写真シール作成装置３において写真シール作成ゲームを行った利用者の所有する電話機である。携帯型電話機５−１乃至携帯型電話機５−３は、それぞれ、図示せぬ基地局と無線通信を行うことにより、他の電話機と通話通信を行ったり、他の情報処理装置（例えばサーバ２）とパケット通信（通信データの授受）を行ったりすることができる。なお、図１において、携帯型電話機５−１乃至携帯型電話機５−３が、ネットワーク４に接続されているように示されているが、これは、携帯型電話機５−１乃至携帯型電話機５−３が、ネットワーク４に接続される基地局との無線通信を確立し、ネットワーク４に接続されている状態（ネットワーク４を介して通信を行うことができる状態）にあることを示している。また、以下において、携帯型電話機５−１乃至携帯型電話機５−３を互いに区別して説明する必要の無い場合、携帯型電話機５と称する。
【００４６】
なお、図１においては、サーバ２には１つの写真シール作成装置３が接続されているが、サーバ２に複数の写真シール作成装置３が接続されるようにしてもよい。すなわち、サーバ２は、複数の写真シール作成装置３に対応することができ、複数の写真シール作成装置３より供給される画像データを取得し、保存することができる。また、ネットワーク４の数も制限は無く、サーバ２が接続されるネットワーク４の数は、１つであっても複数であってもよい。つまり、例えば、サーバ２が、複数の異なるネットワーク４のそれぞれを介して、複数の写真シール作成装置３のそれぞれに接続されるようにしてもよい。
【００４７】
また、携帯型電話機５についても同様であり、設備の都合を考慮しなければ、ネットワーク４に対して携帯型電話機５が何台接続されるようにしてもよい。
【００４８】
このような写真シール提供システム１において、サーバ２は、上述したように、写真シール作成装置３において作成された画像を、画像データとして、利用者の携帯型電話機５に供給（ダウンロード）し、表示させる。つまり、写真シール作成装置３において写真シールを作成した利用者は、写真シール作成装置３においてプレイした写真シール作成ゲームの成果物として、写真シール作成装置３より写真シールを得るだけでなく、サーバ２よりその撮影画像（落書き編集等が行われた画像）を携帯型電話機５にダウンロードして表示させることができる。
【００４９】
また、写真シール作成装置３の利用者は、自分が所有している携帯型電話機５を操作することによって、サーバ２に、撮影画像（つなぎプリ）を構成する複数の画像のうちの利用者が所有していない画像を、友人が所有する携帯型電話機５に送信させることができる。
【００５０】
例えば、携帯型電話機５−１を所有する利用者Ａおよび携帯型電話機５−２を所有する利用者Ｂが、写真シール作成装置３において、画像Ａおよび画像Ｂから構成されるつなぎプリを撮影し、画像Ａおよび画像Ｂが写真シール作成装置３からネットワーク４を介してサーバ２に供給され、さらに、サーバ２からネットワーク４を介して携帯型電話機５−１および携帯型電話機５−２に、それぞれ画像Ａおよび画像Ｂが送信されたとする。この場合、画像Ａおよび画像Ｂは、それぞれ携帯型電話機５−１および携帯型電話機５−２に送信されるので、画像Ａおよび画像Ｂの所有者は、それぞれ利用者Ａおよび利用者Ｂとなる。
【００５１】
このとき、利用者Ａは、携帯型電話機５−１を操作して、自分が所有する画像Ａと対になる画像Ｂの、サーバ２から利用者Ａの友人が所有する携帯型電話機５−３への送信を指示することができる。そしてサーバ２は、その指示に応じて記録している画像Ｂをネットワーク４を介して携帯型電話機５−３に送信する。
【００５２】
このように、利用者Ａが携帯型電話機５−１を操作して、つなぎプリを構成する画像のうち、自分が所有する画像Ａと対になる画像Ｂを友人に送信させることにより、利用者Ａは、自分の所有する画像Ａが表示された携帯型電話機５−１と、画像Ｂが表示された利用者Ｂが所有する携帯型電話機５−２または友人が所有する携帯型電話機５−３とを並べてつなぎプリを完成させ、楽しむことができる。
【００５３】
以上のように、写真シール提供システム１は、写真シール作成装置３において、単純に、作成した写真シールを提供する以外に、サーバ２から撮影画像を画像データとして、利用者の携帯型電話機５に提供することができるので、利用者の満足度をより向上させることができ、繰り返し写真シール作成ゲームをプレイする、所謂リピータ率を増加させることができ、収益率の向上を期待することができる。
【００５４】
図２は、写真シール作成装置３の外観構成例を示す斜視図である。
【００５５】
図２の写真シール作成装置３の筐体１０は、複数のユニット等により構成されており、第１ユニット１１と第２ユニット１２が、所定の距離をおいて、フレーム１４Ａ、フレーム１４Ｂ並びに床部１３により接続されるように構成されている。
【００５６】
図２に示されるように、直方体の形状の第１ユニット１１の、地上面（床部１３の上面）に対して垂直な４側面の内、第２ユニット１２に対向する面を正面１１−１と称し、その正面１１−１の右側に隣接する側面を右側面１１−２と称し、正面１１−１に対向する側面を背面１１−３と称し、正面１１−１の左側に隣接する側面（右側面１１−２に対向する側面）を左側面１１−４と称する。各面の構成については後述する。
【００５７】
第１ユニット１１と第２ユニット１２は、図２に示されるように、それらの左右上部において、フレーム１４Ａとフレーム１４Ｂにより所定の距離を保つように連結されている。また、第１ユニット１１と第２ユニット１２は、その下部において、床部１３により一定の距離を保つように連結されている。床部１３は、利用者が第１ユニット１１と第２ユニット１２との間において後述するように撮影を行う場合の床（撮影空間の床）となる部材である。また、床部１３には、例えば、第１ユニット１１と第２ユニット１２を電気的に接続するケーブル等が格納される。
【００５８】
なお、第１ユニット１１と第２ユニット１２の形状は直方体でなくても勿論よい。また、第１ユニット１１と第２ユニット１２とが１つのユニット（１個の筺体）として構成されるようにしても勿論よい。
【００５９】
図３は、写真シール作成装置３の設置例を示す外観図である。
【００６０】
図３において、第１ユニット１１と第２ユニット１２の上部には、第１ユニット１１と第２ユニット１２との間の（床部１３上の空間）空間である撮影空間の閉鎖性を向上させるために、図２の場合に加えて、フレーム１４Ａとフレーム１４Ｂの上に天井部２１が覆うように設けられており、フレーム１４Ａおよびフレーム１４Ｂとともに天井部２１によって第１ユニット１１と第２ユニット１２が連結されている。なお、天井部２１の左右（撮影空間の出入り口となる側面）からは、さらに閉鎖性を向上させ、環境の安定した撮影空間を形成することができるだけでなく、撮影空間の外部に位置する人物から撮影の様子を閲覧されることを抑制するために、カーテン２３が吊設されている。
【００６１】
第１ユニット１１の背面１１−３側の上部には、コの字型のカーテンフレーム２２が設けられている。この背面１１−３の前面近傍には、後述するように編集空間が設けられるが、その編集空間を囲むように、カーテン２３−１乃至カーテン２３−４が設けられている。これにより、編集空間の外に位置する他人により編集作業内容がのぞき見されることを抑制することができる。
【００６２】
図４は、写真シール作成装置３の第１ユニット１１の正面１１−１の構成例を示す図である。
【００６３】
正面１１−１には、例えば、照明部３１Ａ、照明部３１Ｂ、照明部３１Ｃ、撮影ユニット３２、CCDカメラ３３、取り込み画像表示用モニタ３４、撮影用モニタ３５、音声出力部３６Ａ、音声出力部３６Ｂ、および硬貨投入排出口３７等の、撮影処理に関する機能が設けられている。
【００６４】
照明部３１Ａ乃至照明部３１Ｃは、ストロボ発光可能な照明装置により構成され、CCDカメラ３３による利用者の撮影時に所定のタイミングでストロボ発光し、撮影を行う利用者に光を照射する。なお、照明部３１の数は、照明部３１Ａ乃至照明部３１Ｃの３個に限らず、１個または２個であっても４個以上であっても良い。また、各照明部の発光タイミングは互いに同時でなくてもよい。なお、以下において、照明部３１Ａ乃至照明部３１Ｃのそれぞれを個々に区別する必要のない場合、照明部３１と称する。
【００６５】
正面１１−１の略中央には、利用者を撮影するための撮影ユニット３２が設けられている。撮影ユニット３２には、CCDカメラ３３と取り込み画像表示用モニタ３４が設けられている。
【００６６】
CCDカメラ３３は、利用者を撮影し、画像を得るためのCCDを利用した撮影素子等により構成される。なお、CCDカメラ３３の代わりに、例えばCMOS（Complementary Metal Oxide Semiconductor）センサカメラを用いるようにしてもよい。さらに、利用者を撮影し、デジタル画像データを得られるものであればどのようなものであってもよい。
【００６７】
CCDカメラ３３近傍の、図中下側にある取り込み画像表示用モニタ３４は、CRT（Cathode Ray Tube）ディスプレイやLCD（Liquid Crystal Display）により構成される。取り込み画像表示用モニタ３４には、CCDカメラ３３により撮像された利用者のライブビュー画像（取り込み動画像）を表示する。ライブビュー画像についての具体的な説明は後述する。このCCDカメラ３３近傍に設けられた取り込み画像表示用モニタ３４に表示される画像により利用者は、撮影直前の自分自身の画像を、CCDカメラ３３より大幅に視線をずらすことなく確認することができる。
【００６８】
撮影用モニタ３５は、CRTディスプレイやLCDにより構成され、撮影作業の設定を行う画面や設定内容の確認画面等が表示されるモニタである。なお、後述するように、撮影用モニタ３５の表示面には無色透明の感圧式のタッチパネルが重畳されており、利用者は画面上を指等によりタップ（接触）することにより、撮影用モニタ３５に表示されているGUI（Graphical User Interface）画面を操作することができる。なお、上述の感圧式のタッチパネルの代わりに、電磁誘導式のタッチペンおよびタッチパネルを用いるようにしても良いし、撮影用モニタ３５の近傍等に、スイッチ等の入力デバイスを撮影用モニタ３５とは別に設けるようにしてもよい。勿論それ以外の入力デバイスを用いるようにしてもよい。
【００６９】
音声出力部３６Ａおよび音声出力部３６Ｂは、スピーカにより構成され、左右２チャンネル（互いに異なるチャンネル）の音声（例えば、撮影作業案内用音声やBGM（Back Ground Music））を出力する。以下において、音声出力部３６Ａおよび音声出力部３６Ｂを区別して説明する必要の無い場合、それらをまとめて音声出力部３６と称する。硬貨投入排出口３７は、硬貨を投入する投入口と、硬貨が排出される排出口を有している。利用者は、この硬貨投入排出口３７の投入口に、予め定められた所定の料金の硬貨を投入することにより、写真シール作成ゲーム（撮影作業や編集作業等の、写真シールを写真シール作成装置３より提供されるまでの一連の作業）のプレイを開始する。なお、この硬貨投入排出口３７は、正面１１−１以外の面に設けるようにしても勿論よい。
【００７０】
図５は、第１ユニット１１の右側面１１−２の構成例を示す図である。
【００７１】
図５において、右側面１１−２には、事後接客ユニット４０が設けられている。事後接客ユニット４０には、事後接客用モニタ４１、音声出力部４２−１、および音声出力部４２−２が設けられている。事後接客用モニタ４１は、その表示面に無色透明の感圧式等のタッチパネルが重畳されており、ゲームや付加サービスに対する個人設定等の入力に関するGUI画像を表示し、それに対する入力を受け付ける。音声出力部４２−１および音声出力部４２−２は、スピーカにより構成され、左右２チャンネル（互いに異なるチャンネル）の音声（例えば、事後接客用音声やBGM）を出力する。以下において、音声出力部４２−１および音声出力部４２−２を区別して説明する必要の無い場合、それらをまとめて音声出力部４２と称する。
【００７２】
このような事後接客ユニット４０を設けることにより、編集作業を終了し、印刷処理が終了してシールシートが排出されるまでの間待機する利用者は、この事後接客ユニット４０による事後接客処理（ゲームやアクセス先通知等の追加サービス等）によって、退屈せずに時間を過ごすことができる。これにより利用者の満足度が向上する。また、その利用者の満足度の向上が集客数の上昇に繋がることが期待できるので、店舗側としては収益性の向上を見込むことができる。
【００７３】
右側面１１−２の事後接客ユニット４０の下には、メンテナンス用ドア部４３が設けられている。メンテナンス用ドア部４３は、蝶番４４−１および蝶番４４−２を軸として回転するように開閉する。メンテナンス用ドア部４３には、またドアノブ４５も設けられている。メンテナンス用ドア部４３には、さらに、シール紙排出口４６が設けられている。シール紙排出口４６には、内部のプリンタ（図示せず）で印刷された後排出されたシール紙がシール紙排出口４６より飛び出さないようにする止め部４７も設けられている。
【００７４】
図６は、写真シール作成装置３の第１ユニット１１の背面１１−３の構成例を示す図である。
【００７５】
図６において、背面１１−３には、利用者が編集作業を行う際に利用するアイテムがまとめられた編集ユニット５１−１および編集ユニット５１−２が設置されている。編集ユニット５１−１は、編集入力用モニタ５２−１、２本のタッチペン５３−１およびタッチペン５３−２、並びに、２つの音声出力部５４−１および音声出力部５４−２を有している。編集ユニット５１−２も、編集ユニット５１−１の場合と同様に、編集入力用モニタ５２−２、２本のタッチペン５３−３およびタッチペン５３−４、並びに、２つの音声出力部５４−３および音声出力部５４−４を有している。
【００７６】
以下において、編集ユニット５１−１および編集ユニット５１−２を互いに区別して説明する必要の無い場合、それらをまとめて編集ユニット５１と称する。
【００７７】
編集入力用モニタ５２−１は、CRTディスプレイやLCDにより構成され、撮影空間における撮影作業により得られた撮影画像を編集するためのGUI画像である編集画面等を表示する。この編集入力用モニタ５２−１の画面上には無色透明のタッチパネル（例えば電磁誘導式）が重畳されている。また、この編集入力用モニタ５２−１の左右近傍には、このタッチパネルに対応するタッチペン５３−１とタッチペン５３−２が左右１本ずつ所定のアタッチメントにより編集ユニット５１−１に対して着脱可能に固定されている。編集入力用モニタ５２−１は、例えば、複数の利用者が同時に編集作業を行うことができるように、２つの編集画面が並べられた画像を表示させる。その場合の各編集画面は、利用者が混乱しないように、それぞれ、タッチペン５３−１とタッチペン５３−２の内、互いに異なる方に対応するようになされており、基本的に、対応しない他方のタッチペンでは編集作業を行うことができないようになされている。
【００７８】
編集入力用モニタ５２−２も、編集入力用モニタ５２−１の場合と同様であり、CRTディスプレイやLCDにより構成され、画面上には無色透明のタッチパネル（例えば電磁誘導式）が重畳されている。また、この編集入力用モニタ５２−２の左右近傍には、このタッチパネルに対応するタッチペン５３−３とタッチペン５３−４が左右１本ずつ所定のアタッチメントにより編集ユニット５１−２に対して着脱可能に固定されている。
【００７９】
以下において、編集入力用モニタ５２−１および編集入力用モニタ５２−２を互いに区別して説明する必要の無い場合、それらをまとめて編集入力用モニタ５２と称する。
【００８０】
タッチペン５３−１およびタッチペン５３−２は、編集ユニット５１−１と有線（または無線）により（電気的に）接続されている。タッチペン５３−１およびタッチペン５３−２は、編集入力用モニタ５２−１の画面上のタッチパネル（例えば電磁誘導式）と連携して動作する。利用者がこれらのタッチペン５３−１およびタッチペン５３−２を操作して、このタッチパネルをタップする（タッチペン５３−１およびタッチペン５３−２とタッチパネルを接触（または近接）させる）ことにより、これらは、利用者からの入力を受け付ける入力手段として動作する。なお、タッチペン５３−１およびタッチペン５３−２からは、後述するように、例えばタッチパネルを介して互いに異なる信号が入力される。これにより写真シール作成装置３は、タッチペン５３−１およびタッチペン５３−２のそれぞれについて、タッチパネルのどこにタップされたかを識別することができる。つまり、写真シール作成装置３は、タッチペン５３−１およびタッチペン５３−２がタップされた位置の位置情報だけでなく、タッチペン５３−１およびタッチペン５３−２の識別情報も取得することができる。
【００８１】
タッチペン５３−３およびタッチペン５３−４も、タッチペン５３−１およびタッチペン５３−２の場合と同様に、編集ユニット５１−２と有線（または無線）により（電気的に）接続されている。タッチペン５３−３およびタッチペン５３−４は、編集入力用モニタ５２−２の画面上のタッチパネル（例えば電磁誘導式）と連携して動作する。つまり、利用者が操作してこのタッチパネルをタップすることにより、これらのタッチペン５３−３およびタッチペン５３−４も、タッチペン５３−１およびタッチペン５３−２の場合と同様に、利用者からの入力を受け付ける入力手段として動作する。なお、タッチペン５３−３およびタッチペン５３−４も、タッチペン５３−１およびタッチペン５３−２の場合と同様に、互いを識別可能にするために、例えばタッチパネルを介して互いに異なる信号を入力する。
【００８２】
以下において、タッチペン５３−１乃至タッチペン５３−４を互いに区別して説明する必要の無い場合、それらをまとめてタッチペン５３と称する。
【００８３】
また、編集入力用モニタ５２−１の下側近傍には、左右に並ぶように、音声出力部５４−１および音声出力部５４−２が設けられている。音声出力部５４−１および音声出力部５４−２は、それぞれスピーカにより構成され、左右２チャンネル（互いに異なるチャンネル）の音声（例えば、編集作業案内用音声やBGM）を出力する。
【００８４】
音声出力部５４−３および音声出力部５４−４も、音声出力部５４−１および音声出力部５４−２の場合と同様に、編集入力用モニタ５２−２の下側近傍に、左右に並ぶように設けられている。この音声出力部５４−３および音声出力部５４−４は、それぞれスピーカにより構成され、左右２チャンネル（互いに異なるチャンネル）の音声（例えば、編集作業案内用音声やBGM）を出力する。
【００８５】
以下において、音声出力部５４−１乃至音声出力部５４−４を互いに区別して説明する必要の無い場合、それらをまとめて音声出力部５４と称する。
【００８６】
図７は、ゲーム中に利用者が、写真シール作成装置３が有する空間を移動する様子について説明する図である。
【００８７】
図７に示されるように、写真シール作成装置３は、撮影空間６１、編集空間６２、および事後接客空間６３を有する。
【００８８】
撮影空間６１は、利用者が、CCDカメラ３３を用いて、自分自身を撮影する撮影作業を行う空間である。編集空間６２は、撮影空間６１において撮影作業を行った利用者が、背面１１−３に設置されている編集ユニット５１を利用して、撮影画像に対する落書き編集入力作業を行うための空間である。事後接客空間６３は、第１ユニット１１の右側面１１−２近傍の空間であり、編集空間６２において落書き編集作業を行った利用者が、写真シールの印刷が完了するまでの間に行われる事後接客に対する作業を行うための空間である。例えば、利用者の暇つぶしのためのミニゲームや、サーバ２にアップロードする撮影画像を選択したり、その撮影画像をダウンロードするためのアクセス先の情報を通知する電子メールの送信先の情報（例えば携帯型電話機５の電子メールアドレス）を入力したりする作業が行われる。なお、図３においては、カーテン等を用いて事後接客空間６３とその外部を仕切るようにしてはいないが、編集空間６２のように、この事後接客空間６３がその外部とカーテン等により（簡易的に）仕切られるようにしてももちろんよい。
【００８９】
次に、この図７を参照して、利用者が案内される様子（写真シール作成装置３の接客方法）を説明する。
【００９０】
上述したように、１つのゲームは、大きく分けて、利用者を撮影する撮影作業、撮影作業により得られた利用者の画像を編集する編集作業、および編集作業により編集した利用者の画像をシール紙に印刷する印刷作業（その待ち時間に行う事後接客も含む）の３つの行程により構成される。
【００９１】
まず、１組目の２人の利用者（Ａ０およびＢ０）は、順番が回ってくると、案内に従うなどして撮影空間６１に入場し、ゲームを開始し、撮影ユニット３２（CCDカメラ３３）を利用して自分自身の撮影を行う（Ａ１およびＢ１）。撮影作業が終了すると、この写真シール作成装置３は、撮影空間６１の利用者（Ａ１およびＢ１）に対して編集空間６２への移動案内の画像を表示したり、移動を促すメッセージを音声出力したりする。利用者はその案内に従い、撮影空間６１から退出して編集空間６２に移動する。編集空間６２に入場した利用者（Ａ２およびＢ２）は、編集ユニット５１を利用して撮影画像に対する編集作業を行う。そして、編集作業が終了すると、写真シール作成装置３は、編集空間６２の利用者（Ａ２およびＢ２）に対してシール紙排出口４６近傍（事後接客ユニット４０近傍）への移動案内（画像表示および音声出力による移動案内）を行う。利用者はその案内に従い、編集空間６２から退出して事後接客空間６３に移動する（Ａ３およびＢ３）。事後接客空間６３に移動した利用者（Ａ３およびＢ３）は、事後接客ユニット４０を操作してミニゲームや情報の入力等を行いながら、写真シール（画像が印刷されたシール紙）が排出されるまで待機する。写真シールが排出されると、利用者はその写真シールを受け取り、ゲームが終了する。
【００９２】
なお、１組目の利用者が撮影空間６１から退出して編集空間６２に移動すると、撮影空間６１が空くので、その時点で、次に順番待ちをしていた利用者（Ａ０およびＢ０）は、撮影空間６１に入場し、ゲームを開始することができる（Ａ１およびＢ１）。この２組目の利用者も、１組目の利用者と同様の手順で写真シール作成ゲームをプレイする。
【００９３】
このように、写真シール作成装置３においては、撮影空間６１と編集空間６２を用いて、２組の利用者がそれぞれ撮影作業と編集作業を同時に行うことができる（２組の利用者による２つのゲームを並行して進行させることができる）。つまり写真シール作成装置３は、最大２組の利用者を同時に接客することができる。このことを以下において“２重接客”と称する。なお、写真シール作成装置３は、正確には、事後接客空間６３の利用者も含めると３組の利用者を同時接客可能であるが、ここでは同時接客数に含めないことにして説明を続ける。
【００９４】
図８は、写真シール作成装置３の機能的構成例を示すブロック図である。なお、以上において説明した部分と同じ部分については、同じ番号を付し、その説明を省略する。
【００９５】
図８において、写真シール作成装置３は、バス１００を介して互いに接続された、制御部７１、制御情報記憶部７２、画像データ保持部７３、プレイ情報記憶部７４、利用者情報記憶部７５、硬貨部８１、撮影部８２、第１編集部８３Ａ、第２編集部８３Ｂ、印刷部８４、事後接客部８５、通信部８６、およびドライブ８７により構成される。
【００９６】
制御部７１は、写真シール作成装置３の装置全体を制御する処理部であり、ゲーム管理部９１、硬貨処理部９２、撮影処理部９３、編集処理部９４、印刷処理部９５、事後接客処理部９６、計時部９７、および管理部９８により構成される。
【００９７】
ゲーム管理部９１は、写真シールを作成し、利用者に提供するゲーム（写真シール作成ゲーム）の進行状況等の管理制御に関する処理を実行する。硬貨処理部９２は、利用者による硬貨投入に関する制御処理を行う。撮影処理部９３は、主に第１ユニット１１の正面１１−１に設けられた各部を制御し、ゲーム処理中の利用者の撮影作業に関する処理を実行する。編集処理部９４は、主に第１編集部８３Ａおよび第２編集部８３Ｂを制御し、ゲーム処理中の利用者の編集作業に関する処理を実行する。印刷処理部９５は、印刷部８４を制御する等して、写真シール作成ゲーム中の印刷作業に関する処理を制御する。事後接客処理部９６は、利用者が印刷終了まで待機している間に行うミニゲームや追加サービスに関する処理を実行する。計時部９７は、各部の要求に基づいて、あらゆる時刻情報を生成し、供給する等、時間制御に関する処理を行う。管理部９８は、主に通信部８６を制御し、写真シール作成ゲームがプレイされることにより作成された編集済み撮影画像の一部または全部を、サーバ２に送信（アップロード）するための処理を行う。
【００９８】
制御情報記憶部７２は、例えば、ハードディスクやフラッシュメモリ等により構成され、写真シール作成装置３全体を制御するプログラム（例えば、写真シール作成ゲームを実行するプログラム）やデータ等を記憶する。画像データ保持部７３は、例えば、ハードディスク、フラッシュメモリ、またはRAM（Random Access Memory）等により構成され、CCDカメラ３３により撮影されて得られた画像データを保持する。プレイ情報記憶部７４は、例えば、ハードディスク、フラッシュメモリ、またはRAM等により構成され、写真シール作成ゲームの実行中（プレイ中）に発生した各種の情報（例えば、利用者が設定した、画像の明るさやサイズ等に関する設定情報）をプレイ情報としてそのプレイ毎に記憶し、管理する。つまり、プレイ情報記憶部７４には、どのようなプレイが行われているかを示す情報（プレイ情報）と、各プレイにおいて必要な設定情報（プレイ情報ごとに管理される設定情報）が記憶される。利用者情報記憶部７５は、例えば、ハードディスク、フラッシュメモリ、またはRAM等により構成され、例えば、事後接客処理において利用者が入力した電子メールアドレス等の個人情報をセキュアに記憶する。
【００９９】
なお、これらの記憶部の一部または全部が１つの記憶媒体により構成されるようにしてももちろんよいし、上述した各記憶部のそれぞれが複数の記憶媒体により構成されるようにしてもよい。
【０１００】
硬貨部８１は、主に硬貨処理部９２に制御され、硬貨投入排出口３７における硬貨投入や硬貨排出等の処理を実行する。撮影部８２は、撮影ユニット３２を有し、主に撮影処理部９３に制御されて、CCDカメラ３３による撮影処理を行ったり、撮影により得られた画像データを表示したり、得られた画像データを、バス１００を介して画像データ保持部７３に供給したりする。第１編集部８３Ａは、編集ユニット５１−１を有し、主に編集処理部９４に制御されて、撮影により得られた画像データに対する編集入力に関する処理を行う。第２編集部８３Ｂの構成は、編集ユニット５１−２を有し、主に編集処理部９４に制御されて、撮影により得られた画像データに対する編集入力に関する処理を行う。
【０１０１】
以下において、第１編集部８３Ａおよび第２編集部８３Ｂを区別して説明する必要の無い場合、それらをまとめて編集部８３と称する。
【０１０２】
印刷部８４は、プリンタを有しており、主に印刷処理部９５等に制御され、所定のシール紙に、供給された編集済みの撮影画像等を含む印刷用データを印刷する処理等を行う。事後接客部８５は、事後接客ユニット４０を含み、主に事後接客処理部９６に制御され、シール紙の印刷中に待機している利用者に対してゲームや追加サービス等を提供する。通信部８６は、外部のネットワーク４に接続され、サーバ２や携帯型電話機５と通信処理を行う。ドライブ８７には、磁気ディスク（フレキシブルディスクを含む）、光ディスク（CD-ROM(Compact Disc-Read Only Memory)、DVD(Digital Versatile Disc)を含む）、光磁気ディスク、および、半導体メモリなどのリムーバブルメディア１０２が適宜装着され、それらから読み出されたコンピュータプログラムやデータが、必要に応じて制御情報記憶部７２に保存されたり、インストールされたりする。
【０１０３】
図９は、撮影処理部９３の詳細な構成例を示すブロック図である。
【０１０４】
撮影処理部９３は、撮影制御部１１１、連結パターン選択処理部１１２、連結撮影処理部１１３、通常撮影処理部１１４、およびキープ画像選択処理部１１５によって構成されている。
【０１０５】
撮影制御部１１１は、撮影処理部９３を構成する各部を制御し、写真シール作成ゲームの一連の処理の間、利用者自身を撮影する撮影作業に対する処理の進行を制御する。
【０１０６】
連結パターン選択処理部１１２は、撮影制御部１１１によって制御され、バス１００を介して撮影部８２を制御し、選択された各種の連結パターンに関する処理を実行する。ここでは、連結とは、複数の撮影画像が並べて表示されることである。この連結を行う場合、写真シール作成装置３は、各撮影画像データを１つにまとめる（つまり、それらの画像を合成し、１つの画像データを作成する）ようにしてもよいし、各撮影画像データはまとめず、それらを互いに関連付ける（配置パターンを定義する）情報を作成する（例えば、各データのヘッダにそのような情報を追加する、または各データの関連を定義する定義データを新たに作成する）ようにしてもよい。つまり、この連結された画像（連結画像）、すなわちつなぎプリは、表示される際に、連結されて１枚の画像として表示されるようになされていればよく、そのデータの形態はどのようなものであってもよい。
【０１０７】
また、連結パターンとは、連結される画像（つなぎプリを構成する画像）の枚数、各画像の大きさや形状、または各画像の並べ方（配置パターン）等の連結の仕方を定義するものである。なお、以下において、例えば２枚連結や３枚連結等のように、画像数のみによる連結パターンの識別を行い、さらに、単数（つまり非連結）も連結パターンの１つとしてみなしている場合もある。なお、連結モードによる撮影処理とは、繋ぎ合わせるための複数の画像（つなぎプリを構成する画像群）を撮影する処理をいう。
【０１０８】
例えば、連結パターン選択処理部１１２は、撮影用モニタ３５を介して連結パターン選択画像（利用者に連結パターン（撮影方法）を選択させるGUI画像）を表示し、その連結パターン選択画像を撮影制御部１１１に供給する。
【０１０９】
連結撮影処理部１１３は、連結モードによる撮影処理を行う。この連結モードの場合、取り込み画像表示用モニタ３４には、ライブビュー画像として、現在の取り込み動画像と、前回までに撮影された（採用された）撮影画像（静止画像）が並べられて表示される。つまり、取り込み画像表示用モニタ３４には、（現在までの）擬似的なつなぎプリの状態でライブビュー画像が表示される。なお、この連結モードの場合、プレビュー画像も、前回までの撮影静止画像と今回の撮影静止画像が並べて表示される。つまり、撮影用モニタ３５（および取り込み画像表示用モニタ３４）には、（現在までの）つなぎプリの状態でプレビュー画像が表示される。連結撮影処理部１１３は、このような撮影処理を繰り返し、撮影画像を保持していき、連結予定枚数（連結用の１組の撮影画像枚数）が揃ったらそれらの撮影画像データを連結させ（連結に関する情報を作成し）、キープ画像選択処理部１１５へ供給する。
【０１１０】
通常撮影処理部１１４は、撮影制御部１１１によって制御され、バス１００を介して撮影部８２を制御し、通常の撮影に関する処理を実行する。例えば、通常撮影処理部１１４は、CCDカメラ３３を用いて撮影画像を取り込み、取り込み画像表示用モニタ３４にライブビュー画像を表示し、利用者の指示を受け付けて撮影画像をキャプチャする。キャプチャされた撮影画像は、撮影用モニタ３５に表示され、撮影制御部１１１に供給される。
【０１１１】
キープ画像選択処理部１１５は、連結撮影処理部１１３および通常撮影処理部１１４より供給された撮影画像を保持し、利用者の指示を受け付け、利用者の指示通りに撮影画像を画像データ保持部７３に供給する(キープする)。
【０１１２】
図１０は、撮影部８２の詳細な構成例を示すブロック図である。
【０１１３】
図１０において、撮影部８２は、音声出力制御部１３１、照明制御部１３２、表示制御部１３３、VRAM（Video Random Access Memory）１３４、タッチパネル１３５、タッチパネル制御部１３６、照明部３１、撮影ユニット３２、撮影用モニタ３５、および音声出力部３６によって構成されている。
【０１１４】
音声出力制御部１３１は、音声データからアナログ音声信号を生成し、それを音声出力部３６に供給することによって、音声出力部３６より音声を出力させる。照明制御部１３２は、照明部３１の発光や蓄電を制御し、撮影タイミング（フレーム画像をキャプチャするタイミング）に応じた所定のタイミングで照明部３１をストロボ発光させる。
【０１１５】
表示制御部１３３は、GUI画像データ、撮影画像データ、または、CCDカメラ３３より供給される取り込み動画像データに対して、適宜、VRAM１３４を用いて連結等の画像処理を行い、その画像処理により得られた表示用画像を撮影用モニタ３５に表示させる。また、撮影用モニタ３５の画面上には、タッチパネル１３５が重畳されている。そのタッチパネル１３５を制御するタッチパネル制御部１３６は、タッチパネル１３５上で利用者が指定した位置を検知し、その位置情報を撮影処理部９３や表示制御部１３３に供給する。表示制御部１３３は、供給された位置情報、またはその位置情報に基づいて行われる撮影処理部９３による制御に基づいてVRAM１３４に保持されている画像データを処理し、利用者の入力を表示用画像に反映させる。
【０１１６】
また撮影ユニット３２は、CCDカメラ制御部１４１、CCDカメラ３３、表示制御部１４２、VRAM１４３、および取り込み画像表示用モニタ３４を有している。
【０１１７】
CCDカメラ制御部１４１は、CCDカメラ３３の動作を制御し、フォーカス位置を制御して画像を１フレームずつ取り込ませ、取り込んだフレーム画像を、動画像として表示制御部１４２に順次供給させたり、特定のフレーム画像を、撮影により得られた静止画像としてバス１００を介して画像データ保持部７３に供給させたりする。
【０１１８】
表示制御部１４２は、取り込み画像表示用モニタ３４の表示を制御する。その際、表示制御部１４２は、バス１００を介してCCDカメラ３３より供給される画像データを１フレームずつVRAM１４３に蓄積させ、必要に応じて撮影処理部９３より供給される連結用動画像データの１フレームの画像と連結させ、その連結画像をライブビューとして取り込み画像表示用モニタ３４に表示させる。また、表示制御部１４２は、さらに、撮影直後に撮影画像（プレビュー画像）を取り込み画像表示用モニタ３４に表示させるようにしてもよい。
【０１１９】
図１１は、編集処理部９４の詳細な構成例を示すブロック図である。
【０１２０】
図１１において、編集処理部９４は、編集制御部１６１、編集画面表示処理部１６２、入力受付処理部１６３、編集対象画像切替処理部１６４、画像処理部１６５、および分割数選択処理部１６６により構成される。
【０１２１】
編集制御部１６１は、編集処理部９４を構成する各部を制御し、写真シールを作成するゲームの一連の処理の内、利用者により行われる撮影画像の編集作業に対する処理の進行を制御する。
【０１２２】
編集画面表示処理部１６２は、利用者が撮影画像に対する落書き編集等を行う編集画面の表示に関する処理を行う。例えば、編集画面表示処理部１６２は、ペンツール選択ボタンや、スタンプツール選択ボタン等の、編集画面に含まれる編集用のGUI部分を作成し、画像データ保持部７３からキープ画像を取得し、そのキープ画像のサムネイル画像を作成し、それらを、編集対象画像切替処理部１６４の制御によって供給された撮影画像等とともに編集部８３に供給し、編集画面として編集入力用モニタ５２に表示させる。
【０１２３】
入力受付処理部１６３は、編集部８３を制御し、利用者による入力を受け付け、その入力に対する処理を行う。
【０１２４】
編集対象画像切替処理部１６４は、編集画面表示処理部１６２により表示される編集画面に含まれる編集対象画像の表示の切り替えに関する処理を行う。例えば、編集を希望する撮影画像を編集画面上の所定の位置に大きく表示させる場合、利用者は、タッチペン５３等を用いて、編集入力用モニタ５２に表示された編集画面に含まれるサムネイル画像の中から１つを選択する。入力受付処理部１６３がこの選択指示を受け付けると、編集対象画像切替処理部１６４は、その指示に基づいて、画像データ保持部７３を制御し、選択されたサムネイル画像に対応する画像を編集部８３に供給させる。編集画面表示処理部１６２は、その撮影画像を編集対象画像として編集画面に表示させるように制御する。
【０１２５】
画像処理部１６５は、編集画面において行われた、撮影画像に対する落書き編集を、撮影画像データに反映する。
【０１２６】
分割数選択処理部１６６は、シール紙の印刷領域を分割する分割数の選択を促すメッセージを音声出力部５４より出力させ、その分割パターンを利用者に選択させる分割数選択画面を編集用モニタ５２に表示させる。利用者は、この分割パターンを選択することにより、写真シールに印刷される画像のレイアウトパターンを決定する。分割数選択処理部１６６は、タッチパネル１７５を介して入力されたこの分割数の選択指示に基づいて、印刷時の分割数の設定を行う。
【０１２７】
図１２は、第１編集部８３Ａの詳細な構成例を示すブロック図である。編集部８３Ａは、インタフェース処理部１７１、音声出力制御部１７２、表示制御部１７３、VRAM１７４、タッチパネル１７５、タッチパネル制御部１７６、編集入力用モニタ５２、タッチペン５３−１およびタッチペン５３−２、並びに音声出力部５４を有している。なお、第２編集部８３Ｂの構成例は、第１編集部８３Ａの構成例と同様であるため、その説明を省略する。
【０１２８】
インタフェース処理部１７１は、バス１００と接続され、第１編集ユニット５１−１内の各部のインタフェース処理を実行する。音声出力制御部１７２は、インタフェース処理部１７１を介して編集処理部９４より供給される音声データに基づいてアナログ音声信号を生成し、それを音声出力部５４に供給し、出力させる。
【０１２９】
表示制御部１７３は、インタフェース処理部１７１を介して編集処理部９４より供給されるGUI画像データ、または、画像データ保持部７３より供給される撮影画像データ（編集対象画像）等を、適宜、VRAM１７４を用いて繋ぎ合わせて、その表示用画像を編集入力用モニタ５２に表示させる。また、編集入力用モニタ５２の画面上には、タッチパネル１７５が重畳されている。そのタッチパネル１７５とタッチペン５３（タッチペン５３−１およびタッチペン５３−２）により入力される利用者からの指示は、タッチパネル制御部１７６に供給される。タッチパネル制御部１７６は、タッチパネル１７５において、利用者がタッチペン５３を用いてタップすることにより指定した位置を検知し、その位置情報、タッチペン５３の識別情報等を必要に応じてインタフェース処理部１７１を介して編集処理部９４に供給し、利用者により入力された指示情報を、編集入力用モニタ５２に表示される画像に反映させる。
【０１３０】
また、タッチパネル制御部１７６は、利用者により入力された位置情報により制御される情報が、例えば、カーソルの移動等のように簡易的な画像処理のみの場合、利用者により入力された位置情報を、直接、表示制御部１７３に供給することもできる。その場合、表示制御部１７３は、供給された位置情報に基づいて、VRAM１７４に保持されている画像データを処理し、利用者の入力を簡易的に反映させた画像を編集入力用モニタ５２に表示させる。
【０１３１】
なお、このようにして利用者の入力に基づいて編集された撮影画像データ（編集済み画像データ）は、VRAM１７４より画像データ保持部７３に供給され、一旦画像データ保持部７３に保持された編集済み画像データは、後述するように、その後、印刷処理等に利用される。
【０１３２】
次に、図１３のフローチャートを参照して、写真シール作成ゲーム処理の一例について説明する。この写真シール作成ゲーム処理は、所定の代金の硬貨が硬貨投入排出口３７の投入口に投入されると開始される。
【０１３３】
ステップＳ１１において、撮影処理部９３は撮影処理を行う。なお、撮影処理の詳細は後述するが、撮影処理において、撮影処理部９３は、被写体としての利用者を撮影させる処理を行う。
【０１３４】
撮影処理が終了すると、ステップＳ１２において、編集処理部９４は、撮影処理により得られた撮影画像を編集する編集処理を行う。
【０１３５】
例えば、編集処理部９４の編集画面表示処理部１６２は、編集入力用モニタ５２に図１４に示す編集画面を表示させる。
【０１３６】
図１４に示す編集画面には、ペン、スタンプ等の、撮影画像に対する落書きツールを選択する各種のGUIボタン群が設けられた落書きツール表示部２１１、落書き編集が行われる撮影画像に関する情報を表示する画像情報表示欄２１２、編集処理の残り時間を示す残り時間表示部２１４、落書き編集作業を終了する終了ボタン２１５、並びに、落書き編集の対象となる撮像画像を表示させる落書き対象画像表示領域２１６が配置される。落書きツール表示部２１１は、ペンツールの種類やスタンプツールの種類を選択するための落書きツール表示部２１１Ａと、色や塗りつぶしを選択するための落書きツール表示部２１１Ｂからなる。
【０１３７】
画像情報表示欄２１２は、画像が落書き対象画像表示領域２１６に表示される画像指定のサムネイル画像２１３Ａ乃至サムネイル画像２１３Ｄが設けられている。なお、実際には、サムネイル画像２１３Ａ乃至サムネイル画像２１３Ｄには画像番号に対応する画像（落書き対象画像）を縮小した画像が表示される。以下において、サムネイル画像２１３Ａ乃至サムネイル画像２１３Ｄを区別する必要のない場合、単にサムネイル画像２１３と称する。
【０１３８】
各サムネイル画像２１３には、撮影空間６１で撮影された画像が、例えば、撮影順等に従って、１つずつ割り当てられている。利用者がこのサムネイル画像２１３を操作する（例えば、サムネイル画像２１３にタッチペン５３で触れることによりサムネイル画像２１３をボタンとして操作する）と、操作されたサムネイル画像２１３に対応する撮影画像が落書き対象画像表示領域２１６に表示される。
【０１３９】
落書き対象画像表示領域２１６に表示された画像に対して、利用者は、タッチペン５３を用いて、落書きツール表示部２１１を操作し、落書きツールを選択する等してから、落書き編集入力を行う。この落書き対象画像表示領域２１６は、落書き対象画像表示領域２１６Ａと落書き対象画像表示領域２１６Ｂの２つの領域を有している。例えば、落書き対象画像表示領域２１６Ａには、タッチペン５３−１を用いて選択された画像が表示され、落書き対象画像表示領域２１６Ｂには、タッチペン５３−２を用いて選択された画像が表示される。このとき、落書き対象画像表示領域２１６Ａに表示された編集対象画像に対して落書き編集を行う場合、利用者はタッチペン５３−１を用いて行う必要があり、タッチペン５３−２では落書き対象画像表示領域２１６Ａに表示された編集対象画像に対して落書き編集を入力することができないようになされている。逆に、落書き対象画像表示領域２１６Ｂに表示された編集対象画像に対しては、利用者は、タッチペン５３−２を用いてしか、落書き編集を入力することができないようになされている。
【０１４０】
なお、つなぎプリは、連結用の撮影画像を並べ１枚の画像としてサムネイル化し、利用者に、連結用の各撮影画像を１つのつなぎプリとして選択させるようにしてもよい。例えば、２枚の撮影画像が連結されるつなぎプリが選択された場合、一方の撮影画像は、落書き対象画像表示領域２１６Ａに表示され、他方の撮影画像は、落書き対象画像表示領域２１６Ｂに表示される。この連結用撮影画像の場合、利用者は、タッチペン５３−１またはタッチペン５３−２のいずれを用いても、落書き対象画像表示領域２１６Ａに表示された撮影画像と、落書き対象画像表示領域２１６Ｂに表示された撮影画像の両方に対して落書き編集を入力することができるようになされている。つまり、連結用撮影画像に対する落書き編集の場合、例えば図１４の文字列“ＨＡＰＰＹ！！”のように、各画像にまたがった落書きを行うこともできる。
【０１４１】
このように、編集入力用モニタ５２に編集画面が表示されると、編集対象画像切替処理部１６４は、入力受付処理部１６３を制御して、編集対象画像の選択指示を受け付け、その選択指示に基づいて、編集画面表示処理部１６２を制御し、その選択された画像を落書き対象画像表示領域２１６に表示させる。そして、入力受付処理部１６３は、タッチペン５３の操作に応じた編集入力を受け付け、編集画面表示処理部１６２は、受け付けられた編集入力に基づいて編集された画像を落書き対象画像表示領域２１６に表示させる。
【０１４２】
さらに、画像処理部１６５は、編集画面表示処理部１６２上の編集結果（つまり入力された落書きデータ（編集データ））を画像データ（撮影画像）に反映させる。編集時間が制限時間を経過したか、または編集処理の終了が指令されると、分割数選択処理部１６６は、利用者による分割モード（写真シールのレイアウト）の選択を受け付け、受け付けた分割数の設定を、プレイ情報記憶部７４に保存する（記憶させる）。分割数が保存されると、編集制御部１６１は、移動案内画面表示処理を行い、編集入力用モニタ５２に、利用者に対して編集作業の終了を通知するとともに事後接客空間６３への移動を促す移動案内画面を表示する。利用者は、この案内画面に従って、編集空間６２より退出し、事後接客空間６３に移動する。
【０１４３】
このように、編集処理部９４の各部が編集処理を行うと、ステップＳ１３において、制御部７１は印刷処理を行い、写真シール作成ゲーム処理は終了する。なお、印刷処理の詳細は後述するが、印刷処理において、撮影され、編集された画像がシール紙に印刷されて排出される。また、より詳細には、印刷処理が終了するまでの間、印刷処理と並行して事後接客処理部９６により、利用者に所定のミニゲームなどをプレイさせる事後接客処理が行われる。写真シール作成装置３の各部は、利用者の各組に対して、互いに独立して、以上のような写真シール作成ゲーム処理を実行する。
【０１４４】
次に、図１５のフローチャートを参照して、図１３のステップＳ１１において実行される撮影処理の詳細について説明する。
【０１４５】
撮影処理が開始されると、連結パターン選択処理部１１２は、ステップＳ４１において、連結パターン選択画面を撮影用モニタ３５に表示させ、何枚の画像をどのように連結させるかを示す連結パターンを複数提示し、利用者にいずれか１つのパターンを選択させる。なお、この連結パターンには、連結を行わないパターンも含まれる。つまり、利用者は、この連結パターン選択画面において、連結撮影を行わずに通常撮影を行うことも指示することができるようになされている。
【０１４６】
ステップＳ４２において、連結パターン選択処理部１１２は、ステップＳ４１において表示させた連結パターン選択画面に対する利用者のパターン選択指示入力を受け付ける指示受付処理を行う。そして、ステップＳ４３において、連結パターン選択処理部１１２は、利用者からの入力に基づいて、連結撮影を行うか否かを判定し、連結撮影を行うと判定した場合、処理をステップＳ４４に進める。ステップＳ４４において、連結撮影処理部１１３は、つなぎプリ用の撮影画像（互いに連結される複数の撮影画像）を得るための撮影処理である連結撮影処理を行う。連結撮影処理が終了すると、連結撮影処理部１１３は、処理をステップＳ４６に進める。
【０１４７】
また、ステップＳ４３において、利用者が、通常撮影を行うと判定した場合、連結パターン選択処理部１１２は、処理をステップＳ４５に進める。ステップＳ４５において、通常撮影処理部１１４は、１枚ずつ独立した撮影画像を得るための撮影処理である通常撮影処理を行う。通常撮影処理が終了すると、通常撮影処理部１１４は、処理をステップＳ４６に進める。
【０１４８】
ステップＳ４６において、撮影制御部１１１は、撮影枚数が撮影制限枚数（例えば４枚等）を越えたか否かを判定し、撮影枚数が撮影制限枚数を越えていないと判定した場合、処理をステップＳ４７に進める。ステップＳ４７において、撮影制御部１１１は、計時部９７より供給される情報を参照し、制限時間（例えば１２０秒等）を経過したか、または撮影の終了が利用者より指示されたかを判定する。制限時間を経過しておらず、かつ、撮影の終了も指示されていないと判定した場合、撮影制御部１１１は、処理をステップＳ４１に戻し、それ以降の処理を繰り返す。また、制限時間が経過した、または、撮影の終了が指示されたと判定した場合、撮影制御部１１１は、処理をステップＳ４８に進める。なお、ステップＳ４６において、撮影枚数が撮影制限枚数を越えたと判定した場合、撮影制御部１１１は、処理をステップＳ４８に進める。
【０１４９】
ステップＳ４８において、キープ画像選択処理部１１５は、撮影作業により得られた撮影画像の中から落書き編集や印刷を行うためにキープするキープ画像を利用者に選択させるキープ画像選択処理を行う。キープ画像選択処理部１１５は、撮影用モニタ３５にキープ画像選択画面を表示させ、利用者に、所定の枚数分のキープ画像を選択させる。ステップＳ４９において、キープ画像選択処理部１１５は、利用者に選択された撮影画像をキープ画像として画像データ保持部７３に保存させる。
【０１５０】
キープ画像が保存されると、撮影制御部１１１は、ステップＳ５０において、利用者に編集空間６２への移動を促すメッセージや絵柄を含む移動案内画面を、取り込み画像表示用モニタ３４や撮影用モニタ３５に表示させる。ステップＳ５０が終了すると、撮影制御部１１１は、図１３のステップＳ１２に進み、それ以降の処理を行う。
【０１５１】
次に、図１５のステップＳ４４で実行される連結撮影処理の例を、図１６のフローチャートを参照して説明する。
【０１５２】
連結撮影処理が開始されると、連結撮影処理部１１３は、ステップＳ７１において、撮影用モニタ３５に、撮影指示受付画面を表示させ、ステップＳ７２において、取り込み画像表示用モニタ３４に、連結用画像を連結してライブビュー画像を表示させる。
【０１５３】
撮影指示受付画面は、利用者からの撮影指示を受け付けるGUI画面であり、撮影指示を入力するための撮影ボタンが設けられている。また、この撮影指示受付画面には、連結撮影の何枚目の撮影かを示す（撮影回数を示す）ために、その旨を通知するメッセージと、これまでに撮影されたプレビュー画像と現在の取り込み画像が表示される。なお、プレビュー画像や取り込み画像の代わりに、撮影回数に応じた枚数の所定の静止画像を表示するようにしてもよい。
【０１５４】
なお、例えば、１回目の撮影の場合、撮影済みの画像はまだ存在しない。従って、この場合、連結撮影処理部１１３は、撮影用モニタ３５に、プレビュー画像を含まない（現在の取り込み画像を含む）撮影指示受付画面を表示させ、取り込み画像表示用モニタ３４に、現在の取り込み画像（ライブビュー画像）のみにより構成されるライブビュー画像表示画面を表示させる。
【０１５５】
これに対して、２回目以降の撮影の場合、前回までの撮影において得られた連結用の撮影画像が存在する。そこでこの場合、連結撮影処理部１１３は、撮影用モニタ３５に、これまでに撮影された連結用撮影画像（プレビュー画像）と現在の取り込み画像の両方を並べた撮影指示受付画面を表示させ、取り込み画像表示用モニタ３４に、これまでに撮影された連結用撮影画像（プレビュー画像）と現在の取り込み画像（ライブビュー画像）の両方を並べたライブビュー画像表示画面を表示させる。
【０１５６】
これにより、利用者は、取り込み画像表示用モニタ３４に表示された、過去の撮影静止画像と、CCDカメラ３３により撮影される利用者の現在の取り込み動画像の両方を見ながら、ポーズをとるなどすることができる。従って、利用者は、各撮影間において、互いに連携するポーズ（撮影姿勢）をより容易に、かつ、より正確にとることができる。
【０１５７】
ステップＳ７３において、連結撮影処理部１１３は、利用者からの撮影指示を受け付けたか否かを判定し、撮影指示を受け付けたと判定するまで待機する。例えば、利用者による、撮影用モニタ３５に表示される撮影を行うためのボタンの操作を検出し、撮影指示を受け付けたと判定した場合、連結撮影処理部１１３は、処理をステップＳ７４に進め、CCDカメラ３３による撮影を行う。撮影される画像は、CCDカメラ３３により撮影される静止画像であるが、ほぼ利用者の意図した通りの画像（ライブビュー画像とほぼ同じ画像）を、静止画像として取り込むことができる。
【０１５８】
ステップＳ７５において、連結撮影処理部１１３は、撮影用モニタ３５に、ステップＳ７４における撮影処理により得られた静止画像（撮影のタイミングにおいて取り込み画像より抽出されたフレーム画像）のプレビュー画像を表示させる。これにより、利用者は、撮影用モニタ３５に表示された、CCDカメラ３３により撮影された自分自身の静止画像を確認することができる。利用者は、このプレビュー画像に対して撮り直しを行うか否かの指示を入力する。
【０１５９】
ステップＳ７６において、連結撮影処理部１１３は、利用者の希望に基づいて、取り直しを行うか否かを判定し、取り直しを行うと判定した場合、今回の撮影により得られた撮影画像データを破棄し、処理をステップＳ７１に戻し、それ以降の処理を繰り返す。また、ステップＳ７６において、取り直しを行わないと判定した場合、連結撮影処理部１１３は、処理をステップＳ７７に進める。
【０１６０】
ステップＳ７７において、連結撮影処理部１１３は、連結用撮影枚数が、連結予定枚数に達したか否かを判定する。例えば、連結撮影処理部１１３は、ステップＳ７１乃至ステップＳ７６の処理が何回繰り返されたか数えることによりこれを判定する。なお、連結撮影処理部１１３は、画像データ保持部７３に保存されている撮影画像が何枚あるのかを確認することで、これを判定してもよい。連結用撮影枚数が連結予定枚数に達していないと判定した場合、連結撮影処理部１１３は、処理をステップＳ７１に戻し、それ以降の処理を繰り返す。また、ステップＳ７７において、連結用撮影枚数が連結予定枚数に達したと判定した場合、連結撮影処理部１１３は、処理をステップＳ７８に進める。
【０１６１】
ステップＳ７８において、連結撮影処理部１１３は、連結撮影において得られた複数の画像を互いに連結させる（合成するまたは関連付ける）連結処理を行う。連結処理が終了すると、連結撮影処理部１１３は、連結撮影処理を終了し、図１５のステップＳ４６に進み、それ以降の処理を行う。
【０１６２】
ここで、図１７は、図１６のステップＳ７１の処理において、撮影用モニタ３５に表示される撮影指示受付画面の表示例を示す図である。図１７Ａは、連結撮影の一連の撮影作業の中の１回目の撮影作業に対する撮影指示受付画面の例である。図１７Ａに示されるように、この場合の撮影指示受付画面には、“１枚目を撮影するよ！”のメッセージとともに、現在の取り込み画像（ライブビュー画像）が表示される。また、撮影指示受付画面には、右下に撮影ボタンが設けられており、利用者はこの撮影ボタンを操作することにより、撮影指示を入力する。
【０１６３】
図１７Ｂは、連結撮影の一連の撮影作業の中の２回目の撮影作業に対する撮影指示受付画面の例である。図１７Ｂに示されるように、この場合の撮影指示受付画面には、“２枚目を撮影するよ！”のメッセージとともに、１回目の撮影結果である連結用撮影画像（プレビュー画像）と現在の取り込み画像（ライブビュー画像）が連結パターンの設定どおりに並べられて表示される。これにより、利用者は、各撮影画像間におけるポーズの位置関係を確認しながら撮影作業を行うことができる。
【０１６４】
図１７Ｃは、連結撮影の一連の撮影作業の中の３回目の撮影作業に対する撮影指示受付画面の例である。図１７Ｃに示されるように、この場合の撮影指示受付画面には、“３枚目を撮影するよ！”のメッセージとともに、１回目と２回目の撮影結果である２枚の連結用撮影画像（プレビュー画像）と現在の取り込み画像（ライブビュー画像）の合計３枚の画像（うち１枚は動画像）が連結パターンの設定どおりに並べられて表示される。これにより、利用者は、各撮影画像間におけるポーズの位置関係を確認しながら撮影作業を行うことができる。
【０１６５】
つまり、２回目以降の撮影においては、利用者は、撮影用モニタ３５に表示されるそれまでの撮影において得られた静止画像の内容を確認した上で、ポーズを作ることができる。
【０１６６】
なお、この連結撮影における撮影回数は、連結する画像の枚数に応じて決定される。従って、撮影回数は４回以上であってももちろんよい。また、以上においては、プレビュー画像およびライブビュー画像が連結パターンの設定（利用者が選択した連結パターン）と同様に並べられて表示されるように説明したが、プレビュー画像およびライブビュー画像の並べ方は任意であり、連結パターンの設定と異なる並べ方で並べられるようにしてもよい。例えば、図１７Ｃに示されるように、各画像を撮影順に横方向に左から並べて表示させるようにしてもよいし、右から並べて表示させるようにしてもよいし、上下方向に並べて表示させるようにしてもよい、各画像の一部または全部を互いに重ねて表示させるようにしてもよい。
【０１６７】
図１８は、図１６のステップＳ７５の処理において表示されるプレビュー画像表示画面の一例を示す図である。撮影用モニタ３５は、“こんなカンジになるけどいいかな？”のメッセージとともに、これまでに連結撮影において得られた連結用撮影画像（プレビュー画像）が連結パターンの設定どおりに並べられて表示されている。つまり、利用者は、このプレビュー画像によって、これまでの連結撮影の出来栄えを確認することができる。このプレビュー画像表示画面には、さらに、“いいよ！”の文字が配置されたGUIボタンである“いいよ！”ボタンと、“ダメ！”の文字が配置されたGUIボタンである“ダメ！”ボタンが設けられている。利用者は、連結用撮影画像の出来栄えに納得した場合、“いいよ！”ボタンを操作し、連結用撮影画像の出来栄えに納得しない場合、“ダメ！”ボタンを操作する。
【０１６８】
図１９は、図１６のステップＳ７２の処理において取り込み画像表示用モニタ３４に表示されるライブビュー画像表示画面の例を示す図である。図１９Ａは、連結撮影の一連の撮影作業の中の１回目の撮影作業に対するライブビュー画像表示画面の例である。１回目の撮影においては、プレビュー画像が存在しないので、ライブビュー画像表示画面には、現在のライブビュー画像（動画像）のみが表示される。
【０１６９】
図１９Ｂは、連結撮影の一連の撮影作業の中の２回目の撮影作業に対するライブビュー画像表示画面の例である。２回目の撮影においては、１回目の撮影において得られた連結用画像（プレビュー画像）が存在するので、ライブビュー画像表示画面には、その連結用撮影画像と現在のライブビュー画像（動画像）が、連結パターンの設定どおりに並べて表示される。
【０１７０】
図１９Ｃは、連結撮影の一連の撮影作業の中の３回目の撮影作業に対するライブビュー画像表示画面の例である。３回目の撮影においては、１回目と２回目の撮影において得られた２枚の連結用画像（プレビュー画像）が存在するので、ライブビュー画像表示画面には、その２枚の連結用撮影画像と現在のライブビュー画像（動画像）が、連結パターンの設定どおりに並べて表示される。
【０１７１】
このようにライブビュー画像を表示することにより、２回目以降の撮影において、利用者は、取り込み画像表示用モニタ３４に表示される、前回までの撮影において得られた撮影画像を参照しながら、ポーズを作り撮影作業を行うことができる。
【０１７２】
なお、以上においては、撮影指示受付画面、プレビュー画像表示画面、およびライブビュー画像表示画面に、過去の撮影画像と現在の取り込み画像を表示させるように説明したが、これ以外にも、例えば、連結パターンの内、未撮影の部分には、予め用意された所定の静止画像を表示させるようにしてもよい。
【０１７３】
また、以上においては、連結撮影の撮影毎に利用者が撮影指示を行うように説明したが、これに限らず、連結撮影において行われる複数の撮影を、自動的に連続して行うようにしてもよい。この場合、利用者は、連結撮影における一連の撮影作業が全て終了してから撮影結果の確認を行うことになる。
【０１７４】
次に、図２０のフローチャートを参照して、図１３のステップＳ１３の処理に対応する印刷処理について説明する。
【０１７５】
ステップＳ１０１において、印刷処理部９５は、印刷する編集済みの画像を印刷部８４に供給する。すなわち、印刷処理部９５は、プレイ情報記憶部７４に記憶された分割モードを読み出し、さらに画像データ保持部７３より編集済み画像の画像データを読み出す。そして、印刷処理部９５は、その編集済み画像を読み出された分割モードに従って、シール紙の印刷領域に割り当て、編集済みの画像を印刷部８４に供給する。
【０１７６】
また、事後接客処理部９６は、作成した撮影画像（編集済み画像）をサーバ２に送信（アップロード）するか否かを選択させるGUI画像を事後接客用モニタ４１に表示させ、利用者に作成した撮影画像をサーバ２に送信するか否かを選択させる。
【０１７７】
ステップＳ１０２において、事後接客処理部９６は、利用者の操作に応じて事後接客部８５から供給される信号に基づいて、編集済み画像をサーバ２に送信するか否かを判定する。
【０１７８】
ステップＳ１０２において、編集済み画像をサーバ２に送信すると判定された場合、ステップＳ１０３に進み、事後接客処理部９６は、編集済み画像の中からサーバ２に送信する画像を利用者に選択させるGUI画像である送信選択画面を事後接客用モニタ４１に表示させる。
【０１７９】
これにより、事後接客用モニタ４１には、例えば、図２１に示す送信選択画面が表示される。図２１に示す送信選択画面２４１には、作成された撮影画像（編集済み画像）の一覧（例えば、サムネイル画像）と、画像の選択を促す“どの画像を携帯で使う？”というメッセージと、選択枚数の残り数を示す文字“残り：＊枚”が表示される。この送信選択画面に対して、利用者は、撮影画像のサムネイル画像上をタップすることにより、その画像を、サーバ２に送信する画像として選択する。例えば、利用者が画像を選択すると、その画像の周囲が強調表示されたり、画像の明るさが変化したり、所定の絵柄が付加されたりし、その画像が選択されたことが示される。
【０１８０】
また、文字“残り：＊枚”の表示には、初期値において、選択可能最大枚数が表示されており、利用者が画像を１枚選択する度にこの枚数の値が１つずつ小さくなる。図２１に示されるように、残り枚数が０枚になると、それ以上画像を選択することはできない。
【０１８１】
図２０のフローチャートの説明に戻り、ステップＳ１０３において送信選択画面が表示されると、ステップＳ１０４において、事後接客処理部９６は、利用者の操作（例えば、図２１に示した送信画像選択画面２４１における画像の選択）に応じて、サーバ２に送信する画像を選択する（送信対象とする）。なお、利用者が複数である場合、事後接客処理部９６が、どの編集済み画像をどの利用者（が所有する携帯型電話機５）に送信するかを選択するようにしてもよい。
【０１８２】
携帯型電話機５に送信する画像を選択すると、事後接客処理部９６は、利用者に携帯型電話機５の電子メールアドレスを入力させるGUI画像である、メールアドレス入力画面を事後接客用モニタ４１に表示させる。
【０１８３】
これにより、例えば、事後接客用モニタ４１には、図２２に示すメールアドレス入力画面が表示される。図２２に示すメールアドレス入力画面２４２には、電子メールアドレスが入力されるアドレス入力欄２５１と、電子メールアドレスの入力に利用される、入力文字記号一覧２５２とが表示される。利用者は、このメールアドレス入力画面２４２に対して、入力文字記号一覧２５２に表示された文字上をタップすることにより、その文字を、アドレス入力欄２５１に表示させることができる。利用者は、このようにして携帯型電話機５の電子メールアドレスを入力する。
【０１８４】
また、アドレス入力欄２５１に入力する電子メールアドレスのうち、アットマーク以下の文字（図２２におけるアドレス入力欄２５１の記号“＠”の右側の入力欄に入力される文字（または数字））は、携帯型電話機５の通信会社および種類（機種）を選択させることにより入力するようにしてもよい。この場合、利用者がアドレス入力欄２５１の記号“＠”の左側の入力欄に電子メールアドレスの一部（アットマークよりも前の文字）を入力すると、事後接客用モニタ４１には、例えば、図２３に示す画面が表示される。
【０１８５】
図２３の例においては、図中、右側には、携帯型電話機５の通信会社を選択させる通信会社選択画面２６１が表示されており、通信会社選択画面２６１の左側には、携帯型電話機５の種類（機種）を選択させる機種選択画面２６２が表示されている。
【０１８６】
通信会社選択画面２６１には、文字“持っている携帯の会社名を選んでね”が表示され、図中、その文字の下側には、複数の通信会社名が表示されている。また、機種選択画面２６２には、文字“持っている携帯の種類を選んでね”が表示され、図中、その文字の下側には、複数の携帯型電話機の機種名が表示されている。
【０１８７】
利用者は、通信会社選択画面２６１に表示されている複数の通信会社名のいずれかをタップすることにより自分が所有している携帯型電話機５の通信会社名を選択し、さらに、機種選択画面２６２に表示されている複数の携帯型電話機の機種名のうちのいずれかをタップすることにより、自分が所有している携帯型電話機５の種類を選択する。
【０１８８】
そして、利用者が携帯型電話機５の通信会社および種類を選択すると、メールアドレス入力画面２４２（図２２）のアドレス入力欄２５１の記号“＠”の右側の入力欄に利用者により選択された携帯型電話機５の通信会社および種類に対応する文字列が入力される。
【０１８９】
このように、利用者に自分が所有している携帯型電話機５の通信会社名および機種名を選択させることにより、利用者の電子メールアドレスの一部を入力することで、利用者は、いちいち電子メールアドレスの全部を入力する必要がなくなる。
【０１９０】
図２０のフローチャートの説明に戻り、携帯型電話機５の電子メールアドレスが入力されると、ステップＳ１０５において、事後接客処理部９６は、事後接客部８５から入力された電子メールアドレスを取得する。
【０１９１】
事後接客処理部９６は、電子メールアドレスを取得すると、取得した携帯型電話機５の電子メールアドレス、および利用者によって選択された、サーバ２に送信する編集済み画像（画像データ）を通信部８６に供給する。なお、より詳細には、事後接客処理部９６は、サーバ２に送信する画像の撮影日、画像のテーマなどの情報を画像に付加して通信部８６に供給する。
【０１９２】
ステップＳ１０６において、通信部８６は、事後接客処理部９６から供給された画像および電子メールアドレスを、ネットワーク４を介してサーバ２に送信し、ステップＳ１０７に進む。
【０１９３】
また、ステップＳ１０２において、画像を送信しないと判定された場合、編集済み画像をサーバ２に送信しないので、ステップＳ１０３の処理乃至ステップＳ１０６の処理はスキップされて、ステップＳ１０７に進む。
【０１９４】
ステップＳ１０２において画像を送信しないと判定されたか、ステップＳ１０６において画像および電子メールアドレスがサーバ２に送信されると、ステップＳ１０７において、印刷部８４は、印刷領域の割り当てにしたがって、印刷処理部９５から供給された編集済み画像をシール紙に印刷する。
【０１９５】
ステップＳ１０８において、印刷部８４は、編集済み画像等が印刷されたシール紙である写真シールをシール紙排出口４６より排出し、処理は終了する。
【０１９６】
次に、図２４および図２５を参照して、サーバ２および携帯型電話機５の構成について説明する。
【０１９７】
図２４は、サーバ２の構成例を示すブロック図である。
【０１９８】
サーバ２は、通信部３０１、GUI処理部３０２、画像処理部３０３、振分部３０４、管理部３０５、入力受付部３０６、認証部３０７、生成部３０８、制御部３０９、画像保管部３１０、属性情報記録部３１１、閲覧グループ情報記録部３１２、メールアドレス保管部３１３、およびパスワード保管部３１４から構成される。
【０１９９】
また、サーバ２においては、通信部３０１、GUI処理部３０２、画像処理部３０３、振分部３０４、管理部３０５、入力受付部３０６、認証部３０７、生成部３０８、画像保管部３１０、属性情報記録部３１１、閲覧グループ情報記録部３１２、メールアドレス保管部３１３、およびパスワード保管部３１４のそれぞれが、制御部３０９を介して互いに接続されている。
【０２００】
通信部３０１は、ネットワーク４を介して写真シール作成装置３または携帯型電話機５と通信を行う。通信部３０１は、受信部３２１および送信部３２２から構成され、受信部３２１は、ネットワーク４を介して写真シール作成装置３または携帯型電話機５から送信されてきた各種のデータを受信して、制御部３０９に供給する。また、送信部３２２は、制御部３０９から供給された各種のデータを、ネットワーク４を介して写真シール作成装置３または携帯型電話機５に送信する。
【０２０１】
GUI処理部３０２は、携帯型電話機５の表示画面に表示させる画面を生成する。画像処理部３０３は、写真シール作成装置３から受信した画像を１つの閲覧グループに登録する処理を行う。また、画像処理部３０３は、写真シール作成装置３から受信した画像のサムネイル画像を生成する。
【０２０２】
さらに、画像処理部３０３は、検索部３２３を含む。画像処理部３０３の検索部３２３は、画像保管部３１０に保管（記録）されている画像から、所定の条件を満たす画像を検索する。
【０２０３】
振分部３０４は、写真シール作成装置３から受信した各画像に設定された、画像を特定するための閲覧ＩＤ（Identification）と、写真シール作成装置３から受信した電子メールアドレスとを対応付けて、電子メールアドレスをメールアドレス保管部３１３に供給する。
【０２０４】
管理部３０５は、写真シール作成装置３から受信した各画像に閲覧ＩＤを設定する。また、管理部３０５は、属性情報記録部３１１に記録されている、写真シール作成装置３から受信した各画像の属性情報を管理する。ここで、属性情報には、例えば、各画像と対となる画像（つなぎプリを構成する他方の画像）のサムネイル画像、画像が属する（登録されている）閲覧グループ、画像の閲覧ＩＤ、画像を閲覧可能な携帯型電話機５を特定する端末特定情報、画像と対となる画像（つなぎプリを構成する他方の画像）をその画像の所有者の友人に送信したか否かを示す友達送信フラグなどが含まれている。また、属性情報に含まれる端末特定情報は、例えば、携帯型電話機５の機種情報や製造番号とされる。
【０２０５】
入力受付部３０６は、サーバ２の管理者によるサーバ２の操作を受け付ける処理を行う。認証部３０７は、各種の認証処理を行い、生成部３０８は、電子メールを生成する。画像保管部３１０は、写真シール作成装置３から受信した各画像、およびそれらの画像のサムネイル画像を記録する。
【０２０６】
属性情報記録部３１１は、属性情報を記録し、閲覧グループ情報記録部３１２は、各閲覧グループに関する情報である閲覧グループ情報を記録する。閲覧グループ情報には、各閲覧グループに登録された（属する）画像、それらの画像のテーマ、撮影日などの情報が含まれている。
【０２０７】
メールアドレス保管部３１３は、各画像に設定された閲覧ＩＤに対応付けられた携帯型電話機５の電子メールアドレスを記録（保管）する。また、メールアドレス保管部３１３は、会員として登録されている利用者（が所有する携帯型電話機５）の電子メールアドレスを記録する。パスワード保管部３１４は、閲覧ＩＤに対応して設定されたパスワードを記録（保管）する。
【０２０８】
図２５は、携帯型電話機５の構成例を示すブロック図である。
【０２０９】
携帯型電話機５は、通信部３５１、表示部３５２、画像処理部３５３、バス３５４、入力部３５６、制御部３５７、および記録部３５８から構成される。通信部３５１、表示部３５２、画像処理部３５３、入力部３５６、制御部３５７、および記録部３５８のそれぞれは、バス３５４を介して相互に接続されている。
【０２１０】
通信部３５１は、ネットワーク４を介してサーバ２と通信する。通信部３５１は、受信部３７１および送信部３７２を含む。通信部３５１の受信部３７１は、ネットワーク４を介してサーバ２から送信されてきた各種のデータを受信する。また、通信部３５１の送信部３７２は、バス３５４を介して携帯型電話機５の各部から供給された各種のデータを、ネットワーク４を介してサーバ２に送信する。
【０２１１】
表示部３５２は、例えば、LCDなどから構成され、各種の画像を表示する。画像処理部３５３は、表示部３５２に表示する画像から所定の情報を抽出（取得）する。入力部３５６は、例えば、マウス、ボタン、キーボードなどからなり、利用者の操作に応じた指令を制御部３５７に供給する。制御部３５７は、携帯型電話機５の全体を制御する。記録部３５８は、各種のデータ、受信した電子メール、携帯型電話機５を特定するための端末特定情報などを記録する。
【０２１２】
ところで、写真シール作成装置３から撮影画像（２つの画像から構成されるつなぎプリ）および電子メールアドレスが送信されてくると、サーバ２は、撮影画像および電子メールアドレスを受信して、URL（Uniform Resource Locator）方式で記述されている、画像のアドレス（以下、単に画像のURLと称する）を示す情報（画像を特定する情報）が含まれた電子メールを送信する処理を行う。
【０２１３】
以下、図２６のフローチャートを参照して、サーバ２によるメール送信処理について説明する。
【０２１４】
ステップＳ１５１において、受信部３２１は、ネットワーク４を介して写真シール作成装置３から送信されてきた、画像（つなぎプリ）および電子メールアドレスを受信して、制御部３０９に供給する。
【０２１５】
ステップＳ１５２において、画像処理部３０３は、受信した画像を閲覧グループに登録する。すなわち、画像処理部３０３は、受信した複数の画像を１つの閲覧グループに属する画像として登録し、登録した画像、画像に付加されている画像の撮影日、画像のテーマなどの情報を含む閲覧グループ情報を生成する。画像処理部３０３は、生成した閲覧グループ情報を、閲覧グループ情報記録部３１２に供給して記録させる。
【０２１６】
ステップＳ１５３において、画像処理部３０３は、受信した画像のサムネイル画像を生成し、受信した画像および生成したサムネイル画像を画像保管部３１０に供給する。例えば、写真シール作成装置３から、つなぎプリを構成する画像Ａおよび画像Ｂを受信した場合、画像処理部３０３は、画像Ａのサムネイル画像ａおよび画像Ｂのサムネイル画像ｂを生成する。
【０２１７】
ステップＳ１５４において、画像保管部３１０は、画像処理部３０３から供給された画像およびサムネイル画像を対応付けて記録する。すなわち、画像保管部３１０は、１つ閲覧グループに登録された画像と、その閲覧グループに登録された他の画像のサムネイル画像とを対応付けて記録する。したがって、例えば、１つの閲覧グループに登録された画像が、画像Ａおよび画像Ｂであるとすると、画像保管部３１０は、画像Ａと、画像Ｂのサムネイル画像ｂとを対応付けて記録し、画像Ｂと、画像Ａのサムネイル画像ａとを対応付けて記録する。
【０２１８】
ステップＳ１５５において、管理部３０５は、受信した各画像に閲覧ＩＤおよびパスワードを設定する。例えば、つなぎプリを構成する画像Ａおよび画像Ｂを受信した場合、管理部３０５は、画像Ａおよび画像Ｂのそれぞれに対して閲覧ＩＤおよびその閲覧ＩＤに対するパスワードを設定する。管理部３０５は、各画像に閲覧ＩＤおよびパスワードを設定すると、設定した閲覧ＩＤに対するパスワードを、制御部３０９を介してパスワード保管部３１４に供給して記録させる。
【０２１９】
ステップＳ１５６において、振分部３０４は、受信した各画像の閲覧ＩＤと、受信した電子メールアドレスとを対応付ける。すなわち、振分部３０４は、どの画像をどの電子メールアドレス宛に送信するかを決定する。振分部３０４は、閲覧ＩＤと電子メールアドレスとを対応付けると、電子メールアドレスを、制御部３０９を介してメールアドレス保管部３１３に供給して記録させる。
【０２２０】
ステップＳ１５７において、管理部３０５は、受信した各画像の属性情報を生成し、生成した属性情報を、制御部３０９を介して属性情報記録部３１１に供給する。そして、属性情報記録部３１１は、管理部３０５から供給された属性情報を記録する。
【０２２１】
例えば、つなぎプリを構成する画像Ａおよび画像Ｂを受信した場合、管理部３０５は、画像Ａの属性情報として、画像Ｂのサムネイル画像ｂ、画像Ａを所有する利用者の友人に画像Ｂを送信したか否かを示す友達送信フラグ、画像Ａが登録されている（属す）閲覧グループ、および画像Ａに設定された閲覧ＩＤを示す情報を生成する。
【０２２２】
ステップＳ１５８において、生成部３０８は、管理部３０５によって設定された閲覧ＩＤに対応付けられた電子メールアドレスを宛先とする、閲覧ＩＤが設定された画像のURL、その画像に対応付けられたサムネイル画像のURL、電子メールの送受信を行うプログラムであるメーラのURL、閲覧ＩＤ、およびその閲覧ＩＤに対するパスワードが含まれる電子メールを生成する。生成部３０８は、生成した電子メールを制御部３０９を介して通信部３０１に供給する。
【０２２３】
例えば、１つの閲覧グループにつなぎプリを構成する画像Ａおよび画像Ｂが登録されている場合、生成部３０８は、画像Ａの閲覧ＩＤに対応付けられた利用者Ａの電子メールアドレスを宛先とし、画像ＡのURL、サムネイル画像ｂのURL、メーラのURL、画像Ａに設定された閲覧ＩＤ、およびその閲覧ＩＤに対するパスワードが含まれる電子メールを生成する。また、生成部３０８は、画像Ｂの閲覧ＩＤに対応付けられた利用者Ｂの電子メールアドレスを宛先とし、画像ＢのURL、サムネイル画像ａのURL、メーラのURL、画像Ｂに設定された閲覧ＩＤ、およびその閲覧ＩＤに対するパスワードが含まれる電子メールも生成する。
【０２２４】
ステップＳ１５９において、通信部３０１の送信部３２２は、生成部３０８から供給された電子メールを、ネットワーク４を介して、その電子メールの宛先（すなわち、携帯型電話機５）に送信し、メール送信処理は終了する。
【０２２５】
このようにして、サーバ２は、写真シール作成装置３から送信されてきた画像および電子メールアドレスを受信し、受信した電子メールアドレスを宛先とする、画像のURLが含まれる電子メールを生成して送信する。
【０２２６】
このように画像のURLが含まれる電子メールを生成して送信することで、これを受信した携帯型電話機５は、その画像をダウンロードして表示させることができる。なお、写真シール作成装置３からサーバ２に、つなぎプリを構成する画像が送信されてくると説明したが、写真シール作成ゲームにおいて作成された、つなぎプリではない画像も送信するようにしてもよい。そのような場合には、例えば、各画像に、つなぎプリを構成する画像であるか否かを示す情報が付加されて画像が管理される。
【０２２７】
このようにして生成された画像のURLが含まれる電子メールが、サーバ２から携帯型電話機５に送信されると、携帯型電話機５は、送信されてきた電子メールを受信して、画像を閲覧する処理である画像閲覧処理を行う。
【０２２８】
以下、図２７のフローチャートを参照して、携帯型電話機５による、画像閲覧処理について説明する。
【０２２９】
ステップＳ１９１において、通信部３５１の受信部３７１は、ネットワーク４を介してサーバ２から送信されてきた電子メールを受信し、制御部３５７に供給する。制御部３５７は、通信部３５１から供給された電子メールを表示部３５２に供給して、表示部３５２に受信した電子メールを表示させる。これにより、表示部３５２には、例えば、図２８に示す電子メールが表示される。
【０２３０】
図２８の例では、電子メールの宛先として、携帯型電話機５の電子メールアドレスが表示され、差出人として、サーバ２に記録されており、写真シール作成装置３において撮影した画像が閲覧できる携帯型電話機５用のウェブサイトの名前（ウェブサイト名）が表示されている。
【０２３１】
また、図中、ウェブサイト名の下には、電子メールのメッセージとしての文字“以前、写真シール機で撮影したつなぎプリを見たい場合には、以下をクリックして下さい。（撮影日１月３日）”が表示されている。さらに、そのメッセージの下には、つなぎプリを構成する画像のうち、携帯型電話機５を所有する利用者が所有する画像を閲覧するための閲覧ＩＤ、およびその閲覧ＩＤに対する認証用のパスワードが表示されている。
【０２３２】
そして、さらにその下には、利用者が所有する画像（閲覧ＩＤにより特定される画像）を閲覧するためのボタン３８１、利用者が所有する画像に対応付けられたサムネイル画像（つなぎプリを構成する画像のうち、利用者が所有していない方の画像のサムネイル画像）を閲覧するためのボタン３８２、および利用者が所有する画像と対となる画像（つなぎプリを構成する他方の画像）を利用者の友人に送信させるためのボタン３８３が表示されている。ボタン３８１乃至ボタン３８３には、それぞれ文字“あなた用の画像”、“友達に送信する画像”、および“このつなぎプリの片方を、友達に送る”が表示されており、利用者は、入力部３５６を操作してこれらのボタンを選択（操作）することにより、画像を閲覧したり、画像を友達に送信させたりすることができる。
【０２３３】
また、ボタン３８１およびボタン３８２には、画像（またはサムネイル画像）を特定する情報として、画像（またはサムネイル画像）のURLが関係付けられている。さらに、ボタン３８３には、友人が所有する携帯型電話機５への画像の送信の指示を示す情報として、メーラのURLが関係付けられている。なお、電子メールには、これらのボタン３８１乃至ボタン３８３ではなく、画像のURL、サムネイル画像のURL、およびメーラのURLのそれぞれを表示するようにしてもよく、画像やサムネイル画像を直接表示するようにしてもよい。
【０２３４】
図２７のフローチャートの説明に戻り、ステップＳ１９２において、制御部３５７は、画像の表示が指示されたか否かを判定する。例えば、制御部３５７は、図２８のボタン３８１またはボタン３８２が選択（操作）されて、画像の表示（閲覧）が指示されると、画像の表示が指示されたと判定する。
【０２３５】
ステップＳ１９２において、画像の表示が指示されたと判定された場合、指示された画像を閲覧するので、ステップＳ１９３に進み、画像処理部３５３は、利用者の操作に応じて画像のURLを選択し、選択した画像のURLを、表示部３５２に表示している電子メールから取得する。例えば、図２８のボタン３８１およびボタン３８２には、それぞれ電子メールに含まれている画像のURLおよびサムネイル画像のURLが関連付けられており、ボタン３８１が選択された場合、画像処理部３５３は、ボタン３８１に関係付けられた画像のURLを選択して電子メールから取得（抽出）する。
【０２３６】
画像のURL（またはサムネイル画像のURL）が取得されると、制御部３５７は、画像処理部３５３により取得された画像のURL、および記録部３５８に記録されている、携帯型電話機５を特定する端末特定情報を通信部３５１に供給する。
【０２３７】
ステップＳ１９４において、通信部３５１の送信部３７２は、制御部３５７から供給された画像のURLおよび端末特定情報を、ネットワーク４を介してサーバ２に送信する。
【０２３８】
画像のURLおよび端末特定情報をサーバ２に送信すると、サーバ２から携帯型電話機５には、送信した画像のURLにより特定される画像に設定された閲覧ＩＤおよびパスワードを入力するための閲覧ＩＤ入力画面が送信されてくる。
【０２３９】
ステップＳ１９５において、受信部３７１は、サーバ２から送信されてきた閲覧ＩＤ入力画面を受信して、制御部３５７に供給する。そして、制御部３５７は、受信部３７１から供給された閲覧ＩＤ入力画面を表示部３５２に供給して、閲覧ＩＤ入力画面を表示させる。これにより、表示部３５２には、例えば、図２９に示す閲覧ＩＤ入力画面が表示される。
【０２４０】
図２９に示す閲覧ＩＤ入力画面には、画面の図中、上側に文字“ＩＤを入力してください”が表示され、その下には、閲覧ＩＤを入力する閲覧ＩＤ入力欄が設けられている。また、閲覧ＩＤ入力欄の下には、文字“認証用パスワードを入力してください”が表示されており、さらにその下には、閲覧ＩＤに対するパスワードを入力するパスワード入力欄が設けられている。利用者は、入力部３５６を操作して、閲覧ＩＤ入力欄およびパスワード入力欄に、図２８に示した電子メールに表示されている閲覧ＩＤおよびパスワードを入力する。
【０２４１】
利用者が閲覧ＩＤおよびパスワードを入力すると、制御部３５７は、入力部３５６から、入力された閲覧ＩＤおよびパスワードを取得して、通信部３５１の送信部３７２に供給する。
【０２４２】
図２７のフローチャートの説明に戻り、ステップＳ１９６において、送信部３７２は、制御部３５７から供給された閲覧ＩＤおよびパスワードを、ネットワーク４を介してサーバ２に送信する。
【０２４３】
すると、サーバ２から携帯型電話機５には画像が送信されてくるので、ステップＳ１９７において、通信部３５１の受信部３７１は、サーバ２から送信されてきた画像を受信して、制御部３５７に供給する。そして、制御部３５７は、通信部３５１から供給された画像を表示部３５２に供給する。
【０２４４】
ステップＳ１９８において、表示部３５２は、制御部３５７から供給された画像を表示して、画像閲覧処理は終了する。このとき、表示部３５２は、画像が表示部３５２の表示画面にちょうど収まるように（画像が表示画面の大きさとなるように）、供給された画像を表示する。これにより、例えば、表示部３５２には、図３０に示す画像（つなぎプリを構成する片方の画像）が表示される。
【０２４５】
図３０に示す表示部３５２の表示画面には、図中、右方向を向いた利用者が背景として合成された糸電話に話しかけている画像が表示されている。
【０２４６】
また、表示部３５２が表示する画像が、つなぎプリを構成する画像のサムネイル画像である場合、例えば、表示部３５２には、図３１に示す画像（つなぎプリを構成する片方の画像のサムネイル画像）が表示される。
【０２４７】
図３１の例では、サムネイル画像として、利用者とともに、写真シール作成装置３において、撮影作業をした、他の利用者が背景として合成された糸電話で話しを聞いている画像が表示されている。また、サムネイル画像の図中、下側には、このサムネイル画像に対応する画像を、利用者の友人に送信することができる旨のメッセージ“この画像を友達に送信できるよ”が表示されている。さらに、そのメッセージの下には、文字“ＯＫ”が表示されたボタンが表示され、利用者によりこのボタンが選択されると、図３１に示した、サムネイル画像が表示されている画面は閉じられる。
【０２４８】
このように、利用者が所有する画像と対となる画像（つなぎプリを構成する他方の画像）のサムネイル画像を表示することで、利用者は友人に送信する画像を予め確認することができる。また、利用者が所有する画像だけでなく、その画像と対となる画像のサムネイル画像も表示することで、利用者は、表示された画像（またはサムネイル画像）がつなぎプリを構成する画像であることを容易に認識することができる。
【０２４９】
図２７のフローチャートの説明に戻り、ステップＳ１９２において、画像の表示が指示されなかった場合、ステップＳ１９９に進み、制御部３５７は、友人への画像の送信が指示されたか否かを判定する。例えば、図２８に示したボタン３８３が選択されて、つなぎプリを構成する画像のうち、利用者が所有していない画像の利用者の友人への送信が指示された場合、制御部３５７は、友人への画像の送信が指示されたと判定する。また、例えば、利用者により電子メールの表示の終了が指示された場合、制御部３５７は、友人への画像の送信が指示されなかったと判定する。
【０２５０】
ステップＳ１９９において、友人への画像の送信が指示されなかったと判定された場合、利用者の友人に画像を送信しないので、携帯型電話機５は、利用者の操作に応じた処理を行い、画像閲覧処理は終了する。
【０２５１】
これに対して、ステップＳ１９９において、友人への画像の送信が指示されたと判定された場合、ステップＳ２００に進み、他方画像選択処理が行われ、画像閲覧処理は終了する。なお、他方画像選択処理の詳細は後述するが、この他方画像選択処理において、携帯型電話機５は、利用者の友人に送信する、つなぎプリを構成する画像のうちの利用者が所有していない画像、すなわち、利用者が所有する画像と対となる画像を選択する処理が行われる。
【０２５２】
このようにして、携帯型電話機５は、サーバ２から送信されてきた電子メールを受信して、表示する画像を指定する。そして、携帯型電話機５は、指定した画像をサーバ２から受信して表示する。
【０２５３】
このように、指定した画像をサーバ２から受信して表示することで、利用者は、撮影した画像を自分の携帯型電話機５に表示させて楽しむことができる。これにより、例えば、写真シール作成装置３において、撮影作業を行った利用者Ａおよび利用者Ｂは、つなぎプリを構成する画像のうち、それぞれ自分が所有する画像Ａおよび画像Ｂを携帯型電話機５に表示させ、画像Ａが表示された携帯型電話機５および、画像Ｂが表示された携帯型電話機５を並べて１つのつなぎプリを完成させて遊ぶことができ、より娯楽性を向上させることができる。
【０２５４】
次に、図３２のフローチャートを参照して、図２７のステップＳ２００の処理に対応する、他方画像選択処理について説明する。
【０２５５】
つなぎプリを構成する画像のうち、利用者が所有していない画像の利用者の友人への送信が指示されると、ステップＳ２３１において、画像処理部３５３は、利用者の操作に応じてメーラのURLを選択し、選択したメーラのURLを、表示部３５２に表示している電子メールから取得する。例えば、図２８のボタン３８３には、電子メールに含まれているメーラのURLが関連付けられており、ボタン３８３が選択された場合、画像処理部３５３は、電子メールからボタン３８３に関係付けられたメーラのURLを取得（抽出）する。
【０２５６】
メーラのURLが取得されると、制御部３５７は、画像処理部３５３により取得されたメーラのURL、および記録部３５８に記録されている、携帯型電話機５を特定する端末特定情報を通信部３５１に供給する。
【０２５７】
ステップＳ２３２において、通信部３５１の送信部３７２は、制御部３５７から供給されたメーラのURLおよび端末特定情報を、ネットワーク４を介してサーバ２に送信する。その後、ステップＳ２３３の処理およびステップＳ２３４の処理が行われるが、これらの処理は、図２７のステップＳ１９５の処理およびステップＳ１９６の処理と同様であるので、その説明は省略する。
【０２５８】
また、携帯型電話機５が閲覧ＩＤおよびパスワードをサーバ２に送信すると、利用者が所有し、閲覧ＩＤにより特定される画像と対となる画像を既に友人に送信したことがあり、携帯型電話機５を所有する利用者が、サーバ２が公開している携帯型電話機５用のウェブサイトの会員としてまだ登録されていない場合、サーバ２から携帯型電話機５には、会員登録を促すメッセージが表示される会員登録画面が送信されてくる。会員登録画面が送信されてくると、通信部３５１の受信部３７１は、サーバ２から送信されてきた会員登録画面を受信して制御部３５７に供給する。
【０２５９】
ステップＳ２３５において、制御部３５７は、通信部３５１が会員登録画面を受信したか否かを判定する。ステップＳ２３５において、受信していないと判定された場合、ステップＳ２３９に進む。
【０２６０】
これに対して、ステップＳ２３５において、受信したと判定された場合、制御部３５７は、通信部３５１から供給された会員登録画面を表示部３５２に供給して表示させる。これにより、表示部３５２には、例えば、図３３に示す会員登録画面が表示される。
【０２６１】
図３３に示す会員登録画面には、これから友人に送信しようとしている画像は、既に他の友人に送信したことがある旨のメッセージ“この画像は一度友達に送信済みです。もし他の人に送信したいなら、会員登録してください。”が表示され、さらに、会員登録した場合に、特典として、これから友人に送信しようとする画像を利用者も閲覧することができる旨のメッセージ“今、会員登録すれば、友達に送信する画像も見れます”が表示されている。
【０２６２】
さらに、会員登録画面の図中、メッセージの下には、会員登録する処理を開始するためのボタン４１１および会員登録する処理を行わずに、閲覧ＩＤ入力画面に戻るためのボタン４１２が設けられている。ボタン４１１およびボタン４１２には、それぞれ文字“会員登録する”および“戻る”が表示されている。
【０２６３】
図３２のフローチャートの説明に戻り、ステップＳ２３６において、制御部３５７は、会員登録するか否かを判定する。例えば、制御部３５７は、図３３の会員登録画面において、ボタン４１１が選択された場合、会員登録すると判定し、ボタン４１２が選択された場合、会員登録しないと判定する。
【０２６４】
ステップＳ２３６において、会員登録すると判定された場合、制御部３５７は、会員登録する旨の信号を生成し、通信部３５１の送信部３７２は、生成された会員登録する旨の信号をサーバ２に送信する。すると、サーバ２から携帯型電話機５には、携帯型電話機５の所有者である利用者の個人情報を入力するための個人情報入力画面が送信されてくるので、通信部３５１の受信部３７１は、これを受信して制御部３５７に供給する。
【０２６５】
制御部３５７は、通信部３５１から供給された個人情報入力画面を表示部３５２に供給して表示させる。また、利用者が、入力部３５６を操作して、個人情報入力画面に利用者の名前、住所、連絡先、電子メールアドレスなどの個人情報を入力すると、制御部３５７は、入力部３５６から利用者により入力された個人情報を取得して、通信部３５１に供給し、処理はステップＳ２３７に進む。
【０２６６】
ステップＳ２３７において、通信部３５１の送信部３７２は、制御部３５７から供給された個人情報を、ネットワーク４を介してサーバ２に送信する。
【０２６７】
すると、サーバ２から携帯型電話機５には、会員登録が完了した旨の電子メールが送信されてくるので、ステップＳ２３８において、通信部３５１の受信部３７１は、サーバ２から送信されてきた電子メールを受信して、処理はステップＳ２３９に進む。例えば、制御部３５７が、この電子メールを表示部３５２に供給して表示させると、図３４に示す電子メールが表示される。
【０２６８】
図３４の例では、電子メールの宛先として、携帯型電話機５の電子メールアドレスが表示され、差出人として、サーバ２が公開する携帯型電話機５用のウェブサイトの名前が表示されている。また、図中、ウェブサイト名の下には、電子メールのメッセージとしての文字“この度は会員登録していただき、ありがとうございました。登録の特典として、つなぎプリのもう片方の画像を送信します。”が表示されている。さらに、そのメッセージの下には、会員登録の特典として閲覧が可能になった画像を閲覧するためのボタン４３１が表示されており、ボタン４３１には文字“つなぎプリ画像”が表示されている。利用者は、このボタン４３１を選択することにより画像を表示させることができる。
【０２６９】
図３２のフローチャートの説明に戻り、ステップＳ２３６において、会員登録しないと判定された場合、会員登録のための処理は行わないので、制御部３５７は、会員登録しない旨の信号を生成し、通信部３５１の送信部３７２は、生成された会員登録しない旨の信号をサーバ２に送信する。そして、利用者が会員登録するまで、その画像を友人に送信することができないので、ステップＳ２３７の処理乃至ステップＳ２４０の処理はスキップされて処理は終了する。
【０２７０】
ステップＳ２３５において、会員登録画面を受信していないと判定されるか、ステップＳ２３８において、サーバ２からの電子メールを受信すると、ステップＳ２３９において、通信部３５１の受信部３７１は、サーバ２から送信されてきたメールアドレス入力画面を受信して、制御部３５７に供給する。
【０２７１】
制御部３５７は、通信部３５１から供給されたメールアドレス入力画面を、表示部３５２に供給して表示させる。これにより、表示部３５２には、例えば、図３５に示すメールアドレス入力画面が表示される。
【０２７２】
図３５に示すメールアドレス入力画面には、メッセージ“送信したい友達のメールアドレスを記入してください”および“あなたのメールアドレスを記入してください”が表示されており、それぞれのメッセージの下には、これから画像を送信する宛先である、友人（が所有する携帯型電話機５）の電子メールアドレスを入力する送信先入力欄、および利用者（が所有する携帯型電話機５）の電子メールアドレスを入力する紹介者入力欄が設けられている。
【０２７３】
利用者は、入力部３５６を操作して送信先入力欄および紹介者入力欄に、それぞれ電子メールアドレスを入力し、図中、メールアドレス入力画面の下側に表示されている文字“ＯＫ”が表示されているボタンを選択（操作）することで、入力した電子メールアドレスを、サーバ２に送信させることができる。
【０２７４】
図３２のフローチャートの説明に戻り、利用者および友人の電子メールアドレスが入力されると、制御部３５７は、入力された電子メールアドレスを入力部３５６から取得して、通信部３５１に供給する。
【０２７５】
ステップＳ２４０において、通信部３５１の送信部３７２は、制御部３５７から供給された電子メールアドレスを、ネットワーク４を介してサーバ２に送信し、処理は終了する。
【０２７６】
このようにして、携帯型電話機５は、電子メールからつなぎプリを構成する他方の画像の友人（が所有する携帯型電話機５）への送信を指示する情報として、メーラのURLを取得し、取得したメーラのURLおよび端末特定情報を、ネットワーク４を介してサーバ２に送信する。また、携帯型電話機５は画像の送信先としての友人の電子メールアドレスおよび紹介者としての利用者の電子メールアドレスをサーバ２に送信する。
【０２７７】
このように、つなぎプリを構成する他方の画像の友人への送信を指示する情報として、メーラのURLを取得し、取得したメーラのURLおよび端末特定情報をサーバ２に送信することで、サーバ２に、友人が所有する携帯型電話機５宛に画像を送信させることができる。
【０２７８】
したがって、例えば、利用者およびその友人は、つなぎプリを構成する画像のうち、利用者が所有する画像Ａおよびサーバ２から受信した画像Ｂを、それぞれが所有する携帯型電話機５に表示させ、画像Ａが表示された携帯型電話機５および、画像Ｂが表示された携帯型電話機５を並べて１つのつなぎプリを完成させて遊ぶことができ、より利用者の満足度を向上させることができる。
【０２７９】
また、携帯型電話機５に図２８に示した電子メールが表示されている状態で、利用者が入力部３５６を操作してボタン３８１乃至ボタン３８３のいずれかを選択すると、携帯型電話機５は、画像のURLまたはメーラのURLをサーバ２に送信する。
【０２８０】
サーバ２は、携帯型電話機５から画像のURLまたはメーラのURLが送信されてくると、画像を、利用者が所有する携帯型電話機５、または利用者の友人が所有する携帯型電話機５に送信する処理である、画像送信処理を行う。
【０２８１】
以下、図３６のフローチャートを参照して、サーバ２による画像送信処理について説明する。
【０２８２】
ステップＳ２８１において、制御部３０９は、携帯型電話機５により、利用者が所有する携帯型電話機５への画像の送信が指示されたか否かを判定する。すなわち、制御部３０９は、携帯型電話機５から画像のURLが送信されてきたか否かを判定する。
【０２８３】
ステップＳ２８１において、画像の送信が指示されたと判定された場合、ステップＳ２８２に進み、通信部３０１の受信部３２１は、携帯型電話機５から送信されてきた、画像のURLおよび端末特定情報を受信して制御部３０９に供給する。
【０２８４】
ステップＳ２８３において、サーバ２は、ＩＤ認証処理を行う。なお、ＩＤ認証処理の詳細については後述するが、ＩＤ認証処理において、サーバ２は、携帯型電話機５から送信されてきた閲覧ＩＤおよびパスワードの認証を行う。
【０２８５】
ステップＳ２８４において、通信部３０１の送信部３２２は、画像（画像またはサムネイル画像）を、ネットワーク４を介して携帯型電話機５に送信し、画像送信処理は終了する。
【０２８６】
より具体的には、閲覧ＩＤの認証が行われると、画像処理部３０３は、受信した閲覧ＩＤおよび画像のURLに基づいて、画像保管部３１０から画像を取得して通信部３０１に供給する。
【０２８７】
例えば、画像処理部３０３は、受信した画像のURLが、画像Ａを特定する情報である場合（画像Ａのアドレスを示すURLである場合）、閲覧ＩＤおよび画像のURLに基づいて、画像保管部３１０から画像Ａを取得する。また、例えば、受信した画像のURLが、画像Ｂのサムネイル画像ｂを特定する情報である場合（サムネイル画像ｂのアドレスを示すURLである場合）、画像処理部３０３は、閲覧ＩＤおよびサムネイル画像のURLに基づいて、画像保管部３１０から閲覧ＩＤにより特定される画像Ａに対応付けられたサムネイル画像ｂを取得する。
【０２８８】
そして、通信部３０１に画像が供給されると、通信部３０１の送信部３２２は、画像処理部３０３から供給された画像（画像またはサムネイル画像）を、ネットワーク４を介して携帯型電話機５に送信する。
【０２８９】
また、ステップＳ２８１において、画像の送信が指示されなかったと判定された場合、ステップＳ２８５に進み、制御部３０９は、携帯型電話機５により、利用者の友人への画像の送信が指示されたか否かを判定する。すなわち、制御部３０９は、携帯型電話機５からメーラのURLが送信されてきたか否かを判定する。
【０２９０】
ステップＳ２８５において、友人への画像の送信が指示されたと判定された場合、携帯型電話機５からは、メーラのURLおよび端末特定情報が送信されてくるので、ステップＳ２８６において、通信部３０１の受信部３２１は、携帯型電話機５から送信されてきた、メーラのURLおよび端末特定情報を受信して制御部３０９に供給する。また、メーラのURLが受信されると、生成部３０８はメーラを起動させる。
【０２９１】
ステップＳ２８７において、サーバ２は、ステップＳ２８３における処理と同様のＩＤ認証処理を行う。なお、ＩＤ認証処理の詳細については後述するが、ＩＤ認証処理において、サーバ２は、携帯型電話機５から送信されてきた閲覧ＩＤおよびパスワードの認証を行う。
【０２９２】
ステップＳ２８８において、サーバ２は他方画像送信処理を行い、画像送信処理は終了する。なお、他方画像送信処理の詳細は後述するが、他方画像送信処理において、サーバ２は、受信した閲覧ＩＤにより特定される画像の対となる画像（つなぎプリを構成する他方の画像）を、利用者の友人が所有する他の携帯型電話機５に送信する。
【０２９３】
また、ステップＳ２８５において、友人への画像の送信が指示されなかったと判定された場合、利用者の携帯型電話機５からは、利用者または友人への画像の送信が指示されていないので、サーバ２は、携帯型電話機５の要求に応じた処理を行い、画像送信処理は終了する。
【０２９４】
このようにして、サーバ２は画像の送信が指示されると、画像のURLにより特定される画像を携帯型電話機５に送信する。
【０２９５】
このように、画像のURLにより特定される画像を携帯型電話機５に送信することによって、利用者は、自分が所有する携帯型電話機５において、自分が所有するつなぎプリを構成する画像を表示することができ、その画像が表示された携帯型電話機５、および友人が所有するつなぎプリの他方の画像が表示された携帯型電話機５を並べて１つのつなぎプリを完成させて遊ばせることができ、より利用者の満足度を向上させることができる。その結果、写真シール作成装置３の収益性を向上させることができる。
【０２９６】
次に、図３７のフローチャートを参照して、図３６のステップＳ２８３の処理またはステップＳ２８７の処理に対応するＩＤ認証処理について説明する。
【０２９７】
ステップＳ２９１において、GUI処理部３０２は、予め記録している閲覧ＩＤ入力画面を通信部３０１に供給する。そして、通信部３０１の送信部３２２は、GUI処理部３０２から供給された閲覧ＩＤ入力画面を、ネットワーク４を介して携帯型電話機５に送信する。これにより、携帯型電話機５には、例えば、図２９に示した閲覧ＩＤ入力画面が送信される。
【０２９８】
閲覧ＩＤ入力画面が送信されると、携帯型電話機５からサーバ２には、閲覧ＩＤおよびその閲覧ＩＤに対するパスワードが送信されてくるので、ステップＳ２９２において、通信部３０１の受信部３２１は、携帯型電話機５から送信されてきた閲覧ＩＤおよびパスワードを受信して制御部３０９に供給する。
【０２９９】
ステップＳ２９３において、認証部３０７は、パスワード保管部３１４に記録されている、閲覧ＩＤに対応付けられたパスワードを用いて、受信した閲覧ＩＤおよびパスワードの認証を行う。なお、ステップＳ２９３において、認証に失敗した場合には、例えば、再度携帯型電話機５に閲覧ＩＤおよびパスワードを送信させて認証を行う。また、所定の回数（例えば、サーバ２の運営者により定められた回数）だけ連続して認証に失敗した場合には、携帯型電話機５は正規の利用者ではないとして、サーバ２が、閲覧ＩＤにより特定される画像を削除するようにしてもよい。
【０３００】
ステップＳ２９４において、画像処理部３０３の検索部３２３は、属性情報記録部３１１に記録されている各画像の属性情報を参照して、受信した閲覧ＩＤにより特定される画像を検索する。
【０３０１】
ステップＳ２９５において、画像処理部３０３は、受信した端末特定情報が、検索された画像の端末特定情報として設定されているか否かを判定する。例えば、検索部３２３により検索された画像の属性情報に、携帯型電話機５を特定する端末特定情報が含まれている場合、画像処理部３０３は、画像の端末特定情報として設定されていると判定する。
【０３０２】
ステップＳ２９５において、画像の端末特定情報として設定されていないと判定された場合、ステップＳ２９６に進み、管理部３０５は、受信した端末特定情報が、検索された画像の属性情報に含まれるように属性情報を更新することによって（端末特定情報を属性情報に追加することによって）、受信した端末特定情報を、検索された画像の端末特定情報として設定し、処理は終了する。なお、検索された画像の属性情報に、他の携帯型電話機５を特定する端末特定情報が既に含まれている場合、その画像は、既に他の携帯型電話機５の所有者の画像として登録されているので、受信した端末特定情報を、検索された画像の端末特定情報として設定せずに、画像送信処理を終了する。
【０３０３】
また、ステップＳ２９５において、画像の端末特定情報として設定されていると判定された場合、ステップＳ２９６の処理はスキップされて、処理は終了する。
【０３０４】
このようにして、サーバ２は、受信した閲覧ＩＤおよびパスワードの認証を行い、受信した端末特定情報を、検索された画像の端末特定情報として設定する。
【０３０５】
このように、各画像に端末特定情報を設定することによって、各画像を閲覧可能な利用者を特定することができ、より簡単に画像の閲覧を管理することができる。
【０３０６】
次に、図３８のフローチャートを参照して、図３６のステップＳ２８８の処理に対応する、他方画像送信処理について説明する。
【０３０７】
ステップＳ３２１において、管理部３０５は、携帯型電話機５を所有する利用者が会員登録されているか否かを判定する。例えば、管理部３０５は、メールアドレス保管部３１３に記録されている電子メールアドレスを参照して、携帯型電話機５から受信した閲覧ＩＤに対応付けられた利用者の電子メールアドレスを検索する。そして、検索された電子メールアドレスが、会員の電子メールアドレスとしてメールアドレス保管部３１３に記録されている場合、管理部３０５は、利用者が会員登録されていると判定する。
【０３０８】
ステップＳ３２１において、会員登録されていないと判定された場合、ステップＳ３２２に進み、管理部３０５は、閲覧ＩＤにより特定される画像の属性情報を参照して、その画像の属性情報に含まれている友達送信フラグがセットされているか否かを判定する。
【０３０９】
ここで、友達送信フラグは、初期状態においてリセットされており（例えば、“０”に設定されている）、つなぎプリを構成する画像のうち、利用者が所有していない画像（利用者が所有する画像と対となる画像）が、１度でも利用者の友達に送信されると、利用者が所有する画像の属性情報に含まれる友達送信フラグはセットされる（例えば、“１”が設定される）。
【０３１０】
ステップＳ３２２において、友達送信フラグがセットされていると判定された場合、ステップＳ３２３に進み、サーバ２は会員登録誘導処理を行う。なお、会員登録誘導処理の詳細は後述するが、この会員登録誘導処理において、サーバ２は利用者に会員登録を促し、希望者を会員登録する処理を行う。
【０３１１】
ステップＳ３２４において、管理部３０５は、利用者が会員登録した否かを判定する。ステップＳ３２４において、会員登録したと判定された場合、処理はステップＳ３２６に進む。
【０３１２】
これに対して、ステップＳ３２４において、会員登録していないと判定された場合、利用者は、自分の所有する画像と対となる画像を、既に友人に送信しており、会員登録もしていないため、同じ画像を他の友人に送信することはできないので、処理は終了する。
【０３１３】
また、ステップＳ３２２において、友達送信フラグがセットされていないと判定された場合、利用者は、自分の所有する画像と対となる画像を友人に送信したことがないので、ステップＳ３２５に進み、管理部３０５は、携帯型電話機５から受信した閲覧ＩＤ（画像のURL）により特定される画像の属性情報に含まれている友達送信フラグをセットして、処理はステップＳ３２６に進む。
【０３１４】
さらに、ステップＳ３２１において、会員登録されていると判定された場合、会員である利用者は、何度でも同じ画像を友人に送信することができるので、ステップＳ３２６に進む。
【０３１５】
ステップＳ３２４において会員登録したと判定されるか、ステップＳ３２５において友達送信フラグかセットされるか、またはステップＳ３２１において会員登録されていると判定されると、ステップＳ３２６において、検索部３２３は、閲覧グループ情報（および必要に応じて属性情報）を参照して、図３７のステップＳ２９４の処理において検索された画像の閲覧グループに属す（登録されている）、他方の画像を検索する。すなわち、検索部３２３は、つなぎプリを構成する画像のうち、閲覧ＩＤ（画像のURL）により特定される画像と対となる画像を検索する。
【０３１６】
例えば、閲覧グループＡにつなぎプリを構成する画像Ａおよび画像Ｂが登録されており、携帯型電話機５から受信した閲覧ＩＤにより特定される画像が画像Ａである場合、検索部３２３は、閲覧グループ情報（または属性情報）を参照し、閲覧グループＡに登録されている、画像Ａと対となる画像Ｂ（つなぎプリを構成する他の画像Ｂ）を検索する。
【０３１７】
閲覧グループに属す他方の画像が検索されると、GUI処理部３０２は、予め記録しているメールアドレス入力画面を通信部３０１に供給する。
【０３１８】
ステップＳ３２７において、通信部３０１の送信部３２２は、GUI処理部３０２から供給されたメールアドレス入力画面を携帯型電話機５に送信する。例えば、送信部３２２は、図３５に示したメールアドレス入力画面を送信する。なお、利用者が会員登録されている場合には、例えば、図３５の紹介者入力欄に予め利用者の電子メールアドレスが表示されるようにしてもよい。このようにすることで、利用者はいちいち自分の電子メールアドレスを入力する必要がなくなる。
【０３１９】
メールアドレス入力画面が送信されると、携帯型電話機５からは、友人の紹介者である利用者の携帯型電話機５の電子メールアドレス、および画像の送信先である、友人が所有する携帯型電話機５の電子メールアドレスが送信されてくる。
【０３２０】
ステップＳ３２８において、通信部３０１の受信部３２１は、携帯型電話機５から送信されてきたこれらの電子メールアドレスを受信して制御部３０９に供給する。
【０３２１】
ステップＳ３２９において、生成部３０８は、受信した友人（が所有する携帯型電話機５）の電子メールアドレスを宛先とする、紹介者である利用者の電子メールアドレス、およびステップＳ３２６の処理において検索された、利用者が所有する画像と対となる画像のURLが含まれる電子メールを生成する。生成部３０８は、生成した電子メールを制御部３０９を介して通信部３０１に供給する。
【０３２２】
ステップＳ３３０において、通信部３０１の送信部３２２は、生成部３０８から供給された電子メールを利用者の友人が所有する携帯型電話機５に送信し、処理は終了する。
【０３２３】
これにより、利用者の友人が所有する携帯型電話機５には、サーバ２から電子メールが送信されてくるので、友人の携帯型電話機５の受信部３７１は、サーバ２から送信されてきた電子メールを受信する。制御部３５７が受信された電子メールを表示部３５２に供給して表示させると、表示部３５２には、例えば、図３９に示す電子メールが表示される。
【０３２４】
図３９の例では、電子メールの宛先として、友人が所有する携帯型電話機５の電子メールアドレスが表示され、差出人として、サーバ２が公開する携帯型電話機５用のウェブサイトの名前が表示されている。また、図中、ウェブサイト名の下には、電子メールのメッセージ“あなたのお友達から、つなぎプリの画像をお預かりしました。お友達と携帯を並べて、画像をつないでください。”が表示されている。さらに、そのメッセージの下には、紹介者としての利用者の電子メールアドレスが表示されている。その電子メールアドレスの下には、利用者の友人に送信された画像を閲覧するためのボタン４６１が表示されており、ボタン４６１には文字“つなぎプリ画像”が表示されている。利用者の友人は、このボタン４６１を選択することにより画像を表示させることができる。
【０３２５】
友人が受信した電子メールには、受信した画像がつなぎプリを構成する画像であり、画像を表示させて利用者の携帯型電話機５と並べて遊ぶことができる旨のメッセージが表示されるので、友人は、利用者（より詳細にはサーバ２）から送信されてきた画像がつなぎプリを構成する画像であることを認識することができ、つなぎプリという新しい遊びの要素を有効に活用して遊ぶことができる。
【０３２６】
このようにして、サーバ２は、つなぎプリを構成する、利用者が所有する画像と対となる画像を検索し、検索された画像のURLが含まれる電子メールを生成して利用者の友人が所有する携帯型電話機５に送信する。
【０３２７】
このように、つなぎプリを構成する、利用者が所有する画像と対となる画像を検索し、検索された画像のURLが含まれる電子メールを生成して利用者の友人が所有する携帯型電話機５に送信することで、利用者はより多くの友人とつなぎプリを楽しむことができ、利用者の満足度を向上させることができる。
【０３２８】
また、従来は、写真シール作成装置において、電子メールアドレスを入力した利用者にしか撮影された画像を送信することができなかったが、図１に示した写真シール作成装置３を利用することで、利用者は、自分が所有する画像と対となる画像を友人に送信することができ、つなぎプリを構成する画像を並べて友人と遊ぼうとする利用者の意思を向上させることができる。これにより、利用者の満足度を向上させることができる。
【０３２９】
次に、図４０のフローチャートを参照して、図３８のステップＳ３２３の処理に対応する会員登録誘導処理について説明する。
【０３３０】
ステップＳ３６１において、GUI処理部３０２は、予め記録している会員登録画面を通信部３０１に供給する。そして、通信部３０１の送信部３２２は、GUI処理部３０２から供給された会員登録画面を携帯型電話機５に送信する。
【０３３１】
会員登録画面が送信されると、携帯型電話機５からサーバ２には、会員登録する旨の信号または会員登録しない旨の信号が送信されてくるので、通信部３０１の受信部３２１は、この信号を受信して制御部３０９に供給する。
【０３３２】
ステップＳ３６２において、制御部３０９は、携帯型電話機５を所有する利用者が会員登録を希望したか否かを判定する。例えば、制御部３０９は、会員登録する旨の信号を受信した場合、会員登録を希望したと判定し、会員登録しない旨の信号受信した場合、会員登録を希望しなかったと判定する。
【０３３３】
ステップＳ３６２において、会員登録を希望しなかったと判定された場合、利用者は会員登録しないので、処理は、図３８のステップＳ３２４に進む。
【０３３４】
これに対して、ステップＳ３６２において、会員登録を希望したと判定された場合、GUI処理部３０２は、予め記録している個人情報入力画面を通信部３０１に供給し、処理はステップＳ３６３に進む。
【０３３５】
ステップＳ３６３において、通信部３０１の送信部３２２は、GUI処理部３０２から供給された個人情報入力画面を携帯型電話機５に送信する。すると、携帯型電話機５からサーバ２には、利用者の個人情報が送信されてくるので、ステップＳ３６４において、通信部３０１の受信部３２１は、携帯型電話機５から送信されてきた個人情報を受信して、制御部３０９に供給する。
【０３３６】
管理部３０５は、受信した個人情報を制御部３０９から取得してメールアドレス保管部３１３に供給し、メールアドレス保管部３１３に個人情報を記録させる。また、管理部３０５は、取得した個人情報に含まれている、利用者の電子メールアドレスを抽出（取得）して、抽出した電子メールアドレスをメールアドレス保管部３１３に記録されている会員の電子メールアドレスに追加する。
【０３３７】
ステップＳ３６５において、検索部３２３は、図３７のステップＳ２９４の処理において、閲覧ＩＤから検索された画像の閲覧グループに属す（登録されている）、他方の画像を検索する。
【０３３８】
ステップＳ３６６において、管理部３０５は、検索された他方の画像の属性情報に含まれている端末特定情報に会員登録した利用者の端末特定情報を設定する。すなわち、管理部３０５は、検索された他方の画像の属性情報に、新たに会員登録した利用者が所有する携帯型電話機５の端末特定情報（図３６のステップＳ２８６の処理で受信した端末特定情報）を追加する。
【０３３９】
このように、検索された他方の画像の属性情報に、利用者の携帯型電話機５の端末特定情報を追加することにより、利用者は、自分の所有する画像だけでなく、自分の所有する画像と対となる他方の画像も閲覧することができるようになる。
【０３４０】
ステップＳ３６７において、生成部３０８は、受信した個人情報に含まれる利用者の電子メールアドレスを宛先とし、他方の画像のURLが含まれる、会員登録が完了した旨の電子メールを生成し、生成した電子メールを通信部３０１に供給する。
【０３４１】
ステップＳ３６８において、通信部３０１の送信部３２２は、生成部３０８から供給された電子メールを利用者の電子メールアドレス宛に（すなわち、利用者の携帯型電話機５に）送信し、処理は図３８のステップＳ３２４に進む。
【０３４２】
なお、他方の画像のURLが含まれる電子メールを送信すると説明したが、電子メールに限らず、他方の画像のURLが含まれるウェブページを生成して、携帯型電話機５に送信するようにしてもよい。
【０３４３】
このようにして、サーバ２は、利用者の個人情報を受信して会員登録を行い、利用者の電子メールアドレス宛に、他方の画像のURLが含まれた電子メールを送信する。
【０３４４】
このように、会員登録した利用者に、特典として他方の画像を閲覧することができるようにすることにより会員数を増やすことができ、サーバ２の管理者は、会員の個人情報を参照して収益性を向上させることができる。
【０３４５】
また、サーバ２から利用者の友人が所有する携帯型電話機５に、利用者が所有する画像と対となる他方の画像のURLが含まれる電子メールが送信されると、友人の携帯型電話機５には、例えば、図３９に示した電子メールが表示される。友人が携帯型電話機５を操作して、ボタン４６１を選択すると、友人が所有する携帯型電話機５は、つなぎプリを構成する画像を表示する友達閲覧処理を開始する。
【０３４６】
なお、会員登録した利用者が、携帯型電話機５を操作して、図３４に示したボタン４３１を選択した場合においても同様の友達閲覧処理が行われる。
【０３４７】
以下、図４１のフローチャートを参照して、携帯型電話機５による友達閲覧処理について説明する。
【０３４８】
ステップＳ３９１において、画像処理部３５３は、利用者の操作に応じて、画像のURLを選択し、選択された画像のURLを、表示部３５２に表示している電子メールから取得する。例えば、図３９のボタン４６１には、画像を特定する情報として、電子メールに含まれている画像のURLが関連付けられており、ボタン４６１が選択された場合、画像処理部３５３は、電子メールからボタン４６１に関係付けられた画像のURLを取得（抽出）する。
【０３４９】
画像のURLが取得されると、制御部３５７は、画像処理部３５３により取得された画像のURL、および記録部３５８に記録されている、携帯型電話機５を特定する端末特定情報を通信部３５１に供給する。
【０３５０】
ステップＳ３９２において、通信部３５１の送信部３７２は、制御部３５７から供給された画像のURLおよび端末特定情報をサーバ２に送信する。すると、サーバ２から携帯型電話機５には画像が送信されてくるので、ステップＳ３９３において、通信部３５１の受信部３７１は、サーバ２から送信されてきた画像を受信して、制御部３５７に供給する。そして、制御部３５７は、通信部３５１から供給された画像を表示部３５２に供給する。
【０３５１】
ステップＳ３９４において、表示部３５２は、制御部３５７から供給された画像を表示して、友達閲覧処理は終了する。
【０３５２】
このようにして、携帯型電話機５は、サーバ２から画像を受信して表示する。
【０３５３】
ところで、友達閲覧処理が開始されて、携帯型電話機５からサーバ２に画像のURLおよび端末特定情報が送信されると、サーバ２は、画像のURLにより特定される画像を携帯型電話機５に送信する処理である、友達画像送信処理を開始する。
【０３５４】
以下、図４２のフローチャートを参照して、サーバ２による友達画像送信処理について説明する。
【０３５５】
ステップＳ４３１において、通信部３０１の受信部３２１は、携帯型電話機５から送信されてきた画像のURLおよび端末特定情報を受信して、制御部３０９に供給する。
【０３５６】
ステップＳ４３２において、画像処理部３０３は、受信した端末特定情報が、画像のURLにより特定される画像の端末特定情報として設定されているか否かを判定する。例えば、属性情報記録部３１１に記録されている、画像のURLにより特定される画像の属性情報に受信した携帯型電話機５を特定する端末特定情報が含まれている場合、画像処理部３０３は、画像の端末特定情報として設定されていると判定する。
【０３５７】
ステップＳ４３２において、画像の端末特定情報として設定されていないと判定された場合、画像のURLにより特定される画像は、受信した端末特定情報により特定される携帯型電話機５の利用者（友人）が所有する画像ではないので、ステップＳ４３３に進み、検索部３２３は、画像のURLにより特定される画像が登録されている閲覧グループの他の画像のうち、受信した端末特定情報が設定されている画像を検索する。
【０３５８】
ステップＳ４３４において、画像処理部３０３は、検索部３２３による検索の結果、受信した端末特定情報が、端末特定情報として設定されている画像があるか否かを判定する。ステップＳ４３４において、端末特定情報として設定されている画像がないと判定された場合、ステップＳ４３５に進む。
【０３５９】
ステップＳ４３４において、端末特定情報として設定されている画像がないと判定されるか、ステップＳ４３２において、画像の端末特定情報として設定されていると判定されると、画像処理部３０３は、画像のURLにより特定される画像を画像保管部３１０から取得して通信部３０１に供給する。ステップＳ４３５において、通信部３０１の送信部３２２は、画像処理部３０３から供給された画像を携帯型電話機５に送信して、友達画像送信処理は終了する。
【０３６０】
これに対して、ステップＳ４３４において、端末特定情報として設定されている画像があると判定された場合、画像のURLにより特定される画像を閲覧しようとしている人は、その画像の対となる画像（つなぎプリを構成する他方の画像）の所有者、すなわち、画像のURLにより特定される画像が登録されている閲覧グループの画像群の撮影作業を行った利用者であって、利用者が紹介した友人（撮影作業をしていない友人）ではないので、GUI処理部３０２は、予め記録している、画像を閲覧できない旨のメッセージが表示される閲覧禁止画面を通信部３０１に供給し、処理はステップＳ４３６に進む。
【０３６１】
ステップＳ４３６において、通信部３０１の送信部３２２は、GUI処理部３０２から供給された閲覧禁止画面を携帯型電話機５に送信して、友達画像送信処理は終了する。
【０３６２】
サーバ２から閲覧禁止画面が送信された場合、携帯型電話機５は、図４１のステップＳ３９３において、閲覧禁止画面を受信し、ステップＳ３９４において、例えば、図４３に示す閲覧禁止画面を表示する。
【０３６３】
図４３に示す閲覧禁止画面では、図中、画面中央に画像を閲覧できない旨のメッセージ“あなたはこのつなぎプリ画像の撮影者なので画像を取得できません。同じ撮影をした人からあなたの持つ画像とは別の画像をもらうことはできません”が表示されている。
【０３６４】
また、そのメッセージの下には、文字“ＯＫ”が表示されているボタンが設けられ、このボタンが操作されると、閲覧禁止画面は閉じられる。
【０３６５】
このようにして、サーバ２は、携帯型電話機５から画像のURLを受信すると、その画像のURLにより特定される画像を携帯型電話機５に送信する。
【０３６６】
このように、画像のURLにより特定される画像を携帯型電話機５に送信することによって、撮影作業を行っていない利用者の友人も画像を表示して楽しむことができる。
【０３６７】
また、利用者の友人が画像を閲覧する場合に、閲覧しようとする画像が属す閲覧グループの画像に友人の携帯型電話機５の端末特定情報が設定されているか否かを基に、友人が撮影作業を行った利用者であるか否かを判定するようにしているので、撮影作業を行った複数の利用者のうちの誰かが電子メールアドレスの入力ミスなどにより、所有したい画像を正しく登録できなかったときにも、他の利用者が、画像を登録できなかった利用者を友人として、その利用者に他の利用者が所有する画像と対となる他方の画像の送信を指示することで、利用者は、自分が登録しようとしていた画像を閲覧することができる。
【０３６８】
なお、つなぎプリを構成する画像が３以上ある場合、利用者が友人に送信したい画像を選べるようにしてもよい。以下、図４４のフローチャートを参照して、このような場合に行われる、図２７のステップＳ２００の処理に対応する他方画像選択処理について説明する。
【０３６９】
なお、ステップＳ４６１の処理乃至ステップＳ４６７の処理のそれぞれは、図３２のステップＳ２３１の処理乃至ステップＳ２３７の処理のそれぞれと同様であるのでその説明は省略する。
【０３７０】
携帯型電話機５からサーバ２に個人情報が送信されると、サーバ２から携帯型電話機５には、特典として利用者が閲覧できる画像を選択するための画像選択画面が送信されてくるので、ステップＳ４６８において、通信部３５１の受信部３７１は、サーバ２から送信されてきた画像選択画面を受信し、表示部３５２は、受信した画像選択画面を表示する。
【０３７１】
利用者が、画像選択画面を見ながら自分が閲覧したい画像を選択すると、画像処理部３５３は、利用者の操作に応じて画像のURLを選択し、選択した画像のURLを表示部３５２に表示されている画像選択画面から取得して通信部３５１に供給する。
【０３７２】
ステップＳ４６９において、通信部３５１の送信部３７２は、画像処理部３５３から供給された、選択された画像のURLをサーバ２に送信する。その後、ステップＳ４７０において、通信部３５１の受信部３７１は、サーバ２から送信されてきた会員登録が完了した旨の電子メールを受信し、ステップＳ４７１に進む。
【０３７３】
ステップＳ４７０において、電子メールが受信されるか、ステップＳ４６５において、会員登録画面が受信されなかったと判定されると、サーバ２から携帯型電話機５には、友人に送信する画像を選択するための画像選択画面が送信されてくるので、ステップＳ４７１において、通信部３５１の受信部３７１は、サーバ２から送信されてきた画像選択画面を受信し、表示部３５２は、受信した画像選択画面を表示する。
【０３７４】
これにより、表示部３５２には、例えば、図４５に示す画像選択画面が表示される。図４５Ａに示す画像選択画面には、利用者に送信する画像の選択を促すメッセージ“友達に送信したい画像を選択してください”が表示され、そのメッセージの下には、つなぎプリを構成する画像のうちの１つを選択するためのボタン４９１およびボタン４９２が表示されている。
【０３７５】
ボタン４９１およびボタン４９２には、それぞれ文字“真中の画像”および“左側の画像”が表示されており、利用者がどのボタンを選択すれば、どの画像が送信されるかが容易に分かるようになされている。利用者は、入力部３５６を操作して、ボタン４９１またはボタン４９２を選択することにより、所望する画像を友人に送信させることができる。
【０３７６】
なお、ステップＳ４６８の処理において受信されて表示される画像選択画面は、例えば、図４５Ａに示した画像選択画面中のメッセージが“所有したい画像を選択してください”などとされたものとすることができる。
【０３７７】
また、画像選択画面には、図４５Ｂに示すように、利用者が友人に送信することができる画像のサムネイル画像を表示させて、表示されているサムネイル画像を選択するようにしてもよい。
【０３７８】
図４５Ｂに示す画像選択画面には、図中、画面中央に、利用者に送信する画像の選択を促すメッセージ“友達に送信したい画像を選択してください”が表示されている。また、そのメッセージの下には、利用者が所有する画像と、つなぎプリを構成する他の画像のサムネイル画像５０１およびサムネイル画像５０２とが表示されている。利用者は、入力部３５６を操作し、画像選択画面に表示されているカーソルを移動させてサムネイル画像５０１またはサムネイル画像５０２を選択することにより、所望する画像を友人に送信させることができる。
【０３７９】
図４４のフローチャートの説明に戻り、利用者が送信する画像を選択すると、画像処理部３５３は、利用者の操作に応じて画像のURLを選択し、選択した画像のURLを、表示部３５２に表示されている画像選択画面から取得して通信部３５１に供給する。
【０３８０】
ステップＳ４７２において、通信部３５１の送信部３７２は、画像処理部３５３から供給された、選択された画像のURLをサーバ２に送信する。その後、ステップＳ４７３の処理およびステップＳ４７４の処理が行われるが、これらの処理は、図３２のステップＳ２３９の処理およびステップＳ２４０の処理と同様であるため、その説明は省略する。
【０３８１】
また、図４６のフローチャートを参照して、つなぎプリを構成する画像が３以上ある場合に行われる、図３６のステップＳ２８８の処理に対応する他方画像送信処理について説明する。
【０３８２】
なお、ステップＳ５０１の処理乃至ステップＳ５０５の処理のそれぞれは、図３８のステップＳ３２１の処理乃至ステップＳ３２５の処理のそれぞれと同様であるので、その説明は省略する。なお、詳細は後述するが、ステップＳ５０３の会員登録誘導処理においては、利用者が特典として閲覧したい画像を選択するための画像選択画面が携帯型電話機５に送信される。
【０３８３】
ステップＳ５０６において、検索部３２３は、図３７のステップＳ２９４の処理において検索された画像の閲覧グループに属す（登録されている）、他の画像を検索する。例えば、つなぎプリが３つの画像で構成されている場合、検索部３２３は、つなぎプリを構成する他の２つの画像を検索する。
【０３８４】
閲覧グループに属す他の画像が検索されると、ステップＳ５０７において、GUI処理部３０２は、検索された画像のURLを含む画像選択画面を生成して通信部３０１に供給する。
【０３８５】
なお、検索された画像を選択させるために画像選択画面を生成すると説明したが、検索された他の画像のうち、まだ端末特定情報が設定されていない画像がある場合には、送信する画像を利用者に選択させずに、画像処理部３０３により検索された他の画像のうちの端末特定情報が設定されていない画像を選択するようにしてもよい。
【０３８６】
ステップＳ５０８において、通信部３０１の送信部３２２は、GUI処理部３０２から供給された画像選択画面を携帯型電話機５に送信する。そして、携帯型電話機５を所有する利用者が送信する画像を選択すると、携帯型電話機５からサーバ２には選択された画像のURLが送信されてくるので、ステップＳ５０９において、通信部３０１の受信部３２１は、携帯型電話機５から送信されてきた画像のURLを受信する。
【０３８７】
その後、ステップＳ５１０の処理乃至ステップＳ５１３の処理が行われるが、これらの処理は図３８のステップＳ３２７の処理乃至ステップＳ３３０の処理と同様であるので、その説明は省略する。
【０３８８】
このようにして、サーバ２は、選択された画像のURLが含まれた電子メールを生成して、利用者の友人が所有する携帯型電話機５に送信する。
【０３８９】
次に、図４７のフローチャートを参照して、図４６のステップＳ５０３の処理に対応する会員登録誘導処理について説明する。なお、ステップＳ５４１の処理乃至ステップＳ５４４の処理のそれぞれは、図４０のステップＳ３６１の処理乃至ステップＳ３６４の処理のそれぞれと同様であるので、その説明は省略する。
【０３９０】
ステップＳ５４５において、検索部３２３は、図３７のステップＳ２９４の処理において、閲覧ＩＤから検索された画像の閲覧グループに属す（登録されている）、他の画像（つなぎプリを構成する他の画像）を検索する。
【０３９１】
ステップＳ５４６において、GUI処理部３０２は、検索された画像（つなぎプリを構成する他の画像）のURLを含む画像選択画面を生成して通信部３０１に供給する。ステップＳ５４７において、通信部３０１の送信部３２２は、GUI処理部３０２から供給された画像選択画面を携帯型電話機５に送信する。そして、携帯型電話機５を所有する利用者が送信する画像を選択すると、携帯型電話機５からサーバ２には選択された画像のURLが送信されてくるので、ステップＳ５４８において、通信部３０１の受信部３２１は、携帯型電話機５から送信されてきた画像のURLを受信する。
【０３９２】
ステップＳ５４９において、管理部３０５は、選択された画像（受信した画像のURLにより特定される画像）の属性情報に含まれている端末特定情報に会員登録した利用者の端末特定情報を設定する。
【０３９３】
ステップＳ５５０において、生成部３０８は、受信した個人情報に含まれる利用者の電子メールアドレスを宛先とし、選択された画像のURLが含まれる、会員登録が完了した旨の電子メールを生成し、生成した電子メールを通信部３０１に供給する。
【０３９４】
そして、ステップＳ５５１において、通信部３０１の送信部３２２は、電子メールを携帯型電話機５に送信して、処理は図４６のステップＳ５０４に進む。
【０３９５】
このようにして、サーバ２は、利用者の個人情報を受信して会員登録を行い、利用者の電子メールアドレス宛に、選択された画像のURLが含まれた電子メールを送信する。なお、会員登録の特典として、１つの画像を閲覧できるようにするのではなく、つなぎプリを構成する全ての画像を閲覧できるようにしてもよい。この場合、携帯型電話機５に画像選択画面は送信されず、検索された他の画像全てに端末特定情報が設定される。
【０３９６】
また、１度の撮影作業において撮影された複数の画像を、閲覧グループを特定するグループＩＤにより管理し、利用者により選択された画像に閲覧ＩＤを設定するようにしてもよい。以下、図４８乃至図６６を参照して、撮影された画像をグループＩＤにより管理する場合について説明する。
【０３９７】
そのような場合、サーバ２は、例えば、図４８に示すように構成される。なお、図４８において、図２４における場合と対応する部分には同一の符号を付してあり、その説明は適宜省略する。
【０３９８】
図４８に示すサーバ２には、図２４に示したサーバ２に新たに総合受付操作部５３１が設けられている。この総合受付操作部５３１は、サーバ２が公開している携帯型電話機５用のウェブサイトのトップページ（ウェブサイトの入り口）である総合受付画面において入力された各種のＩＤに応じた処理を、サーバ２の各部に行わせる。
【０３９９】
また、属性情報記録部３１１に記録されている各画像の属性情報には、さらに、属性情報により特定される画像を利用者の友人が閲覧するために設定される友達ＩＤが含まれている。閲覧グループ情報記録部３１２に記録されている各閲覧グループ情報には、さらに、閲覧グループを特定するグループＩＤが含まれている。
【０４００】
ところで、写真シール作成装置３から撮影画像および電子メールアドレスが送信されてくると、サーバ２は、撮影画像および電子メールアドレスを受信して、総合受付画面のURLが含まれた電子メールを送信する処理を行う。
【０４０１】
以下、図４９のフローチャートを参照して、サーバ２によるメール送信処理について説明する。なお、ステップＳ５８１の処理およびステップＳ５８２の処理は、図２６のステップＳ１５１の処理およびステップＳ１５２の処理と同様であるため、その説明は省略する。
【０４０２】
ステップＳ５８３において、管理部３０５は、受信した画像が登録された閲覧グループにグループＩＤおよびそのグループＩＤに対するパスワードを設定する。すなわち、管理部３０５は、受信した画像が登録された閲覧グループを特定するグループＩＤを定め、さらに、そのグループＩＤに対するパスワードを定める。
【０４０３】
そして、管理部３０５は、設定したグループＩＤを閲覧グループ情報記録部３１２に供給して、そのグループＩＤにより特定される閲覧グループの閲覧グループ情報にグループＩＤが含まれるように、供給したグループＩＤを追加させる。また、管理部３０５は、設定したグループＩＤに対するパスワードをパスワード保管部３１４に供給して記録させる。
【０４０４】
その後、ステップＳ５８４の処理およびステップＳ５８５の処理が行われるが、これらの処理は、図２６のステップＳ１５３の処理およびステップＳ１５４の処理と同様であるので、その説明は省略する。
【０４０５】
ステップＳ５８６において、管理部３０５は、受信した各画像の属性情報を生成し、生成した属性情報を属性情報記録部３１１に供給する。そして、属性情報記録部３１１は、管理部３０５から供給された属性情報を記録する。
【０４０６】
例えば、つなぎプリを構成する画像Ａおよび画像Ｂを受信した場合、管理部３０５は、画像Ａの属性情報として、画像Ｂのサムネイル画像ｂ、友達送信フラグ、および画像Ａが登録されている（属す）閲覧グループを示す情報を生成する。
【０４０７】
ステップＳ５８７において、生成部３０８は受信された電子メールアドレスを宛先とする、総合受付画面のURL、設定されたグループＩＤ、およびそのグループＩＤに対するパスワードが含まれる電子メールを生成して通信部３０１に供給する。
【０４０８】
ステップＳ５８８において、通信部３０１の送信部３２２は、生成部３０８から供給された電子メールを、ネットワーク４を介して、その電子メールの宛先（すなわち、携帯型電話機５）に送信し、メール送信処理は終了する。
【０４０９】
このようにして、サーバ２は、写真シール作成装置３から送信されてきた画像および電子メールアドレスを受信し、受信した電子メールアドレスを宛先とする、総合受付画面のURLが含まれる電子メールを生成して送信する。
【０４１０】
このように総合受付画面のURLが含まれる電子メールを生成して送信することで、これを受信した携帯型電話機５は、総合受付画面にアクセスして、撮影した画像を表示させることができる。
【０４１１】
このようにして生成された総合受付画面のURLが含まれる電子メールが、サーバ２から携帯型電話機５に送信されると、携帯型電話機５は、送信されてきた電子メールを受信して画像を閲覧する処理である、画像閲覧処理を行う。
【０４１２】
以下、図５０のフローチャートを参照して、携帯型電話機５による画像閲覧処理について説明する。
【０４１３】
ステップＳ６２１において、通信部３５１の受信部３７１は、ネットワーク４を介してサーバ２から送信されてきた電子メールを受信し、制御部３５７に供給する。制御部３５７は、通信部３５１から供給された電子メールを表示部３５２に供給して、表示部３５２に受信した電子メールを表示させる。これにより、表示部３５２には、例えば、図５１に示す電子メールが表示される。
【０４１４】
図５１の例では、電子メールの宛先として、携帯型電話機５の電子メールアドレスが表示され、差出人として、サーバ２が公開している携帯型電話機５用のウェブサイトの名前が表示されている。
【０４１５】
また、図中、ウェブサイト名の下には、電子メールのメッセージ“以前写真シール機で撮影したつなぎプリを見たり、友達に送信する場合は、以下をクリックして下さい。（撮影日１月３日）”が表示されている。さらに、そのメッセージの下には、総合受付画面にアクセスするためのボタン５５１が設けられている。ボタン５５１には、文字“総合受付画面”が表示されており、利用者は、このボタン５５１を選択することで、総合受付画面を表示させることができる。
【０４１６】
また、図中、ボタン５５１の下には、グループＩＤおよびそのグループＩＤに対するパスワードが表示されている。
【０４１７】
図５０のフローチャートの説明に戻り、利用者が入力部３５６を操作して、総合受付画面にアクセスするためのボタン５５１を選択すると、ステップＳ６２２において、画像処理部３５３は、表示部３５２に表示している電子メールから、総合受付画面のURLを取得する。例えば、図５１のボタン５５１には、電子メールに含まれている総合受付画面のURLが関連付けられており、ボタン５５１が選択された場合、画像処理部３５３は、電子メールからボタン５５１に関係付けられた総合受付画面のURLを取得（抽出）する。
【０４１８】
総合受付画面のURLが取得されると、制御部３５７は、画像処理部３５３により取得された総合受付画面のURL、および記録部３５８に記録されている端末特定情報を通信部３５１に供給する。
【０４１９】
また、ステップＳ６２２において、通信部３５１の送信部３７２は、制御部３５７から供給された総合受付画面のURLおよび端末特定情報をサーバ２に送信する。すると、サーバ２から携帯型電話機５には、総合受付画面が送信されてくるので、ステップＳ６２３において、通信部３５１の受信部３７１は、サーバ２から送信されてきた総合受付画面を受信して、制御部３５７に供給する。制御部３５７は、総合受付画面を表示部３５２に供給して表示させる。
【０４２０】
これにより、表示部３５２には、例えば、図５２に示す総合受付画面が表示される。図５２の例では、総合受付画面には、図中、上側にサーバ２が公開しているウェブサイトのサイト名が表示され、その下には文字“ＩＤを入力してください”が表示され、その下には、ＩＤを入力するＩＤ入力欄が設けられている。また、ＩＤ入力欄の下には、文字“パスワードを入力してください”が表示されており、さらにその下には、ＩＤに対するパスワードを入力するパスワード入力欄が設けられている。利用者は、入力部３５６を操作して、ＩＤ入力欄およびパスワード入力欄に、図５１に示した電子メールに表示されているグループＩＤおよびパスワードを入力する。
【０４２１】
利用者がグループＩＤおよびパスワードを入力すると、制御部３５７は、入力部３５６から、入力されたグループＩＤおよびパスワードを取得して、通信部３５１の送信部３７２に供給する。
【０４２２】
図５０のフローチャートの説明に戻り、ステップＳ６２４において、通信部３５１の送信部３７２は、グループＩＤおよびパスワードをサーバ２に送信する。すると、サーバ２からは、グループＩＤにより特定される閲覧グループに登録されている画像のうち、どの画像を利用者の所有する画像とするかを選択するための登録画像選択画面が送信されてくる。
【０４２３】
ステップＳ６２５において、通信部３５１の受信部３７１はサーバ２から送信されてきた登録画像選択画面を受信し、表示部３５２は、受信した登録画像選択画面を表示する。これにより、表示部３５２には、例えば、図５３に示す登録画像選択画面が表示される。
【０４２４】
図５３の例では、登録画像選択画面には、画像の選択を促すメッセージ“撮影した画像は、以下になります 所有したい画像を選択してください”が表示されている。また、そのメッセージの下には、つなぎプリを構成する画像のうちの１つを選択するためのボタン５７１およびボタン５７２が表示されている。
【０４２５】
ボタン５７１およびボタン５７２には、それぞれ文字“右側の画像”および“左側の画像”が表示されている。また、ボタン５７２の下には、ボタン５７２により選択することができる画像は、利用者とともに撮影作業を行った他の利用者に既に選択されてしまった旨のメッセージ“お友達に登録されています”が表示されている。そして、このメッセージが表示されたボタンは、利用者が選択することができないようになされている。
【０４２６】
また、登録画像選択画面には、例えば、図５４に示すように、画像の選択を促すメッセージ“以前撮影した画像は、以下になります 所有したい画像を選択してください”の下に、撮影されたつなぎプリを構成する画像（のサムネイル画像）を表示し、利用者がそれらの画像から所望する画像を選択できるようにしてもよい。この場合においては、既に他の利用者によって選択されてしまった画像には、その画像の中央に文字“登録済み”が表示され、利用者が選択することができないようになされている。
【０４２７】
利用者が入力部３５６を操作して、画像を選択すると、画像処理部３５３は、利用者の操作に応じて画像のURLを選択し、選択した画像のURLを表示部３５２に表示している登録画像選択画面から取得して通信部３５１に供給する。
【０４２８】
図５０のフローチャートの説明に戻り、ステップＳ６２６において、通信部３５１の送信部３７２は、画像処理部３５３から供給された画像のURLをサーバ２に送信する。すると、サーバ２から携帯型電話機５には、メールアドレス入力画面が送信されてくるので、ステップＳ６２７において、通信部３５１の受信部３７１は、サーバ２から送信されてきたメールアドレス入力画面を受信し、表示部３５２は、受信されたメールアドレス入力画面を表示する。
【０４２９】
これにより、表示部３５２には、例えば、図５５に示すメールアドレス入力画面が表示される。図５５に示すメールアドレス入力画面には、電子メールアドレスの入力を促すメッセージ“あなたのメールアドレスを記入してください”が表示されている。また、そのメッセージの下には、閲覧ＩＤおよびパスワードを送信する旨のメッセージ“新たに閲覧ＩＤとパスワードを送信します。今後はそちらをお使いください。”が表示されている。
【０４３０】
さらに、メールアドレス入力画面の図中、下側には、利用者（が所有する携帯型電話機５）の電子メールアドレスを入力するアドレス入力欄が設けられている。利用者は、入力部３５６を操作してアドレス入力欄に、電子メールアドレスを入力し、図中、メールアドレス入力画面の下側に表示されている文字“ＯＫ”が表示されているボタンを選択（操作）することで、入力した電子メールアドレスを、サーバ２に送信させることができる。
【０４３１】
図５０のフローチャートの説明に戻り、利用者の電子メールアドレスが入力されると、制御部３５７は、入力された電子メールアドレスを入力部３５６から取得して、通信部３５１に供給する。
【０４３２】
ステップＳ６２８において、通信部３５１の送信部３７２は、制御部３５７から供給された電子メールアドレスをサーバ２に送信する。電子メールアドレスが送信されると、サーバ２から携帯型電話機５には、選択した画像に設定された閲覧ＩＤ、および閲覧ＩＤに対するパスワードが含まれる電子メールが送信されてくる。
【０４３３】
ステップＳ６２９において、通信部３５１の受信部３７１はサーバ２から送信されてきた、閲覧ＩＤおよびパスワードが含まれている電子メールを受信する。また、サーバ２から携帯型電話機５には、電子メールとともに、利用者が所有する画像に対する処理を選択する処理選択画面が送信されてくる。
【０４３４】
ステップＳ６３０において、通信部３５１の受信部３７１はサーバ２から送信されてきた処理選択画面を受信し、表示部３５２は、受信した処理選択画面を表示する。これにより、表示部３５２には、例えば、図５６に示す処理選択画面が表示される。
【０４３５】
図５６に示す処理選択画面には、画像に対する処理の選択を促すメッセージ“処理方法を選択してください”が表示されており、そのメッセージの下には、利用者が所有する画像を閲覧するためのボタン５９１、つなぎプリを構成する画像のうち、利用者が所有していない画像のサムネイル画像（利用者が所有する画像に対応付けられたサムネイル画像）を閲覧するためのボタン５９２、およびつなぎプリを構成する画像のうち、利用者が所有していない画像を利用者の友人に送信させるためのボタン５９３が表示されている。
【０４３６】
ボタン５９１およびボタン５９２には、画像（またはサムネイル画像）を特定する情報として、画像（またはサムネイル画像）のURLが関係付けられている。さらに、ボタン５９３には、友人が所有する携帯型電話機５への画像の送信の指示を示す情報として、メーラのURLが関係付けられている。
【０４３７】
また、ボタン５９１乃至ボタン５９３には、それぞれ文字“自分用の画像を表示”、“友達へ送信する画像を表示”、および“友達へもう一方の画像を送信”が表示されており、利用者は、入力部３５６を操作してこれらのボタンを選択（操作）することにより、画像を閲覧したり、画像を友達に送信させたりすることができる。
【０４３８】
図５０のフローチャートの説明に戻り、ステップＳ６３１において、制御部３５７は、画像の表示が指示されたか否かを判定する。例えば、制御部３５７は、図５６のボタン５９１またはボタン５９２が選択（操作）されて、画像の表示（閲覧）が指示されると、画像の表示が指示されたと判定する。
【０４３９】
ステップＳ６３１において、画像の表示が指示されたと判定された場合、指示された画像を閲覧するので、ステップＳ６３２に進み、画像処理部３５３は、利用者の操作に応じて画像のURLを選択し、選択した画像のURLを表示部３５２に表示している処理選択画面から取得して通信部３５１に供給する。
【０４４０】
ステップＳ６３３において、通信部３５１の送信部３７２は、画像処理部３５３から供給された画像のURLをサーバ２に送信する。すると、サーバ２から携帯型電話機５には、送信した画像のURLにより特定される画像が送信されてくるので、ステップＳ６３４において、通信部３５１の受信部３７１は、サーバ２から送信されてきた画像を受信し、ステップＳ６３５において、表示部３５２は受信した画像を表示し、画像閲覧処理は終了する。
【０４４１】
これに対して、ステップＳ６３１において、画像の表示が指示されなかった場合、ステップＳ６３６に進み、制御部３５７は、友人への画像の送信が指示されたか否かを判定する。例えば、図５６に示したボタン５９３が選択されて、つなぎプリを構成する画像のうち、利用者が所有していない画像の利用者の友人への送信が指示された場合、制御部３５７は、友人への画像の送信が指示されたと判定する。また、例えば、利用者により画面の表示の終了が指示された場合、制御部３５７は、友人への画像の送信が指示されなかったと判定する。
【０４４２】
ステップＳ６３６において、友人への画像の送信が指示されたと判定された場合、ステップＳ６３７に進み、他方画像選択処理が行われ、画像閲覧処理は終了する。なお、他方画像選択処理の詳細は後述するが、この他方画像選択処理において、携帯型電話機５は、携帯型電話機５を所有する利用者の友人の電子メールアドレスをサーバ２に送信する処理を行う。
【０４４３】
また、ステップＳ６３６において、友人への画像の送信が指示されなかったと判定された場合、利用者の友人に画像を送信しないので、携帯型電話機５は、利用者の操作に応じた処理を行い、画像閲覧処理は終了する。
【０４４４】
このようにして、携帯型電話機５は、サーバ２から送信されてきた電子メールを受信して、利用者が所有しようとする画像を選択させる。そして、選択された画像の表示が指示されると、携帯型電話機５は選択された画像をサーバ２から受信して表示する。
【０４４５】
このように、サーバ２から送信されてきた電子メールを受信して、利用者が所有しようとする画像を選択させることによって、１つの撮影作業を行った複数の利用者は、所望する画像を簡単に選択することができる。また、選択した画像をサーバ２から受信して表示することで、利用者は、撮影した画像を自分の携帯型電話機５に表示させて楽しむことができる。
【０４４６】
なお、グループＩＤは、各利用者が１度だけしか使用できないようにしてもよい。この場合、利用者は、１度登録した画像（自分が所有する画像）を閲覧する場合には、サーバ２から送信されてきた閲覧ＩＤおよびパスワードを用いて認証を行う。
【０４４７】
次に、図５７のフローチャートを参照して、図５０のステップＳ６３７の処理に対応する、他方画像選択処理について説明する。
【０４４８】
つなぎプリを構成する画像のうち、利用者が所有していない画像の利用者の友人への送信が指示されると、ステップＳ６６１において、画像処理部３５３は、利用者の操作に応じてメーラのURLを選択し、選択したメーラのURLを表示部３５２に表示している処理選択画面から取得して通信部３５１に供給する。
【０４４９】
ステップＳ６６２において、通信部３５１の送信部３７２は、画像処理部３５３から供給されたメーラのURLをサーバ２に送信する。その後、ステップＳ６６３の処理乃至ステップＳ６６８の処理が行われるが、これらの処理は、図３２のステップＳ２３５の処理乃至ステップＳ２４０の処理と同様であるので、その説明は省略する。
【０４５０】
なお、ステップＳ６６６の処理において受信された電子メールには、会員登録の特典として閲覧が可能になった、つなぎプリを構成する画像のうち、利用者が所有していない画像のURLが含まれている。利用者は、電子メールのメッセージとして表示されている、この画像のURLを選択するだけで閲覧ＩＤやパスワードを入力する必要なく画像を閲覧できるようになされている。
【０４５１】
このようにして、携帯型電話機５は、処理選択画面から、つなぎプリを構成する他方の画像の友人（が所有する携帯型電話機５）への送信を指示する情報として、メーラのURLを取得し、取得したメーラのURLをサーバ２に送信する。また、携帯型電話機５は画像の送信先としての友人の電子メールアドレスおよび紹介者としての利用者の電子メールアドレスをサーバ２に送信する。
【０４５２】
このように、つなぎプリを構成する他方の画像の友人への送信を指示する情報として、メーラのURLを取得してサーバ２に送信することで、サーバ２に、友人が所有する携帯型電話機５宛に画像を送信させることができる。
【０４５３】
また、画像に閲覧ＩＤが設定されると、利用者は、総合受付画面のＩＤ入力欄およびパスワード入力欄に、図５０のステップＳ６２９の処理において受信された、電子メールに含まれている閲覧ＩＤおよびパスワードを入力することによって画像を閲覧することができる。
【０４５４】
以下、図５８のフローチャートを参照して、閲覧ＩＤおよびパスワードを入力する場合に携帯型電話機５により行われる画像閲覧処理について説明する。
【０４５５】
なお、ステップＳ７０１の処理およびステップＳ７０２の処理は、図５０のステップＳ６２２の処理およびステップＳ６２３の処理と同様であるので、その説明は省略する。
【０４５６】
表示部３５２に総合受付画面が表示されて、利用者が入力部３５６を操作して閲覧ＩＤおよびパスワードを入力すると、制御部３５７は、入力部３５６から、入力された閲覧ＩＤおよびパスワードを取得して、通信部３５１の送信部３７２に供給する。
【０４５７】
ステップＳ７０３において、通信部３５１の送信部３７２は、閲覧ＩＤおよびパスワードをサーバ２に送信する。すると、サーバ２からは、処理する画像を選択するための画像選択画面が送信されてくる。
【０４５８】
ステップＳ７０４において、通信部３５１の受信部３７１はサーバ２から送信されてきた画像選択画面を受信し、表示部３５２は、受信した画像選択画面を表示する。これにより、表示部３５２には、例えば、図５９に示す画像選択画面が表示される。
【０４５９】
図５９に示す画像選択画面には、処理する画像の選択を促すメッセージ“処理をしたい画像を選択してください”が表示されており、そのメッセージの下には、送信した閲覧ＩＤにより特定される画像のテーマおよび撮影日が表示されている。
【０４６０】
また、画像選択画面の図中、下側には、画像を選択するためのボタン６２１が表示されており、ボタン６２１には文字“右側の画像”が表示されている。利用者は、入力部３５６を操作してこのボタン６２１を選択（操作）することにより、画像を閲覧したり、画像を友達に送信させたりすることができる。なお、ボタン６２１ではなく、処理の対象となる画像のサムネイル画像を表示させるようにしてもよい。
【０４６１】
利用者がボタン６２１を選択すると、画像処理部３５３は、表示部３５２に表示している画像選択画面からボタン６２１に関係付けられた画像のURLを取得して通信部３５１に供給する。
【０４６２】
図５８のフローチャートの説明に戻り、ステップＳ７０５において、通信部３５１の送信部３７２は、画像処理部３５３から供給された画像のURLをサーバ２に送信する。その後、ステップＳ７０６の処理乃至ステップＳ７１３の処理が行われるが、これらの処理は、図５０のステップＳ６３０の処理乃至ステップＳ６３７の処理と同様であるので、その説明は省略する。
【０４６３】
このようにして、携帯型電話機５は、閲覧ＩＤおよびパスワードをサーバ２に送信して、画像を表示させる。
【０４６４】
このように、閲覧ＩＤおよびパスワードをサーバ２に送信して、画像を表示させることで、利用者は、撮影した画像を自分の携帯型電話機５に表示させて楽しむことができ、利用者の満足度を向上させることができる。
【０４６５】
また、利用者が入力部３５６を操作して、図５６に示したボタン５９３を選択すると、サーバ２から利用者の友人が所有する携帯型電話機５には、総合受付画面のURL、利用者が友人に送信した画像（つなぎプリを構成する画像のうち、利用者が所有している画像と対となる画像）を閲覧するために設定された友達ＩＤ、およびその友達ＩＤに対するパスワードが含まれている電子メールが送信される。
【０４６６】
利用者の友人が所有する携帯型電話機５が、サーバ２から送信されてきた電子メールを受信すると、携帯型電話機５の表示部３５２には、例えば、図６０に示す電子メールが表示される。
【０４６７】
図６０の例では、電子メールの宛先として、友人が所有する携帯型電話機５の電子メールアドレスが表示され、差出人として、サーバ２が公開する携帯型電話機５用のウェブサイトの名前が表示されている。また、図中、ウェブサイト名の下には、閲覧可能となった画像を用いてつなぎプリを完成させて遊ぶ方法を伝えるメッセージ“あなたのお友達から、つなぎプリの画像をお預かりしました。お友達と携帯を並べて、画像をつないでください。”が表示されている。さらに、そのメッセージの下には、利用者の友人が閲覧可能となった画像に設定された友達ＩＤおよびその友達ＩＤに対するパスワードが表示されている。
【０４６８】
また、図中、友達ＩＤおよびパスワードの下には、紹介者としての利用者の電子メールアドレスが表示されており、その電子メールアドレスの下には、総合受付画面にアクセスするためのボタン６５１が設けられている。友人は、このボタン６５１を選択することで、総合受付画面を表示させ、画像を閲覧することができる。
【０４６９】
友人が入力部３５６を操作してボタン６５１を選択すると、友人が所有する携帯型電話機５は、閲覧が可能となった画像を表示する画像閲覧処理を開始する。
【０４７０】
以下、図６１のフローチャートを参照して、利用者の友人が所有する携帯型電話機５による画像閲覧処理について説明する。なお、ステップＳ７４１の処理およびステップＳ７４２の処理は、図５８のステップＳ７０１の処理およびステップＳ７０２の処理と同様であるので、その説明は省略する。
【０４７１】
表示部３５２に総合受付画面が表示されて、利用者の友人が入力部３５６を操作し、友達ＩＤおよびその友達ＩＤに対するパスワードを入力すると、制御部３５７は、入力部３５６から入力された友達ＩＤおよびパスワードを取得して、通信部３５１に供給する。
【０４７２】
ステップＳ７４３において、通信部３５１の送信部３７２は、友達ＩＤおよびパスワードをサーバ２に送信し、その後、ステップＳ７４４の処理およびステップＳ７４５の処理が行われるが、これらの処理は、図５８のステップＳ７１０の処理およびステップＳ７１１の処理と同様であるので、その説明は省略する。なお、サーバ２において、携帯型電話機５が送信した友達ＩＤおよびパスワードを用いた認証に失敗した場合には、サーバ２からは、例えば、図４３に示した閲覧禁止画面、または画像を閲覧できない旨のメッセージが送信されてくるので、ステップＳ７４４において、サーバ２から送信されてきた閲覧禁止画面またはメッセージが受信されて表示部３５２に表示される。
【０４７３】
このようにして、友人が所有する携帯型電話機５は、サーバ２から画像を受信して表示する。
【０４７４】
ところで、携帯型電話機５からサーバ２に総合受付画面のURLおよび端末特定情報が送信されてくると、サーバ２は、画像を携帯型電話機５に送信する処理である、画像送信処理を開始する。
【０４７５】
以下、図６２のフローチャートを参照して、サーバ２による画像送信処理について説明する。
【０４７６】
ステップＳ７７１において、通信部３０１の受信部３２１は、携帯型電話機５から送信されてきた、総合受付画面のURLおよび端末特定情報を受信して、制御部３０９に供給する。また、総合受付操作部５３１は、予め記録している総合受付画面を通信部３０１に供給する。
【０４７７】
ステップＳ７７２において、通信部３０１の送信部３２２は、総合受付操作部５３１から供給された総合受付画面を携帯型電話機５に送信する。すると、携帯型電話機５からサーバ２には、グループＩＤ、閲覧ＩＤ、または友達ＩＤと、それらのいずれかに対するパスワードとが送信されてくるので、ステップＳ７７３において、通信部３０１の受信部３２１は、携帯型電話機５から送信されてきたＩＤおよびパスワードを受信し、制御部３０９に供給する。
【０４７８】
ステップＳ７７４において、認証部３０７は、パスワード保管部３１４に記録されている、ＩＤ（グループＩＤ、閲覧ＩＤ、または友達ＩＤ）に対応付けられたパスワードを用いて、受信したＩＤおよびパスワードの認証を行う。
【０４７９】
ステップＳ７７５において、総合受付操作部５３１は、グループＩＤを受信したか否かを判定する。すなわち、総合受付操作部５３１は、受信したＩＤがグループＩＤであるか否かを判定する。
【０４８０】
ステップＳ７７５において、グループＩＤを受信したと判定された場合、ステップＳ７７６に進み、サーバ２は閲覧画像登録処理を行う。なお、閲覧画像登録処理の詳細は後述するが、この閲覧画像登録処理において、サーバ２は、利用者により選択された画像に閲覧ＩＤおよびパスワードを設定する。閲覧画像登録処理が行われると、処理はステップＳ７８１に進む。
【０４８１】
また、ステップＳ７７５において、グループＩＤを受信していないと判定された場合、ステップＳ７７７に進み、総合受付操作部５３１は、閲覧ＩＤを受信したか否かを判定する。すなわち、総合受付操作部５３１は、受信したＩＤが閲覧ＩＤであるか否かを判定する。
【０４８２】
ステップＳ７７７において、閲覧ＩＤを受信したと判定された場合、ステップＳ７７８に進み、画像処理部３０３の検索部３２３は、属性情報記録部３１１に記録されている各画像の属性情報を参照して、受信した閲覧ＩＤにより特定される画像を検索する。
【０４８３】
また、GUI処理部３０２は、受信された閲覧ＩＤにより特定される画像のURLを含む画像選択画面を生成し、通信部３０１に供給する。そして、ステップＳ７７９において、通信部３０１の送信部３２２は、GUI処理部３０２から供給された画像選択画面を携帯型電話機５に送信する。これにより、携帯型電話機５には、例えば、図５９に示した画像選択画面が送信される。
【０４８４】
画像選択画面が送信されると、携帯型電話機５からサーバ２には、閲覧ＩＤにより特定される画像のURLが送信されてくるので、ステップＳ７８０において、通信部３０１の受信部３２１は、携帯型電話機５から送信されてきた画像のURLを受信し、制御部３０９に供給する。
【０４８５】
ステップＳ７８０において、画像のURLが受信されるか、ステップＳ７７６において、閲覧画像登録処理が行われると、GUI処理部３０２は、閲覧ＩＤにより特定される画像のURL、その画像に対応付けられたサムネイル画像のURL、およびメーラのURLが含まれた処理選択画面を生成し、通信部３０１に供給する。ここで、閲覧ＩＤにより特定される画像に対応付けられたサムネイル画像は、閲覧ＩＤにより特定される画像の属性情報に含まれているサムネイル画像を示す情報により示されるサムネイル画像とされる。換言すれば、つなぎプリを構成する画像のうち、閲覧ＩＤにより特定される画像と対となる他方の画像のサムネイル画像とされる。
【０４８６】
ステップＳ７８１において、通信部３０１の送信部３２２は、GUI処理部３０２から供給された処理選択画面を携帯型電話機５に送信する。これにより、携帯型電話機５には、例えば、図５６に示した処理選択画面が送信される。
【０４８７】
処理選択画面が送信されると、携帯型電話機５からサーバ２には、処理選択画面に含まれている画像（またはサムネイル画像）のURL、またはメーラのURLが送信されてくる。
【０４８８】
ステップＳ７８２において、制御部３０９は、携帯型電話機５により、利用者が所有する携帯型電話機５への画像の送信が指示されたか否かを判定する。すなわち、制御部３０９は、携帯型電話機５から画像のURLが送信されてきたか否かを判定する。
【０４８９】
ステップＳ７８２において、画像の送信が指示されたと判定された場合、ステップＳ７８３に進み、通信部３０１の受信部３２１は、携帯型電話機５から送信されてきた、画像（またはサムネイル画像）のURLを受信して、制御部３０９に供給する。また、画像処理部３０３は、受信した画像のURLに基づいて、画像保管部３１０から画像を取得して通信部３０１に供給する。
【０４９０】
ステップＳ７８４において、通信部３０１の送信部３２２は、画像処理部３０３から供給された画像（画像またはサムネイル画像）を、ネットワーク４を介して携帯型電話機５に送信し、画像送信処理は終了する。
【０４９１】
また、ステップＳ７８２において、画像の送信が指示されていないと判定された場合、ステップＳ７８５に進む。ステップＳ７８５において、制御部３０９は、携帯型電話機５により、利用者の友人への画像の送信が指示されたか否かを判定する。すなわち、制御部３０９は、携帯型電話機５からメーラのURLが送信されてきたか否かを判定する。
【０４９２】
ステップＳ７８５において、利用者の友人への画像の送信が指示されたと判定された場合、すなわち、メーラのURLが送信されてきた場合、処理はステップＳ７８６に進む。ステップＳ７８６において、サーバ２は、他方画像送信処理を行い、画像送信処理は終了する。なお、他方画像送信処理の詳細は後述するが、この他方画像送信処理において、サーバ２は、閲覧ＩＤにより特定される画像の対となる画像（つなぎプリを構成する他方の画像）を、利用者の友人が所有する他の携帯型電話機５に送信する。
【０４９３】
これに対して、ステップＳ７８５において、友人への画像の送信が指示されなかったと判定された場合、利用者の携帯型電話機５からは、利用者または友人への画像の送信が指示されていないので、サーバ２は、携帯型電話機５の要求に応じた処理を行い、画像送信処理は終了する。
【０４９４】
また、ステップＳ７７７において、閲覧ＩＤを受信していないと判定された場合、すなわち、受信したＩＤが友達ＩＤである場合、処理はステップＳ７８７に進む。ステップＳ７８７において、サーバ２は、友達画像送信処理を行い、画像送信処理は終了する。なお、友達画像送信処理の詳細は後述するが、この友達画像送信処理において、サーバ２は、友達ＩＤが設定されている画像を携帯型電話機５に送信する。
【０４９５】
このようにして、サーバ２は、画像の送信が指示されると、送信が指示された画像を携帯型電話機５に送信する。
【０４９６】
このように、画像を携帯型電話機５に送信することによって、携帯型電話機５の所有者は、自分が所有する携帯型電話機５において、自分が所有するつなぎプリを構成する画像を表示することができる。そして、その画像が表示された携帯型電話機５、および友人が所有するつなぎプリの他方の画像が表示された携帯型電話機５を並べて１つのつなぎプリを完成させて遊ばせることができ、より利用者の満足度を向上させることができる。
【０４９７】
次に、図６３のフローチャートを参照して、図６２のステップＳ７７６の処理に対応する、閲覧画像登録処理について説明する。
【０４９８】
ステップＳ８２１において、検索部３２３は、閲覧グループ情報記録部３１２に記録されている閲覧グループ情報のうち、受信されたグループＩＤが含まれている閲覧グループ情報を検索することにより、グループＩＤにより示される閲覧グループを検索する。
【０４９９】
ステップＳ８２２において、検索部３２３は、属性情報記録部３１１に記録されている属性情報を参照して、検索された閲覧グループに属す（登録されている）画像のうち、閲覧ＩＤが設定されていない画像を検索する。閲覧ＩＤが設定されていない画像が検索されると、GUI処理部３０２は、検索された閲覧ＩＤが設定されていない画像のURLが含まれる登録画像選択画面を生成し、通信部３０１に供給する。
【０５００】
なお、１つの画像を予め定められた所定の人数の利用者が所有できるようにし、GUI処理部３０２が、検索された閲覧グループに属す（登録されている）画像のうち、画像の所有者の数が予め定められた数に達していない画像のURLが含まれる登録画像選択画面を生成するようにしてもよい。
【０５０１】
ステップＳ８２３において、通信部３０１の送信部３２２は、GUI処理部３０２から供給された登録画像選択画面を携帯型電話機５に送信する。例えば、送信部３２２は、図５３に示した登録画像選択画面を送信する。
【０５０２】
登録画像選択画面が送信されると、携帯型電話機５からは、登録画像選択画面に含まれている画像のURLが送信されてくるので、ステップＳ８２４において、通信部３０１の受信部３２１は、携帯型電話機５から送信されてきた画像のURLを受信して制御部３０９に供給する。また、GUI処理部３０２は、予め記録しているメールアドレス入力画面を通信部３０１に供給する。
【０５０３】
ステップＳ８２５において、通信部３０１の送信部３２２は、GUI処理部３０２から供給されたメールアドレス入力画面を携帯型電話機５に送信する。例えば、送信部３２２は、図５５に示したメールアドレス入力画面を送信する。
【０５０４】
メールアドレス入力画面が送信されると、携帯型電話機５からは、利用者の携帯型電話機５の電子メールアドレスが送信されてくるので、ステップＳ８２６において、通信部３０１の受信部３２１は、携帯型電話機５から送信されてきた電子メールアドレスを受信して制御部３０９に供給する。
【０５０５】
ステップＳ８２７において、管理部３０５は、受信した画像のURLにより特定される画像に閲覧ＩＤおよび、その閲覧ＩＤに対するパスワードを設定する。管理部３０５は、画像に閲覧ＩＤおよびパスワードを設定すると、設定した閲覧ＩＤに対するパスワードを、制御部３０９を介してパスワード保管部３１４に供給して記録させる。また、管理部３０５は、属性情報記録部３１１に記録されている画像の属性情報に、設定された閲覧ＩＤを示す情報を追加して属性情報を更新する。
【０５０６】
さらに、振分部３０４は、画像の閲覧ＩＤと、受信した電子メールアドレスとを対応付けて、閲覧ＩＤと対応付けられた電子メールアドレスをメールアドレス保管部３１３に供給して記録させる。
【０５０７】
ステップＳ８２８において、管理部３０５は、図６２のステップＳ７７１の処理において受信した端末特定情報が、利用者により選択され、閲覧ＩＤが設定された画像の属性情報に含まれるように属性情報を更新することによって（端末特定情報を属性情報に追加することによって）、受信した端末特定情報を、利用者により選択された画像の端末特定情報として設定する。
【０５０８】
ステップＳ８２９において、生成部３０８は、受信した利用者（が所有する携帯型電話機５）の電子メールアドレスを宛先とする、設定された閲覧ＩＤおよびその閲覧ＩＤに対するパスワードが含まれた電子メールを生成し、通信部３０１に供給する。
【０５０９】
ステップＳ８３０において、通信部３０１の送信部３２２は、生成部３０８から供給された電子メールを、利用者が所有する携帯型電話機５に送信し、処理は図６２のステップＳ７８１に進む。
【０５１０】
このようにして、サーバ２は、グループＩＤにより示される閲覧グループに属している画像のうち、閲覧ＩＤが設定されていない画像から、利用者に所望する画像を選択させる。
【０５１１】
このように、グループＩＤにより示される閲覧グループに属している画像のうち、閲覧ＩＤが設定されていない画像から、利用者に所望する画像を選択させることによって、１つの撮影作業を行った複数の利用者は、それぞれ自分が所有しようとする画像を簡単に選択することができる。
【０５１２】
次に、図６４のフローチャートを参照して、図６２のステップＳ７８６の処理に対応する他方画像送信処理について説明する。
【０５１３】
ステップＳ８６１において、通信部３０１の受信部３２１は、携帯型電話機５から送信されてきた、メーラのURLを受信して、制御部３０９に供給する。また、メーラのURLが受信されると、生成部３０８は、メーラを起動させる。
【０５１４】
その後、ステップＳ８６２の処理およびステップＳ８６３の処理が行われるが、これらの処理は、図３８のステップＳ３２１の処理およびステップＳ３２２の処理と同様であるので、その説明は省略する。
【０５１５】
ステップＳ８６３において、友達送信フラグがセットされていると判定された場合、ステップＳ８６４に進み、サーバ２は会員登録誘導処理を行う。なお、会員登録誘導処理の詳細は後述するが、この会員登録誘導処理において、サーバ２は利用者に会員登録を促し、希望者を会員登録する処理を行う。その後、ステップＳ８６５の処理乃至ステップＳ８６７の処理が行われるが、これらの処理は、図３８のステップＳ３２４の処理乃至ステップＳ３２６の処理と同様であるので、その説明は省略する。
【０５１６】
ステップＳ８６８において、管理部３０５は、検索された他方の画像（閲覧ＩＤにより特定される画像と対となる画像）に友達ＩＤおよび、その友達ＩＤに対するパスワードを設定する。また、管理部３０５は、設定した友達ＩＤに対するパスワードをパスワード保管部３１４に供給して記録させる。さらに、管理部３０５は、属性情報記録部３１１に記録されている検索された他方の画像（友達ＩＤが設定された画像）の属性情報に、設定された友達ＩＤを示す情報を追加して属性情報を更新する。
【０５１７】
その後、ステップＳ８６９の処理およびステップＳ８７０の処理が行われるが、これらの処理は、図３８のステップＳ３２７の処理およびステップＳ３２８の処理と同様であるので、その説明は省略する。
【０５１８】
ステップＳ８７１において、生成部３０８は、受信した友人（が所有する携帯型電話機５）の電子メールアドレスを宛先とする、紹介者である利用者の電子メールアドレス、総合受付画面のURL、設定された友達ＩＤ、およびその友達ＩＤに対するパスワードが含まれる電子メールを生成する。生成部３０８は、生成した電子メールを通信部３０１に供給する。
【０５１９】
ステップＳ８７２において、通信部３０１の送信部３２２は、生成部３０８から供給された電子メールを、利用者の友人が所有する携帯型電話機５に送信し、処理は終了する。
【０５２０】
このようにして、サーバ２は、つなぎプリを構成する、利用者が所有する画像と対となる画像を検索し、検索された画像の友達ＩＤおよびパスワードが含まれる電子メールを生成して利用者の友人が所有する携帯型電話機５に送信する。
【０５２１】
このように、つなぎプリを構成する、利用者が所有する画像と対となる画像を検索し、検索された画像の友達ＩＤおよびパスワードが含まれる電子メールを生成して利用者の友人が所有する携帯型電話機５に送信することで、利用者はより多くの友人とつなぎプリを楽しむことができ、利用者の満足度を向上させることができる。
【０５２２】
次に、図６５のフローチャートを参照して、図６４のステップＳ８６４の処理に対応する、会員登録誘導処理について説明する。なお、ステップＳ９１１の処理乃至ステップＳ９１５の処理のそれぞれは、図４０のステップＳ３６１の処理乃至ステップＳ３６５の処理のそれぞれと同様であるので、その説明は省略する。
【０５２３】
ステップＳ９１６において、生成部３０８は、受信した個人情報に含まれる利用者の電子メールアドレスを宛先とし、他方の画像（ステップＳ９１５の処理において検索された画像）のURLが含まれる、会員登録が完了した旨の電子メールを生成し、生成した電子メールを通信部３０１に供給する。
【０５２４】
ステップＳ９１７において、通信部３０１の送信部３２２は、生成部３０８から供給された電子メールを利用者の電子メールアドレス宛に送信し、処理は図６４のステップＳ８６５に進む。
【０５２５】
このようにして、サーバ２は、利用者の個人情報を受信して会員登録を行い、利用者の電子メールアドレス宛に、他方の画像のURLが含まれた電子メールを送信する。
【０５２６】
このように、会員登録した利用者が、特典として他方の画像を閲覧することができるようにすることにより会員数を増やすことができ、サーバ２の管理者は、会員の個人情報を参照して収益性を向上させることができる。
【０５２７】
次に、図６６のフローチャートを参照して、図６２のステップＳ７８７の処理に対応する友達画像送信処理について説明する。
【０５２８】
ステップＳ９４１において、画像処理部３０３の検索部３２３は、属性情報記録部３１１に記録されている各画像の属性情報を参照して、受信した友達ＩＤが設定されている画像（友達ＩＤにより特定される画像）を検索する。
【０５２９】
ステップＳ９４２において、画像処理部３０３は、受信した端末特定情報が、検索された画像の端末特定情報として設定されているか否かを判定する。例えば、検索部３２３により検索された画像の属性情報に、携帯型電話機５を特定する端末特定情報が含まれている場合、画像処理部３０３は、画像の端末特定情報として設定されていると判定する。
【０５３０】
ステップＳ９４２において、画像の端末特定情報として設定されていないと判定された場合、ステップＳ９４３に進み、検索部３２３は、属性情報記録部３１１に記録されている属性情報を参照して、友達ＩＤが設定されている画像が登録されている閲覧グループに属す（登録されている）他の画像を検索する。
【０５３１】
ステップＳ９４４において、画像処理部３０３は、検索された、閲覧グループに属す他の画像のうち、受信した端末特定情報が設定されている画像があるか否かを判定する。ステップＳ９４４において、端末特定情報が設定されている画像がないと判定された場合、友達ＩＤを送信してきた携帯型電話機５の所有者は、閲覧グループに登録されている画像を所有していないので、ステップＳ９４５に進む。
【０５３２】
また、ステップＳ９４２において、端末特定情報として設定されていると判定された場合、友達ＩＤが設定されている画像は、友達ＩＤを送信してきた携帯型電話機５を所有する利用者の画像であるのでステップＳ９４５に進む。
【０５３３】
ステップＳ９４４において、端末特定情報が設定されている画像がないと判定されるか、ステップＳ９４２において、端末特定情報として設定されていると判定されると、画像処理部３０３は、検索された友達ＩＤが設定されている画像を画像保管部３１０から取得して通信部３０１に供給する。ステップＳ９４５において、通信部３０１の送信部３２２は、画像処理部３０３から供給された画像を携帯型電話機５に送信し、処理は終了する。
【０５３４】
また、ステップＳ９４４において、端末特定情報が設定されている画像があると判定された場合、友達ＩＤを送信してきた携帯型電話機５を所有する利用者は、つなぎプリを構成する画像のうち、友達ＩＤが設定された画像と対となる画像の所有者であるので（利用者が自分自身を友人として紹介したので）、GUI処理部３０２は、予め記録している閲覧禁止画面を通信部３０１に供給し、ステップＳ９４６に進む。
【０５３５】
ステップＳ９４６において、通信部３０１の送信部３２２は、GUI処理部３０２から供給された閲覧禁止画面を携帯型電話機５に送信して、処理は終了する。
【０５３６】
このようにして、サーバ２は、携帯型電話機５から友達ＩＤを受信すると、その友達ＩＤが設定された画像を携帯型電話機５に送信する。
【０５３７】
このように、友達ＩＤが設定された画像を携帯型電話機５に送信することによって、撮影作業を行っていない利用者の友人も画像を表示して楽しむことができる。
【０５３８】
また、つなぎプリが３以上の画像から構成される場合においても、１度の撮影作業により撮影された複数の画像を、閲覧グループを特定するグループＩＤにより管理し、利用者により選択された画像に閲覧ＩＤを設定することができる。以下、図６７のフローチャートを参照して、このような場合に行われる図５０のステップＳ６３７の処理に対応する他方画像選択処理について説明する。
【０５３９】
なお、ステップＳ９７１の処理乃至ステップＳ９７５の処理のそれぞれは、図５７のステップＳ６６１の処理乃至ステップＳ６６５の処理のそれぞれと同様であるのでその説明は省略する。
【０５４０】
携帯型電話機５からサーバ２に個人情報が送信されると、サーバ２から携帯型電話機５には、特典として、利用者が閲覧できる画像を選択するための画像選択画面が送信されてくるので、ステップＳ９７６において、通信部３５１の受信部３７１は、サーバ２から送信されてきた画像選択画面を受信し、表示部３５２は、受信した画像選択画面を表示する。
【０５４１】
利用者が、画像選択画面を見ながら、自分が閲覧したい画像を選択すると、画像処理部３５３は、表示部３５２に表示されている画像選択画面から、選択された画像のURLを取得して通信部３５１に供給する。
【０５４２】
ステップＳ９７７において、通信部３５１の送信部３７２は、画像処理部３５３から供給された、選択された画像のURLをサーバ２に送信する。その後、ステップＳ９７８において、通信部３５１の受信部３７１は、サーバ２から送信されてきた会員登録が完了した旨の電子メールを受信し、ステップＳ９７９に進む。
【０５４３】
ステップＳ９７８において、電子メールが受信されるか、ステップＳ９７３において、会員登録画面が受信されなかったと判定されると、サーバ２から携帯型電話機５には、友人に送信する画像を選択するための画像選択画面が送信されてくるので、ステップＳ９７９において、通信部３５１の受信部３７１は、サーバ２から送信されてきた画像選択画面を受信し、表示部３５２は、受信した画像選択画面を表示する。利用者が送信する画像を選択すると、画像処理部３５３は、表示部３５２に表示されている画像選択画面から、選択された画像のURLを取得して通信部３５１に供給する。
【０５４４】
ステップＳ９８０において、通信部３５１の送信部３７２は、画像処理部３５３から供給された、選択された画像のURLをサーバ２に送信する。その後、ステップＳ９８１の処理およびステップＳ９８２の処理が行われるが、これらの処理は、図５７のステップＳ６６７の処理およびステップＳ６６８の処理と同様であるため、その説明は省略する。
【０５４５】
このようにして、携帯型電話機５は、複数の画像から友人（が所有する携帯型電話機５）に送信する画像を選択し、選択した画像のURLをサーバ２に送信する。
【０５４６】
また、図６８のフローチャートを参照して、つなぎプリを構成する画像が３以上ある場合に行われる、図６２のステップＳ７８６の処理に対応する他方画像送信処理について説明する。
【０５４７】
なお、ステップＳ１０１１の処理乃至ステップＳ１０１３の処理のそれぞれは、図６４のステップＳ８６１の処理乃至ステップＳ８６３の処理のそれぞれと同様であるので、その説明は省略する。
【０５４８】
ステップＳ１０１４において、サーバ２は会員登録誘導処理を行う。なお、会員登録誘導処理の詳細については後述するが、この会員登録誘導処理において、サーバ２は、利用者に会員登録を促し、希望者を会員登録する処理を行う。その後、ステップＳ１０１５の処理およびステップＳ１０１６の処理が行われるが、これらの処理は、図６４のステップＳ８６５の処理およびステップＳ８６６の処理と同様であるので、その説明は省略する。
【０５４９】
ステップＳ１０１７において、検索部３２３は、閲覧ＩＤにより特定される画像の閲覧グループに属す（登録されている）、他の画像を検索する。ステップＳ１０１８において、GUI処理部３０２は、検索された他の画像のURLを含む画像選択画面を生成して通信部３０１に供給する。
【０５５０】
ステップＳ１０１９において、通信部３０１の送信部３２２は、GUI処理部３０２から供給された画像選択画面を携帯型電話機５に送信する。そして、携帯型電話機５を所有する利用者が送信する画像を選択すると、携帯型電話機５からサーバ２には選択された画像のURLが送信されてくるので、ステップＳ１０２０において、通信部３０１の受信部３２１は、携帯型電話機５から送信されてきた画像のURLを受信する。
【０５５１】
その後、ステップＳ１０２１の処理乃至ステップＳ１０２５の処理が行われるが、これらの処理は図６４のステップＳ８６８の処理乃至ステップＳ８７２の処理と同様であるので、その説明は省略する。
【０５５２】
このようにして、サーバ２は、利用者により選択された、つなぎプリを構成する他の画像の友達ＩＤおよびパスワードが含まれる電子メールを生成して利用者の友人が所有する携帯型電話機５に送信する。
【０５５３】
次に、図６９のフローチャートを参照して、図６８のステップＳ１０１４の処理に対応する会員登録誘導処理について説明する。なお、ステップＳ１０５１の処理乃至ステップＳ１０５４の処理のそれぞれは、図６５のステップＳ９１１の処理乃至ステップＳ９１４の処理のそれぞれと同様であるので、その説明は省略する。
【０５５４】
ステップＳ１０５５において、検索部３２３は、閲覧ＩＤにより特定される画像の閲覧グループに属す（登録されている）、他の画像を検索する。
【０５５５】
ステップＳ１０５６において、GUI処理部３０２は、検索された他の画像のURLを含む画像選択画面を生成して通信部３０１に供給する。ステップＳ１０５７において、通信部３０１の送信部３２２は、GUI処理部３０２から供給された画像選択画面を携帯型電話機５に送信する。そして、携帯型電話機５を所有する利用者が送信する画像を選択すると、携帯型電話機５からサーバ２には選択された画像のURLが送信されてくるので、ステップＳ１０５８において、通信部３０１の受信部３２１は、携帯型電話機５から送信されてきた画像のURLを受信する。
【０５５６】
ステップＳ１０５９において、生成部３０８は、受信した個人情報に含まれる利用者の電子メールアドレスを宛先とし、選択された他の画像のURLが含まれる、会員登録が完了した旨の電子メールを生成し、生成した電子メールを通信部３０１に供給する。
【０５５７】
そして、ステップＳ１０６０において、通信部３０１の送信部３２２は、電子メールを携帯型電話機５に送信して、処理は図６８のステップＳ１０１５に進む。
【０５５８】
このようにして、サーバ２は、利用者の個人情報を受信して会員登録を行い、利用者の電子メールアドレス宛に、選択された画像のURLが含まれた電子メールを送信する。
【０５５９】
以上においては、利用者の友人が閲覧する画像（利用者の画像と対となる画像）に友達ＩＤを設定し、友達ＩＤおよびパスワードにしたがって画像を閲覧するようにしたが、友達ＩＤを設定せずに、利用者の所有する画像に利用者の閲覧ＩＤとは別の新たな友人用の閲覧ＩＤ（以下、適宜、受容れ用の閲覧ＩＤとも称する）を設定するようにしてもよい。
【０５６０】
この場合、利用者の友人は自分が所有する携帯型電話機５を操作して、サーバ２に受容れ用の閲覧ＩＤおよびパスワードを送信させることにより、画像を閲覧する。
【０５６１】
したがって、総合受付画面にグループＩＤおよびパスワードを入力する場合には、携帯型電話機５は、図５０を参照して説明した画像閲覧処理と同様の処理を行う。なお、画像閲覧処理（他方画像選択処理）において、利用者の友人（画像の送信先）の電子メールアドレスとして、利用者自身の電子メールアドレスを入力した場合には、サーバ２から携帯型電話機５に、他方の画像を送信することができない旨のメッセージが送信されてくるようにしてもよい。
【０５６２】
また、総合受付画面に閲覧ＩＤ（または受容れ用の閲覧ＩＤ）およびパスワードを入力する場合には、携帯型電話機５によって、図５８を参照して説明した画像閲覧処理のうち、ステップＳ７０４の処理およびステップＳ７０５の処理を除く処理が行われる。なお、閲覧ＩＤを入力する場合における画像閲覧処理（他方画像選択処理）においも、利用者の友人（画像の送信先）の電子メールアドレスとして、利用者自身の電子メールアドレスを入力したときには、サーバ２から携帯型電話機５に、他方の画像を送信することができない旨のメッセージが送信されてくるようにしてもよい。
【０５６３】
次に、図７０のフローチャートを参照して、利用者の所有する画像に受容れ用の閲覧ＩＤを設定する場合における、サーバ２による画像送信処理について説明する。なお、ステップＳ１０９１の処理乃至ステップＳ１０９７の処理のそれぞれは、図６２におけるステップＳ７７１の処理乃至ステップＳ７７６の処理のそれぞれと同様であるので、その説明は省略する。
【０５６４】
なお、ステップＳ１０９７の閲覧画像登録処理において、利用者により選択された画像には、利用者がその画像を閲覧するための閲覧ＩＤの他に、１つの受容れ用の閲覧ＩＤが設けられる（付加される）。このとき、受容れ用の閲覧ＩＤは、例えば、まだ設定されていない（使用されていない）ことを示す初期設定値“0000”とされる。
【０５６５】
ステップＳ１０９５において、グループＩＤを受信していないと判定された場合、すなわち、閲覧ＩＤ（または受容れ用の閲覧ＩＤ）を受信した場合、ステップＳ１０９６に進み、検索部３２３は、属性情報記録部３１１に記録されている各画像の属性情報を参照して、受信した閲覧ＩＤ（または受容れ用の閲覧ＩＤ）により特定される画像（閲覧ＩＤが設定された画像）を検索する。
【０５６６】
ステップＳ１０９６において画像が検索されるか、またはステップＳ１０９７において閲覧画像登録処理が行われると、GUI処理部３０２は、閲覧ＩＤ（または受容れ用の閲覧ＩＤ）により特定される画像のURL、その画像に対応付けられたサムネイル画像のURL、およびメーラのURLが含まれた処理選択画面を生成し、通信部３０１に供給する。
【０５６７】
ステップＳ１０９８において、通信部３０１の送信部３２２は、GUI処理部３０２から供給された処理選択画面を携帯型電話機５に送信する。処理選択画面が送信されると、携帯型電話機５からサーバ２には、処理選択画面に含まれている画像（またはサムネイル画像）のURL、またはメーラのURLが送信されてくる。
【０５６８】
ステップＳ１０９９において、制御部３０９は、携帯型電話機５により、利用者が所有する携帯型電話機５への画像の送信が指示されたか否かを判定する。すなわち、制御部３０９は、携帯型電話機５から画像のURLが送信されてきたか否かを判定する。
【０５６９】
ステップＳ１０９９において、画像の送信が指示されていないと判定された場合、処理はステップＳ１１００に進み、制御部３０９は、携帯型電話機５により、利用者の友人への画像の送信が指示されたか否かを判定する。すなわち、制御部３０９は、携帯型電話機５からメーラのURLが送信されてきたか否かを判定する。
【０５７０】
ステップＳ１１００において、利用者の友人への画像の送信が指示されたと判定された場合、すなわち、メーラのURLが送信されてきた場合、処理はステップＳ１１０１に進む。ステップＳ１１０１において、サーバ２は、他方画像送信処理を行い、画像送信処理は終了する。なお、他方画像送信処理の詳細は後述するが、この他方画像送信処理において、サーバ２は、閲覧ＩＤにより特定される画像に受容れ用の閲覧ＩＤを設定し、受容れ用の閲覧ＩＤおよびパスワードを利用者の友人が所有する他の携帯型電話機５に送信する。なお、画像には、受容れ用の閲覧ＩＤが設定されるが、受容れ用の閲覧ＩＤを用いて画像を閲覧する携帯型電話機５の端末特定情報は設定されない。
【０５７１】
これに対して、ステップＳ１１００において、友人への画像の送信が指示されなかったと判定された場合、利用者の携帯型電話機５からは、利用者または友人への画像の送信が指示されていないので、サーバ２は、携帯型電話機５の要求に応じた処理を行い、画像送信処理は終了する。
【０５７２】
また、ステップＳ１０９９において、画像の送信が指示されたと判定された場合、ステップＳ１１０２に進み、通信部３０１の受信部３２１は、携帯型電話機５から送信されてきた、画像（またはサムネイル画像）のURLを受信して、制御部３０９に供給する。
【０５７３】
ステップＳ１１０３において、画像処理部３０３は、受信した端末特定情報が、閲覧ＩＤにより特定される画像の端末特定情報として設定されているか否かを判定する。例えば、閲覧ＩＤにより特定される画像の属性情報に、携帯型電話機５を特定する端末特定情報が含まれている場合、画像処理部３０３は、画像の端末特定情報として設定されていると判定する。
【０５７４】
ステップＳ１１０３において、画像の端末特定情報として設定されていると判定された場合、送信が指示された、閲覧ＩＤにより特定される画像（画像のURLにより特定される画像）は、携帯型電話機５の所有者である利用者が所有する画像（またはその画像の対となる画像のサムネイル画像）であるので、画像処理部３０３は、画像（またはサムネイル画像）のURLにより特定される画像を画像保管部３１０から取得して通信部３０１に供給し、ステップＳ１１０４に進む。
【０５７５】
ステップＳ１１０４において、通信部３０１の送信部３２２は、画像処理部３０３から供給された画像を携帯型電話機５に送信し、画像送信処理は終了する。
【０５７６】
これに対して、ステップＳ１１０３において、画像の端末特定情報として設定されていないと判定された場合、ステップＳ１１０５に進み、検索部３２３は、属性情報記録部３１１に記録されている属性情報を参照して、閲覧ＩＤが設定されている画像が登録されている閲覧グループに属す（登録されている）他の画像を検索する。
【０５７７】
ステップＳ１１０６において、画像処理部３０３は、検索された、閲覧グループに属す他の画像のうち、受信された端末特定情報が設定されている画像があるか否かを判定する。ステップＳ１１０６において、端末特定情報が設定されている画像がないと判定された場合、閲覧ＩＤ（受容れ用の閲覧ＩＤ）を送信してきた携帯型電話機５の所有者は、閲覧グループに登録されている画像を所有していない、利用者の友人であるので、画像処理部３０３は、画像のURLにより特定される画像が登録されている閲覧グループに属す他の画像を画像保管部３１０から取得して通信部３０１に供給し、ステップＳ１１０７に進む。
【０５７８】
ステップＳ１１０７において、通信部３０１の送信部３２２は、画像処理部３０３から供給された他の画像を携帯型電話機５に送信し、画像送信処理は終了する。
【０５７９】
また、ステップＳ１１０６において、端末特定情報が設定されている画像があると判定された場合、閲覧ＩＤ（受容れ用の閲覧ＩＤ）を送信してきた携帯型電話機５の所有者は、つなぎプリを構成する画像のうち、閲覧ＩＤが設定された画像と対となる画像の所有者であるので（利用者が自分自身を友人として紹介したので）、GUI処理部３０２は、予め記録している閲覧禁止画面を通信部３０１に供給し、ステップＳ１１０８に進む。
【０５８０】
ステップＳ１１０８において、通信部３０１の送信部３２２は、GUI処理部３０２から供給された閲覧禁止画面を携帯型電話機５に送信して、画像送信処理は終了する。
【０５８１】
このようにして、サーバ２は、画像の送信が指示されると、送信が指示された画像を携帯型電話機５に送信する。
【０５８２】
このように、画像を携帯型電話機５に送信することによって、携帯型電話機５の所有者は、自分が所有する携帯型電話機５において、自分が所有するつなぎプリを構成する画像を表示することができる。そして、その画像が表示された携帯型電話機５、および友人が所有するつなぎプリの他方の画像が表示された携帯型電話機５を並べて１つのつなぎプリを完成させて遊ばせることができ、より利用者の満足度を向上させることができる。
【０５８３】
次に、図７１のフローチャートを参照して、図７０のステップＳ１１０１の処理に対応する他方画像送信処理について説明する。
【０５８４】
ステップＳ１１４１において、通信部３０１の受信部３２１は、携帯型電話機５から送信されてきた、メーラのURLを受信して、制御部３０９に供給する。また、メーラのURLが受信されると、生成部３０８は、メーラを起動させる。
【０５８５】
ステップＳ１１４２において、画像処理部３０３は、受容れ用の閲覧ＩＤが、受信した閲覧ＩＤ（または受容れ用の閲覧ＩＤ）により特定される画像に設定されているか否かを判定する。例えば、受信した閲覧ＩＤにより特定される画像の属性情報に含まれる受容れ用の閲覧ＩＤが、初期設定値“0000”である場合、画像処理部３０３は、受容れ用の閲覧ＩＤが設定されていないと判定する。ステップＳ１１４２において、受容れ用の閲覧ＩＤが設定されていないと判定された場合、処理はステップＳ１１４８に進む。
【０５８６】
これに対して、ステップＳ１１４２において、受容れ用の閲覧ＩＤが設定されていると判定された場合、処理はステップＳ１１４３に進み、画像処理部３０３は、受信した端末特定情報が、閲覧ＩＤにより特定される画像の端末特定情報として設定されているか否かを判定する。
【０５８７】
ステップＳ１１４３において、端末特定情報として設定されていないと判定された場合、閲覧ＩＤ（受容れ用の閲覧ＩＤ）を送信してきた携帯型電話機５の所有者は、つなぎプリを構成する画像（閲覧ＩＤにより特定される画像）の所有者ではないので、GUI処理部３０２は、予め記録している、他方の画像を送信することができない旨のメッセージ（が表示された画面）を通信部３０１に供給し、ステップＳ１１４４に進む。
【０５８８】
ステップＳ１１４４において、通信部３０１の送信部３２２は、GUI処理部３０２から供給された他方の画像を送信することができない旨のメッセージを携帯型電話機５に送信して、処理は終了する。
【０５８９】
これに対して、ステップＳ１１４３において、端末特定情報として設定されていると判定された場合、ステップＳ１１４５に進み、管理部３０５は、携帯型電話機５を所有する利用者が会員登録されているか否かを判定する。ステップＳ１１４５において、会員登録されていると判定された場合、ステップＳ１１４８に進む。
【０５９０】
これに対して、ステップＳ１１４５において、会員登録されていないと判定された場合、ステップＳ１１４６に進む。なお、ステップＳ１１４６の処理およびステップＳ１１４７の処理は、図６４のステップＳ８６４の処理およびステップＳ８６５の処理と同様であるので、その説明は省略する。
【０５９１】
ステップＳ１１４７において、会員登録したと判定されるか、ステップＳ１１４２において、受容れ用の閲覧ＩＤが設定されていないと判定されると、ステップＳ１１４８において、管理部３０５は、受信された閲覧ＩＤにより特定される画像に受容れ用の閲覧ＩＤおよびその受容れ用の閲覧ＩＤに対するパスワードを設定する。また、管理部３０５は、設定した受容れ用の閲覧ＩＤに対するパスワードをパスワード保管部３１４に供給して記録させる。
【０５９２】
その後、ステップＳ１１４９の処理およびステップＳ１１５０の処理が行われるが、これらの処理は、図６４のステップＳ８６９の処理およびステップＳ８７０の処理と同様であるので、その説明は省略する。
【０５９３】
ステップＳ１１５１において、生成部３０８は、受信した友人（が所有する携帯型電話機５）の電子メールアドレスを宛先とする、紹介者である利用者の電子メールアドレス、総合受付画面のURL、設定された受容れ用の閲覧ＩＤ、およびその受容れ用の閲覧ＩＤに対するパスワードが含まれる電子メールを生成する。生成部３０８は、生成した電子メールを通信部３０１に供給する。
【０５９４】
ステップＳ１１５２において、通信部３０１の送信部３２２は、生成部３０８から供給された電子メールを、利用者の友人が所有する携帯型電話機５に送信し、処理は終了する。
【０５９５】
このようにして、サーバ２は、利用者が所有する画像に、利用者の友人が用いる受容れ用の閲覧ＩＤを設定し、その受容れ用の閲覧ＩＤおよびパスワードが含まれる電子メールを生成して利用者の友人が所有する携帯型電話機５に送信する。
【０５９６】
このように、利用者が所有する画像に、利用者の友人が用いる受容れ用の閲覧ＩＤを設定し、その受容れ用の閲覧ＩＤおよびパスワードが含まれる電子メールを生成して利用者の友人が所有する携帯型電話機５に送信することで、利用者はより多くの友人とつなぎプリを楽しむことができ、利用者の満足度を向上させることができる。
【０５９７】
以上のように、つなぎプリを構成する、利用者が所有していない画像のURLが含まれる電子メールを生成して利用者の友人が所有する携帯型電話機５に送信することで、利用者はより多くの友人とつなぎプリを楽しむことができ、利用者の満足度を向上させることができる。
【０５９８】
なお、以上においては、サーバ２から携帯型電話機５に、画像のURLが含まれた電子メールが送信されると説明したが、画像そのものが含まれている電子メールを送信するようにしてもよい。また、画像が含まれる電子メールが送信される場合に、画像を選択すると、その画像が表示部３５２の表示画面の大きさに拡大されたり、サムネイル画像を選択することで、サーバ２に友人への他方の画像の送信を指示したりする（例えば、メーラのURLを送信する）ようにしてもよい。このようにすることによって、利用者は自分がどのような画像を受信したかや、どのような画像が友人に送信されるかを容易に確認することができる。
【０５９９】
さらに、友人（が所有する携帯型電話機５）に画像を送信する場合、サーバ２を介さずに、直接、友人が所有する携帯型電話機５に赤外線通信などの無線通信によって画像を送信するようにしてもよい。このように、携帯型電話機５同士が直接画像を送受信することで、利用者はより簡単に友人への画像の送信を行うことができる。
【０６００】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれている携帯型電話機、コンピュータ、または、各種のプログラムをインストールすることで、各種の機能を実行することが可能な、例えば汎用のパーソナルコンピュータなどに、プログラム記録媒体からインストールされる。
【０６０１】
図７２は、上述した一連の処理をプログラムにより実行するパーソナルコンピュータの構成の例を示すブロック図である。パーソナルコンピュータ８０１のCPU（Central Processing Unit）８１１は、ROM（Read Only Memory）８１２、または記録部８１８に記録されているプログラムに従って各種の処理を実行する。RAM８１３には、CPU８１１が実行するプログラムやデータなどが適宜記憶される。これらのCPU８１１、ROM８１２、およびRAM８１３は、バス８１４により相互に接続されている。
【０６０２】
CPU８１１にはまた、バス８１４を介して入出力インタフェース８１５が接続されている。入出力インタフェース８１５には、キーボード、マウス、マイクロホンなどよりなる入力部８１６、ディスプレイ、スピーカなどよりなる出力部８１７が接続されている。CPU８１１は、入力部８１６から入力される指令に対応して各種の処理を実行する。そして、CPU８１１は、処理の結果を出力部８１７に出力する。
【０６０３】
入出力インタフェース８１５に接続されている記録部８１８は、例えばハードディスクからなり、CPU８１１が実行するプログラムや各種のデータを記録する。通信部８１９は、インターネットやローカルエリアネットワークなどのネットワークを介して外部の装置と通信する。
【０６０４】
また、通信部８１９を介してプログラムを取得し、記録部８１８に記録してもよい。
【０６０５】
入出力インタフェース８１５に接続されているドライブ８２０は、磁気ディスク、光ディスク、光磁気ディスク、或いは半導体メモリなどのリムーバブルメディア８３１が装着されたとき、それらを駆動し、そこに記録されているプログラムやデータなどを取得する。取得されたプログラムやデータは、必要に応じて記録部８１８に転送され、記録される。
【０６０６】
コンピュータにインストールされ、コンピュータによって実行可能な状態とされるプログラムを格納するプログラム記録媒体は、図７２に示すように、磁気ディスク（フレキシブルディスクを含む）、光ディスク（CD-ROM,DVDを含む）、光磁気ディスクを含む）、もしくは半導体メモリなどよりなるパッケージメディアであるリムーバブルメディア８３１、または、プログラムが一時的もしくは永続的に格納されるROM８１２や、記録部８１８を構成するハードディスクなどにより構成される。プログラム記録媒体へのプログラムの格納は、必要に応じてルータ、モデムなどのインタフェースである通信部８１９を介して、ローカルエリアネットワーク、インターネット、デジタル衛星放送といった、有線または無線の通信媒体を利用して行われる。
【０６０７】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０６０８】
また、本明細書において、システムとは、複数の装置により構成される装置全体を表すものである。なお、以上において、一つの装置として説明した構成を分割し、複数の装置として構成するようにしてもよい。逆に、以上において複数の装置として説明した構成をまとめて一つの装置として構成されるようにしてもよい。また、各装置の構成に上述した以外の構成を付加するようにしてももちろんよい。さらに、システム全体としての構成や動作が実質的に同じであれば、ある装置の構成の一部を他の装置の構成に含めるようにしてもよい。
【図面の簡単な説明】
【０６０９】
【図１】本発明を適用した写真シール提供システムの一実施の形態の例を示す図である。
【図２】写真シール作成装置の例を示す斜視図である。
【図３】写真シール作成装置の設置例を示す斜視図である。
【図４】写真シール作成装置の第１ユニットの正面の構成例を示す図である。
【図５】写真シール作成装置の第１ユニットの右側面の構成例を示す図である。
【図６】写真シール作成装置の第１ユニットの背面の構成例を示す図である。
【図７】利用者の移動パターンを説明する図である。
【図８】写真シール作成装置の機能的構成例を示すブロック図である。
【図９】撮影処理部の詳細な構成例を示すブロック図である。
【図１０】撮影部の詳細な構成例を示すブロック図である。
【図１１】編集処理部の詳細な構成例を示すブロック図である。
【図１２】第１編集部の詳細な構成例を示すブロック図である。
【図１３】写真シール作成ゲーム処理を説明するフローチャートである。
【図１４】編集画面の例を示す図である。
【図１５】撮影処理を説明するフローチャートである。
【図１６】連結撮影処理を説明するフローチャートである。
【図１７】撮影用モニタの表示例を示す図である。
【図１８】プレビュー画像の一例を示す図である。
【図１９】取り込み画像表示用モニタの表示例を示す図である。
【図２０】印刷処理を説明するフローチャートである。
【図２１】送信選択画面の表示例を示す図である。
【図２２】メールアドレス入力画面の表示例を示す図である。
【図２３】機種選択画面および通信会社選択画面の表示例を示す図である。
【図２４】サーバの構成例を示すブロック図である。
【図２５】携帯型電話機の構成例を示すブロック図である。
【図２６】メール送信処理を説明するフローチャートである。
【図２７】画像閲覧処理を説明するフローチャートである。
【図２８】電子メールの表示例を示す図である。
【図２９】閲覧ＩＤ入力画面の表示例を示す図である。
【図３０】画像の表示例を示す図である。
【図３１】サムネイル画像の表示例を示す図である。
【図３２】他方画像選択処理を説明するフローチャートである。
【図３３】会員登録画面の表示例を示す図である。
【図３４】電子メールの表示例を示す図である。
【図３５】メールアドレス入力画面の表示例を示す図である。
【図３６】画像送信処理を説明するフローチャートである。
【図３７】ＩＤ認証処理を説明するフローチャートである。
【図３８】他方画像送信処理を説明するフローチャートである。
【図３９】電子メールの表示例を示す図である。
【図４０】会員登録誘導処理を説明するフローチャートである。
【図４１】友達閲覧処理を説明するフローチャートである。
【図４２】友達画像送信処理を説明するフローチャートである。
【図４３】閲覧禁止画面の表示例を示す図である。
【図４４】他方画像選択処理を説明するフローチャートである。
【図４５】画像選択画面の表示例を示す図である。
【図４６】他方画像送信処理を説明するフローチャートである。
【図４７】会員登録誘導処理を説明するフローチャートである。
【図４８】サーバの他の構成例を示すブロック図である。
【図４９】メール送信処理を説明するフローチャートである。
【図５０】グループＩＤを入力する場合における画像閲覧処理を説明するフローチャートである。
【図５１】電子メールの表示例を示す図である。
【図５２】総合受付画面の表示例を示す図である。
【図５３】登録画像選択画面の表示例を示す図である。
【図５４】登録画像選択画面の他の表示例を示す図である。
【図５５】メールアドレス入力画面の表示例を示す図である。
【図５６】処理選択画面の表示例を示す図である。
【図５７】他方画像選択処理を説明するフローチャートである。
【図５８】閲覧ＩＤを入力する場合における画像閲覧処理を説明するフローチャートである。
【図５９】画像選択画面の表示例を示す図である。
【図６０】電子メールの表示例を示す図である。
【図６１】友達ＩＤを入力する場合における画像閲覧処理を説明するフローチャートである。
【図６２】画像送信処理を説明するフローチャートである。
【図６３】閲覧画像登録処理を説明するフローチャートである。
【図６４】他方画像送信処理を説明するフローチャートである。
【図６５】会員登録誘導処理を説明するフローチャートである。
【図６６】友達画像送信処理を説明するフローチャートである。
【図６７】他方画像選択処理を説明するフローチャートである。
【図６８】他方画像送信処理を説明するフローチャートである。
【図６９】会員登録誘導処理を説明するフローチャートである。
【図７０】画像送信処理を説明するフローチャートである。
【図７１】他方画像送信処理を説明するフローチャートである。
【図７２】パーソナルコンピュータの構成例を示すブロック図である。
【符号の説明】
【０６１０】
１  写真シール提供システム
２  サーバ
３  写真シール作成装置
５−１乃至５−３，５  携帯型電話機
８４  印刷部
８５  事後接客部
９３  撮影処理部
９５  印刷処理部
１０２  リムーバブルメディア
３０１  通信部
３０３  画像処理部
３０４  振分部
３０５  管理部
３０８  生成部
３１０  画像保管部
３２１  受信部
３２２  送信部
３２３  検索部
３５１  通信部
３５３  画像処理部
３５７  制御部
３７１  受信部
３７２  送信部
５３１  総合受付操作部
８０１  パーソナルコンピュータ
８１１  CPU
８１２  ROM
８１３  ＲＡＭ
８１８  記録部
８３１  リムーバブルメディア
【図１】
0004626538.tif 000002
【図２】
0004626538.tif 000003
【図３】
0004626538.tif 000004
【図４】
0004626538.tif 000005
【図５】
0004626538.tif 000006
【図６】
0004626538.tif 000007
【図７】
0004626538.tif 000008
【図８】
0004626538.tif 000009
【図９】
0004626538.tif 000010
【図１０】
0004626538.tif 000011
【図１１】
0004626538.tif 000012
【図１２】
0004626538.tif 000013
【図１３】
0004626538.tif 000014
【図１４】
0004626538.tif 000015
【図１５】
0004626538.tif 000016
【図１６】
0004626538.tif 000017
【図１７】
0004626538.tif 000018
【図１８】
0004626538.tif 000019
【図１９】
0004626538.tif 000020
【図２０】
0004626538.tif 000021
【図２１】
0004626538.tif 000022
【図２２】
0004626538.tif 000023
【図２３】
0004626538.tif 000024
【図２４】
0004626538.tif 000025
【図２５】
0004626538.tif 000026
【図２６】
0004626538.tif 000027
【図２７】
0004626538.tif 000028
【図２８】
0004626538.tif 000029
【図２９】
0004626538.tif 000030
【図３０】
0004626538.tif 000031
【図３１】
0004626538.tif 000032
【図３２】
0004626538.tif 000033
【図３３】
0004626538.tif 000034
【図３４】
0004626538.tif 000035
【図３５】
0004626538.tif 000036
【図３６】
0004626538.tif 000037
【図３７】
0004626538.tif 000038
【図３８】
0004626538.tif 000039
【図３９】
0004626538.tif 000040
【図４０】
0004626538.tif 000041
【図４１】
0004626538.tif 000042
【図４２】
0004626538.tif 000043
【図４３】
0004626538.tif 000044
【図４４】
0004626538.tif 000045
【図４５】
0004626538.tif 000046
【図４６】
0004626538.tif 000047
【図４７】
0004626538.tif 000048
【図４８】
0004626538.tif 000049
【図４９】
0004626538.tif 000050
【図５０】
0004626538.tif 000051
【図５１】
0004626538.tif 000052
【図５２】
0004626538.tif 000053
【図５３】
0004626538.tif 000054
【図５４】
0004626538.tif 000055
【図５５】
0004626538.tif 000056
【図５６】
0004626538.tif 000057
【図５７】
0004626538.tif 000058
【図５８】
0004626538.tif 000059
【図５９】
0004626538.tif 000060
【図６０】
0004626538.tif 000061
【図６１】
0004626538.tif 000062
【図６２】
0004626538.tif 000063
【図６３】
0004626538.tif 000064
【図６４】
0004626538.tif 000065
【図６５】
0004626538.tif 000066
【図６６】
0004626538.tif 000067
【図６７】
0004626538.tif 000068
【図６８】
0004626538.tif 000069
【図６９】
0004626538.tif 000070
【図７０】
0004626538.tif 000071
【図７１】
0004626538.tif 000072
【図７２】
0004626538.tif 000073